(57)【要約】【課題】近距離無線により送受信される情報を、近距離無線による送受信の前後において、送信側や受信側が望む情報の単位毎に適した取り決めに従い、適切で簡単に送受信する。【解決手段】通信システム１では、無線通信装置１０ｃ，１０ｄがトンネル（Ｂ）１ｂ、トンネル（Ｄ）１ｄを介して通信情報を送受信する際の通信ポリシーを、オブジェクト単位毎に決定し、設定する。通信システム１では、通信ポリシーに基づいて、トンネル（Ｂ）１ｂ、トンネル（Ｄ）１ｄを介した通信情報の送受信がオブジェクト単位毎に制御される。無線通信装置１０ｃ，１０ｄは、制御に従い、通信情報をトンネル（Ｂ）１ｂ、トンネル（Ｄ）１ｄを介して送受信する。【選択図】  図１
2004274184.tif 000002
【特許請求の範囲】
【請求項１】
情報送信装置と無線通信装置と端末装置との少なくとも二者間で行われる通信情報の送受信を行う通信システムにおいて、
近距離無線により通信情報を送受信する近距離無線通信手段と、
該近距離無線通信手段が送受信する通信情報を、トンネルを介して送受信する通信手段と、
該通信手段がトンネルを介して通信情報を送受信する際の通信ポリシーを、オブジェクト単位毎に決定し、設定する通信ポリシー設定手段と、
該通信ポリシー設定手段によって設定された通信ポリシーに基づいて、前記トンネルを介した通信情報の送受信をオブジェクト単位毎に制御する通信制御手段と
を備えることを特徴とする通信システム。
【請求項２】
前記オブジェクト単位には、データ単位、領域単位、コミュニティ単位、セッション単位、コネクション単位、又はトンネル単位が含まれることを特徴とする請求項１に記載の通信システム。
【請求項３】
前記通信ポリシー設定手段は、前記通信情報、測定情報、位置情報、時間情報、ネットワークの状況、通信リソースの状況、前記近距離無線通信手段に関する情報、前記通信手段に関する情報、前記通信ポリシーの達成度、前記通信情報の送受信に関する通信料金又は要求されるリアルタイム性の少なくとも１つに基づいて、前記通信ポリシーを決定し、設定することを特徴とする請求項１又は２に記載の通信システム。
【請求項４】
前記通信ポリシーの設定条件を制御する設定条件制御手段を備え、
前記通信ポリシー設定手段は、前記設定条件制御手段が制御した設定条件に基づいて、前記通信ポリシーを決定し、設定することを特徴とする請求項１乃至３に記載の通信システム。
【請求項５】
複数の前記通信ポリシー設定手段が、前記通信ポリシーの調整を行うことを特徴とする請求項１乃至４のいずれか１項に記載の通信システム。
【請求項６】
前記通信ポリシー設定手段は、前記通信ポリシーとして、前記通信情報をトンネルを介して送受信する際の品質、通信形態、通信料金、通信スケジュール、変換方法、同期制御方法、前記通信ポリシーの設定規則、要求されるリアルタイム性の少なくとも１つに関する取り決めを設定することを特徴とする請求項１乃至５のいずれか１項に記載の通信システム。
【請求項７】
前記設定した通信ポリシーに基づいて、前記通信情報の送受信に通信リソースを予め割り当てるリソース割当手段を備えることを特徴とする請求項１乃至６のいずれか１項に記載の通信システム。
【請求項８】
前記設定した通信ポリシーに基づいて、前記通信情報を変換する変換手段を備えることを特徴とする請求項１乃至７のいずれか１項に記載の通信システム。
【請求項９】
ネットワークの状況、通信リソースの状況、前記近距離無線通信手段の状況、前記通信手段の状況、前記通信ポリシーの達成度の少なくとも１つを取得する取得手段を備えることを特徴とする請求項１乃至８のいずれか１項に記載の通信システム。
【請求項１０】
近距離無線により提供される無線情報を送信する無線情報提供手段と、
該無線情報提供手段が送信した無線情報を受信する近距離無線受信手段と、
該近距離無線受信手段が受信した無線情報に基づいて、前記通信情報を特定する特定手段と
を備えることを特徴とする請求項１乃至９のいずれか１項に記載の通信システム。
【請求項１１】
近距離無線により通信情報を送受信する近距離無線通信手段と、
該近距離無線通信手段が送受信する通信情報を、トンネルを介して送受信する通信手段と、
オブジェクト単位毎に設定された前記通信手段がトンネルを介して通信情報を送受信する際の通信ポリシーに基づいて、前記トンネルを介した通信情報の送受信をオブジェクト単位毎に制御する通信制御手段と
を備えることを特徴とする無線通信装置。
【請求項１２】
前記オブジェクト単位には、データ単位、領域単位、コミュニティ単位、セッション単位、コネクション単位、又はトンネル単位が含まれることを特徴とする請求項１１に記載の無線通信装置。
【請求項１３】
前記通信手段がトンネルを介して通信情報を送受信する際の通信ポリシーを、オブジェクト単位毎に決定し、設定する通信ポリシー設定手段を備えることを特徴とする請求項１１又は１２に記載の無線通信装置。
【請求項１４】
近距離無線により通信情報を送受信する無線通信装置とトンネルを介して前記通信情報を送受信する無線通信装置通信手段と、
オブジェクト単位毎に設定された前記無線通信装置通信手段がトンネルを介して通信情報を送受信する際の通信ポリシーに基づいて、前記トンネルを介した通信情報の送受信をオブジェクト単位毎に制御する通信制御手段と
を備えることを特徴とする通信装置。
【請求項１５】
前記オブジェクト単位には、データ単位、領域単位、コミュニティ単位、セッション単位、コネクション単位、又はトンネル単位が含まれることを特徴とする請求項１４に記載の通信装置。
【請求項１６】
前記無線通信装置通信手段がトンネルを介して通信情報を送受信する際の通信ポリシーを、オブジェクト単位毎に決定し、設定する通信ポリシー設定手段を備えることを特徴とする請求項１４又は１５に記載の通信装置。
【請求項１７】
無線通信装置が近距離無線により送受信する通信情報を、トンネルを介して送受信する際の通信ポリシーを、オブジェクト単位毎に決定して設定し、
該設定した通信ポリシーに基づいて、前記通信情報をトンネルを介してオブジェクト単位毎に送受信することを特徴する通信方法。
【請求項１８】
前記オブジェクト単位には、データ単位、領域単位、コミュニティ単位、セッション単位、コネクション単位、又はトンネル単位が含まれることを特徴とする請求項１７に記載の通信方法。
【請求項１９】
前記通信ポリシーの設定条件を制御し、
前記通信ポリシーの制御は、前記制御した設定条件に基づいて行うことを特徴とする請求項１７又は１８に記載の通信方法。
【請求項２０】
前記設定した通信ポリシーに基づいて、前記通信情報の送信に通信リソースを予め割り当てることを特徴とする請求項１７乃至１９のいずれか１項に記載の通信方法。
【請求項２１】
前記設定した通信ポリシーに基づいて、前記通信情報を変換することを特徴とする請求項１７乃至２０のいずれか１項に記載の通信方法。
【請求項２２】
ネットワークの状況、通信リソースの状況、前記無線通信装置の状況、前記通信ポリシーの達成度の少なくとも１つを取得することを特徴とする請求項１７乃至２１のいずれか１項に記載の通信方法。
【請求項２３】
端末装置が、近距離無線により提供される無線情報を受信し、
該端末装置が受信した無線情報に基づいて、前記通信情報を特定することを特徴とする請求項１７乃至２２のいずれか１項に記載の通信方法。
【発明の詳細な説明】
【０００１】
【発明の属する技術分野】
本発明は、通信システム、無線通信装置、通信装置及び通信方法に関する。
【０００２】
【従来の技術】
従来、端末装置は、情報を送信する際に、相手装置との間でその通信品質やその制御基準を設定する。そして、端末装置は、設定した通信品質やその制御基準に従って通信を行う（例えば、特許文献１参照）。又、無線基地局から無線端末に配信する情報を、その情報の構成要素の優先度に応じて複数のレイヤに区切り、そのレイヤ毎にチャネル割り当てを行う方法が提案されている（例えば、特許文献２参照）。一方、近年、ＲＦ（Ｒａｄｉｏ  Ｆｒｅｑｕｅｎｃｙ）電波を用いた無線通信を行うＲＦタグなどにより、近距離無線による情報の送受信が行われている。これによれば、情報を容易に送受信することができる。
【０００３】
【特許文献１】
特開平１１−２７５１４５号公報
【０００４】
【特許文献２】
特開２００２−９５０６５号公報
【０００５】
【発明が解決しようとする課題】
しかしながら、端末装置が送信する情報全体を、一律に設定した通信品質や制御基準に従って送信する場合には、情報を構成する各データに適した通信品質で情報を送信することができなかった。又、情報をその構成要素の優先度に応じて区切り、チャネルを割り当てる場合にも、一律の条件で情報が区切られてしまう。そのため、情報を送信する送信側や、情報を受信する受信側が望む情報の単位毎に適したチャネル割当を行うことができなかった。
【０００６】
又、ＲＦタグが近距離無線により送信した情報は、その後、様々なネットワークを介して送信されていく。又、ＲＦタグが近距離無線により送信する情報は、様々なネットワークを介してＲＦタグに届く場合がある。このように近距離無線により送受信される情報は、無線による送受信の前後で、様々なネットワークを介して送受信される。そのため、近距離無線により送受信される情報は、無線による送受信の前後で、適切に送受信されない場合があった。又、ネットワーク毎にアドレス体系や通信プロトコルが異なるため、近距離無線により送受信される情報を、無線による送受信の前後で、簡単に送受信できない場合があった。その結果、近距離無線により、情報を容易に送受信できるものの、その前後において適切で簡単な送受信ができないため、全体として適切で簡単な情報の送受信が実現されない場合があった。
【０００７】
そこで、本発明は、近距離無線により送受信される情報を、無線による送受信の前後において、送信側や受信側が望む情報の単位毎に適した取り決めに従い、適切で簡単に送受信できる通信システム、無線通信装置、通信装置及び通信方法を提供することを目的とする。
【０００８】
【課題を解決するための手段】
本発明に係る通信システムは、情報送信装置と無線通信装置と端末装置との少なくとも二者間で行われる通信情報の送受信を行う通信システムである。本発明に係る通信システムは、近距離無線により通信情報を送受信する近距離無線通信手段と、その近距離無線通信手段が送受信する通信情報を、トンネルを介して送受信する通信手段と、通信手段がトンネルを介して通信情報を送受信する際の通信ポリシーを、オブジェクト単位毎に決定し、設定する通信ポリシー設定手段と、通信ポリシー設定手段によって設定された通信ポリシーに基づいて、トンネルを介した通信情報の送受信をオブジェクト単位毎に制御する通信制御手段とを備えることを特徴とする。
【０００９】
ここで、「通信ポリシー」とは、情報を送信する側と、情報を受信する側との間の取り決めであり、送信側から受信側に情報を送信する際の取り決めである。又、「オブジェクト単位」とは、情報の送信側や、情報の受信側が、ある情報を送信する場合に、１つの通信ポリシーの設定を望む情報の単位である。又、トンネルとは、特定のプロトコルやアドレス体系に従う情報や、特定のユーザの情報等、特定の情報だけが通信可能な通信路をいう。そのため、情報は、特定のプロトコルやアドレスでカプセル化されたり、認証処理を受けたりして、トンネル上で通信される。「通信情報」とは、近距離無線により送受信される情報である。
【００１０】
このような通信システムによれば、通信手段が、近距離無線通信手段が近距離無線により送受信する通信情報を、トンネルを介して送受信する。更に、通信ポリシー設定手段が、通信手段がトンネルを介して通信情報を送受信する際の通信ポリシーを、オブジェクト単位毎に決定し、設定する。そして、通信制御手段が、設定された通信ポリシーに基づいて、トンネルを介した通信情報の送受信をオブジェクト単位毎に制御する。そのため、通信システムは、近距離無線により送受信される通信情報を、無線による送受信の前後において、トンネルを介し、送信側や受信側が望む情報の単位毎に適した取り決めに従って、適切で簡単に送受信できる。
【００１１】
通信情報を構成するデータ単位として通信ポリシーを設定し、当該通信ポリシーに基づいて通信リソースを確保し、当該通信ポリシーに基づいてオブジェクトの送受信を制御することで、複数のオブジェクトを組み合わせて構成したマルチメディアコンテンツを送受信するに際し、高額の料金を支払ってもよいから全てのオブジェクトを最高の通信品質で受信したい、特定のオブジェクトについては通信品質を落としても良いから料金を安くして欲しいなどというような、コンテンツを受信するユーザの多様なニーズに柔軟に応えることができる。また、特定のオブジェクトについては通信品質を落としても良いから料金を安くして欲しいなどというような、ユーザによって合意された特定の条件下で通信品質を落とすといった送受信制御ができるため、限られた通信リソースを多くのユーザに対して効率よく割り当てることができる。
【００１２】
また領域単位、コミュニティ単位に通信ポリシーを設定し、当該通信ポリシーに基づいて通信リソースを確保し、当該通信ポリシーに基づいてコンテンツの送受信を制御することで、高額の料金を支払ってもよいからあらゆるユーザ状態（例えばユーザの存在する位置、所定のサービスに関するユーザ登録の有無）においてもコンテンツを最高の通信品質で受信したい、特定のユーザ状態にあるときは通信品質を落としても良いから料金を安くして欲しいなどというような、コンテンツを受信するユーザの多様なニーズに柔軟に応えることができる。また、特定のユーザ状態にあるときは通信品質を落としても良いから料金を安くして欲しいなどというような、ユーザによって合意された特定の条件下で通信品質を落とすといった送受信制御ができるため、限られた通信リソースを多くのユーザに対して効率よく割り当てることができる。
【００１３】
またセッション、コネクション、またはトンネルを単位として通信ポリシーを設定し、当該通信ポリシーに基づいて通信リソースを確保し、当該通信ポリシーに基づいてコンテンツの送受信を制御することで、高額の料金を支払ってもよいから全てのコネクション、セッションあるいはトンネルを利用したオブジェクトやコンテンツの送受信について最高の通信品質を確保したい、特定のコネクション、セッションあるいはトンネルを利用したオブジェクトやコンテンツの送受信については通信品質を落としても良いから料金を安くして欲しいなどというような、コンテンツを受信するユーザの多様なニーズに柔軟に応えることができる。また、特定のコネクション、セッションあるいはトンネルを利用したオブジェクトやコンテンツの送受信については通信品質を落としても良いから料金を安くして欲しいなどというような、ユーザによって合意された特定の条件下で通信品質を落とすといった送受信制御ができるため、限られた通信リソースを多くのユーザに対して効率よく割り当てることができる。
【００１４】
又、通信ポリシー設定手段は、通信情報、測定情報、位置情報、時間情報、ネットワークの状況、通信リソースの状況、近距離無線通信手段に関する情報、通信手段に関する情報、通信ポリシーの達成度、通信情報の送受信に関する通信料金又は要求されるリアルタイム性の少なくとも１つに基づいて、通信ポリシーを決定し、設定することが好ましい。これによれば、通信ポリシー設定手段は、様々な情報に基づいて、通信ポリシーを決定し、設定することができる。そのため、通信システムは、より適切な通信ポリシーに従って、トンネルを介した通信情報の送受信を行うことができる。
【００１５】
更に、通信システムは、通信ポリシーの設定条件を制御する設定条件制御手段を備え、通信ポリシー設定手段は、設定条件制御手段が制御した設定条件に基づいて、通信ポリシーを決定し、設定することが好ましい。これによれば、通信システムは、通信ポリシーの設定条件を制御できる。そのため、通信システムは、様々な設定条件に基づいて、通信ポリシーを決定し、設定できる。
【００１６】
又、複数の通信ポリシー設定手段が、相互に通信ポリシーの調整を行うようにしてもよい。これによれば、通信システムは、より適切な通信ポリシーに従って、通信情報を送受信できる。
【００１７】
通信ポリシー設定手段は、通信ポリシーとして、通信情報をトンネルを介して送受信する際の品質、通信形態、通信料金、通信スケジュール、変換方法、同期制御方法、通信ポリシーの設定規則、要求されるリアルタイム性の少なくとも１つに関する取り決めを設定することが好ましい。
【００１８】
更に、通信システムは、設定した通信ポリシーに基づいて、通信情報の送受信に通信リソースを予め割り当てるリソース割当手段を備えることが好ましい。これによれば、通信システムは、通信ポリシーを実現するために必要な通信リソースを予め確保してから、通信情報を送受信することができる。
【００１９】
又、通信システムは、設定した通信ポリシーに基づいて、通信情報を変換する変換手段を備えることが好ましい。これによれば、通信システムは、通信ポリシーを実現するために必要な通信情報の変換を行うことができる。
【００２０】
更に、通信システムは、ネットワークの状況、通信リソースの状況、近距離無線通信手段の状況、通信手段の状況、通信ポリシーの達成度の少なくとも１つを取得する取得手段を備えることが好ましい。これによれば、通信システムは、ネットワークの状況や通信リソースの状況、近距離無線通信手段や通信手段の状況、通信ポリシーの達成度を把握できる。そして、通信システムは、取得したこれらの情報に基づいて、通信ポリシーの設定を行うことができる。
【００２１】
又、通信システムは、近距離無線により提供される無線情報を送信する無線情報提供手段と、無線情報提供手段が送信した無線情報を受信する近距離無線受信手段と、近距離無線受信手段が受信した無線情報に基づいて、通信情報を特定する特定手段とを備えるようにしてもよい。「無線情報」とは、近距離無線により提供される情報である。これによれば、無線情報提供手段が、近距離無線により無線情報を送信する。近距離無線受信手段が、その無線情報を受信する。特定手段は、受信した無線情報に基づいて、通信情報を特定する。そのため、通信情報を利用するユーザは、ユーザに適した通信情報を容易に取得できる。
【００２２】
本発明に係る無線通信装置は、近距離無線により通信情報を送受信する近距離無線通信手段と、近距離無線通信手段が送受信する通信情報を、トンネルを介して送受信する通信手段と、オブジェクト単位毎に設定された通信手段がトンネルを介して通信情報を送受信する際の通信ポリシーに基づいて、トンネルを介した通信情報の送受信をオブジェクト単位毎に制御する通信制御手段とを備えることを特徴とする。
【００２３】
このような無線通信装置によれば、通信手段が、近距離無線通信手段が近距離無線により送受信する通信情報を、トンネルを介して送受信する。更に、通信制御手段が、オブジェクト単位毎に設定された通信手段がトンネルを介して通信情報を送受信する際の通信ポリシーに基づいて、トンネルを介した通信情報の送受信をオブジェクト単位毎に制御する。そのため、無線通信装置は、近距離無線により送受信される通信情報を、近距離無線による送受信の前後において、トンネルを介し、送信側や受信側が望む情報の単位毎に適した取り決めに従って、適切で簡単に送受信できる。更に、無線通信装置は、通信手段がトンネルを介して通信情報を送受信する際の通信ポリシーを、オブジェクト単位毎に決定し、設定する通信ポリシー設定手段を備えることが好ましい。これによれば、無線通信装置が、通信ポリシーを決定し、設定できる。
【００２４】
本発明に係る通信装置は、近距離無線により通信情報を送受信する無線通信装置とトンネルを介して通信情報を送受信する無線通信装置通信手段と、オブジェクト単位毎に設定された無線通信装置通信手段がトンネルを介して通信情報を送受信する際の通信ポリシーに基づいて、トンネルを介した通信情報の送受信をオブジェクト単位毎に制御する通信制御手段とを備えることを特徴とする。
【００２５】
このような通信装置によれば、無線通信装置通信手段が、無線通信装置と、トンネルを介して無線情報を送受信する。更に、通信制御手段が、オブジェクト単位毎に設定された無線通信装置通信手段がトンネルを介して通信情報を送受信する際の通信ポリシーに基づいて、トンネルを介した通信情報の送受信をオブジェクト単位毎に制御する。そのため、通信装置は、無線通信装置が近距離無線により送受信する通信情報を、近距離無線による送受信の前後において、トンネルを介し、送信側や受信側が望む情報の単位毎に適した取り決めに従って、適切で簡単に送受信できる。更に、通信装置は、無線通信装置通信手段がトンネルを介して通信情報を送受信する際の通信ポリシーを、オブジェクト単位毎に決定し、設定する通信ポリシー設定手段を備えることが好ましい。これによれば、通信装置が、通信ポリシーを決定し、設定できる。
【００２６】
本発明に係る通信方法は、無線通信装置が近距離無線により送受信する通信情報を、トンネルを介して送受信する際の通信ポリシーを、オブジェクト単位毎に決定して設定し、設定した通信ポリシーに基づいて、通信情報をトンネルを介してオブジェクト単位毎に送受信することを特徴する。又、通信ポリシーの設定条件を制御し、通信ポリシーの設定は、制御した設定条件に基づいて行うことが好ましい。
【００２７】
更に、設定した通信ポリシーに基づいて、通信情報の送信に通信リソースを予め割り当てることが好ましい。又、設定した通信ポリシーに基づいて、通信情報を変換するようにしてもよい。更に、ネットワークの状況、通信リソースの状況、無線通信装置の状況、通信ポリシーの達成度の少なくとも１つを取得することが好ましい。又、端末装置が、近距離無線により提供される無線情報を受信し、その端末装置が受信した無線情報に基づいて、通信情報を特定するようにしてもよい。
【００２８】
【発明の実施の形態】
以下、図面を参照して本発明の実施の形態について説明する。
【００２９】
［通信システム］
まず、通信システム１全体について説明する。図１に示すように、通信システム１は、複数の無線通信装置１０ａ〜１０ｅと、アクセス中継装置２０ａ，２０ｂと、複数の端末装置３０ａ，３０ｂと、複数の配信サーバ４０ａ〜４０ｃと、中継装置５０ａと、中継制御装置５０ｂと、ポータルサーバ６０と、課金サーバ７０とを備える。通信システム１は、配信サーバ４０ａ〜４０ｃと無線通信装置１０ｃ〜１０ｅと端末装置３０ａ，３０ｂの少なくとも二者間で行われる通信情報の送受信を行う通信システムである。
【００３０】
端末装置３０ａ，３０ｂは、無線通信装置１０ａ，１０ｂと近距離無線により通信する。ここで近距離とは、移動体通信で行われる移動機と基地局間のような距離に比べて、はるかに近い距離を指し、ＲＦ−ＩＤ（Ｒａｄｉｏ  Ｆｒｅｑｕｅｎｃｙ  ＩＤｅｎｔｉｆｉｃａｔｉｏｎ）、無線ＬＡＮ（Ｌｏｃａｌ  Ａｒｅａ  Ｎｅｔｗｏｒｋ）、ブルートゥース（Ｂｌｕｅｔｏｏｔｈ、登録商標）、赤外線等で提供される近距離通信にて提供される交信可能距離をいう。端末装置３０ａ，３０ｂは、近距離無線通信により無線情報を送受信する機構を装備する。
【００３１】
端末装置３０ａは、中継装置５０ａと近距離通信網３を介して通信する。近距離通信網３は、端末装置３０ａと基地局とを接続する無線ネットワークと、基地局と中継装置５０ａとを接続する通信回線を備える。端末装置３０ｂは、基地局と近距離無線による近距離無線通信を行う。端末装置３０ｂは、電波や赤外線を用いて基地局と通信する。端末装置３０ｂと基地局とを接続する無線ネットワークには、例えば、無線ＬＡＮ、ブルートゥース（登録商標）網、ＲＦＩＤ近距離通信網がある。
【００３２】
端末装置３０ｂは、中継装置５０ａと移動体通信網４を介して通信する。移動体通信網４は、端末装置３０ｂと基地局とを接続する無線ネットワークと、基地局と中継装置５０ａとを接続する通信回線を備える。端末装置３０ａは、基地局と近距離無線により通信する。無線通信装置１０ｃは、端末装置３０ｂと近距離無線により通信する。無線通信装置１０ｃは、中継装置５０ａと移動体通信網４を介して通信する。
【００３３】
中継装置５０ａは、アクセス中継装置２０ａ，２０ｂとＩＰトンネル５ａ，５ｂを介して通信する。ＩＰトンネル５ａ，５ｂは、通信プロトコルとして、ＩＰ（Ｉｎｔｅｒｎｅｔ  Ｐｒｏｔｏｃｏｌ）を用いるトンネルである。ＩＰトンネル５ａ，５ｂは、中継装置５０ａとアクセス中継装置２０ａ，２０ｂとの間のネットワーク上に確立されている。中継装置５０ａは、無線通信装置１０ｄとネットワークを介して通信する。中継装置５０ａとアクセス中継装置２０ａ，２０ｂや無線通信装置１０ｄとの間のネットワークとしては、例えば、移動体通信網、近距離通信網、フレームリレー網、有線通信網、インターネット、仮想プライベートネットワーク（ＶＰＮ：Ｖｉｒｔｕａｌ  Ｐｒｉｖａｔｅ  Ｎｅｔｗｏｒｋ）、ＡＴＭ（Ａｓｙｎｃｈｒｏｎｏｕｓ  Ｔｒａｎｓｆｅｒ  Ｍｏｄｅ）網、ＡＤＳＬ（Ａｓｙｍｍｅｔｒｉｃ  Ｄｉｇｉｔａｌ  Ｓｕｂｓｃｒｉｂｅｒ  Ｌｉｎｅ）網、ＣＡＴＶ（Ｃａｂｌｅ  Ｔｅｌｅｖｉｓｉｏｎ）網、光ファイバ網、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）等を用いることができる。
【００３４】
配信サーバ４０ａ〜４０ｃは、アクセス中継装置２０ａ，２０ｂを介して、ネットワークに接続する。アクセス中継装置２０ａ，２０ｂは、配信サーバ４０ａ〜４０ｃとネットワークとの間の中継を行い、配信サーバ４０ａ〜４０ｃを、ネットワークと接続する。無線通信装置１０ｅは、無線通信装置１０ｄと近距離無線により通信する。尚、中継装置５０ａ、中継制御装置５０ｂ、ポータルサーバ６０、課金サーバ７０は、相互にネットワークを介して通信する。
【００３５】
通信システム１では、無線通信装置１０ａ〜１０ｃが、端末装置３０ａ，３０ｂに無線情報を送信する。端末装置３０ａ，３０ｂは、無線情報を受信する。通信システム１は、端末装置３０ａ，３０ｂが受信した無線情報に基づいて、提供情報を特定する。提供情報は、配信サーバ４０ａ〜４０ｃが提供する情報である。提供情報の特定は、無線通信装置１０ｃ〜１０ｅ、端末装置３０ａ又は配信サーバ４０ａのいずれが行ってもよい。そして、配信サーバ４０ａ〜４０ｃが、特定した提供情報を端末装置３０ａ，３０ｂに送信する。
【００３６】
このとき、無線通信装置１０ｃと中継装置５０ａは、移動体通信網４上に、トンネル（Ｄ）１ｄを確立する。中継装置５０ａとアクセス中継装置２０ａは、ＩＰトンネル５ｂ内に、トンネル（Ｇ）１ｇを確立する。配信サーバ４０ａは、アクセス中継装置２０ａを介して、トンネル（Ｇ）１ｇに接続する。又、端末装置３０ｂは、無線通信装置１０ｃと近距離無線により通信する。そして、端末装置３０ｂ、無線通信装置１０ｃ、中継装置５０ａ、アクセス中継装置２０ａ、配信サーバ４０ａは、トンネル（Ｄ）１ｄ及びトンネル（Ｇ）１ｇ内に、セッション（Ｄ）２ｄを確立する。そして、配信サーバ４０ａが、セッション（Ｄ）２ｄを用いて、提供情報を端末装置３０ｂに送信する。このように、無線通信装置１０ｃは、トンネル（Ｄ）１ｄを介して、提供情報を受信する。そして、無線通信装置１０ｃは、トンネル（Ｄ）１ｄを介して受信した提供情報を、近距離無線により端末装置３０ｂに送信する。尚、セッションとは、送信側と受信側との間で行う通信の開始から終了までの一連の処理を行う通信路をいう。
【００３７】
又、端末装置３０ａと中継装置５０ａとは、近距離通信網３上に、トンネル（Ａ）１ａを確立する。中継装置５０ａとアクセス中継装置２０ｂは、ＩＰトンネル５ａ内に、トンネル（Ｅ）１ｅを確立する。配信サーバ４０ｂは、アクセス中継装置２０ｂを介して、トンネル（Ｅ）１ｅに接続する。そして、端末装置３０ａ、中継装置５０ａ、アクセス中継装置２０ｂ、配信サーバ４０ｂは、トンネル（Ａ）１ａ及びトンネル（Ｅ）１ｅ内に、セッション（Ａ）２ａを確立する。そして、配信サーバ４０ｂが、セッション（Ａ）２ａを用いて、提供情報を端末装置３０ａに送信する。
【００３８】
更に、端末装置３０ａと中継装置５０ａは、近距離通信網３上に、トンネル（Ｃ）１ｃを確立する。中継装置５０ａとアクセス中継装置２０ａは、ＩＰトンネル５ｂ内に、トンネル（Ｆ）１ｆを確立する。配信サーバ４０ｃは、アクセス中継装置２０ａを介して、トンネル（Ｆ）１ｆに接続する。そして、端末装置３０ａ、中継装置５０ａ、アクセス中継装置２０ａ、配信サーバ４０ｃは、トンネル（Ｃ）１ｃ及びトンネル（Ｆ）１ｆ内に、セッション（Ｃ）２ｃを確立する。そして、配信サーバ４０ｃが、セッション（Ｃ）２ｃを用いて、提供情報を端末装置３０ａに送信する。尚、各トンネル（Ａ）１ａ〜トンネル（Ｇ）１ｇでは、それぞれ独自のプライベートアドレスを用いて情報を送受信する。
【００３９】
又、通信システム１では、端末装置３０ａが、無線通信装置１０ｄに対して、無線通信装置１０ｅが提供する無線情報を要求することもできる。無線通信装置１０ｄは、端末装置３０ａから、無線通信装置１０ｅの無線情報の要求を受けると、無線通信装置１０ｅから、近距離無線により無線情報を受信する。そして、無線通信装置１０ｄが、端末装置３０ａに無線情報を送信する。このとき、端末装置３０ａと、無線通信装置１０ｄは、近距離通信網３及び中継装置５０ａと無線通信装置１０ｄとの間のネットワーク上に、トンネル（Ｂ）１ｄを確立する。そして、端末装置３０ａ、中継装置５０ａ、無線通信装置１０ｄは、トンネル（Ｂ）１ｂ内に、セッション（Ｂ）２ｂを確立する。そして、無線通信装置１０ｄが、セッション（Ｂ）２ｂを用いて、無線通信装置１０ｅが提供する無線情報を端末装置３０ａに送信する。このように、無線通信装置１０ｄは、近距離無線により、無線通信装置１０ｅから無線情報を受信する。そして、無線通信装置１０ｄは、受信した無線情報を、トンネル（Ｂ）１ｂを介して、端末装置３０ａに送信する。
【００４０】
このように、近距離無線により送受信される通信情報には、提供情報や無線情報がある。
【００４１】
通信システム１は、無線通信装置１０ｃが、トンネル（Ｄ）１ｄを介して、近距離無線により端末装置３０ｂに送信する提供情報を受信する際の通信ポリシーや、無線通信装置１０ｄが、無線通信装置１０ｅから近距離無線により受信した無線情報を、トンネル（Ｂ）１ｂを介して、端末装置３０ａに送信する際の通信ポリシーを、オブジェクト単位毎に決定し、設定する。即ち、通信システムは、トンネルを介して、提供情報や無線情報などの通信情報を送受信する際の通信ポリシーをオブジェクト単位毎に決定し、設定する。
【００４２】
通信ポリシーの設定は、無線通信装置１０ｃ〜１０ｅ、端末装置３０ａ、配信サーバ４０ａ、中継制御装置５０ｂのいずれが行ってもよい。又、通信ポリシーの設定は、無線通信装置１０ｃ〜１０ｅ、端末装置３０ａ、配信サーバ４０ａ、中継制御装置５０ｂのいずれが単独で行ってもよく、２つ以上が共同で行ってもよい。通信ポリシーの設定には、通信ポリシーを制御すること、通信ポリシーを調整すること、一度設定した通信ポリシーを再度設定し直して変更すること、通信ポリシーの適用を制限することなどが含まれる。尚、通信システム１は、提供情報を送信する際の通信ポリシーを決定し、設定した後に、提供情報を特定してもよい。
【００４３】
そして、無線通信装置１０ｃ，１０ｄは、上記したトンネル（Ｄ）１ｄ、トンネル（Ｂ）１ｂを介した提供情報や無線情報の送受信を、設定した通信ポリシーに基づいて、オブジェクト単位毎に行う。
【００４４】
次に、各装置について詳細に説明する。
【００４５】
〔無線通信装置〕
無線通信装置１０ａ〜１０ｅは、近距離無線により情報を送受信する。無線通信装置１０ａ〜１０ｅは、あらゆる物体に付けられる。無線通信装置１０ａ〜１０ｅは、例えば、人、商品、所有物、印刷物、看板、ポスター、掲示板、装置、食料品、家電製品、荷物、バスや電車などの移動手段、建物や橋、信号機などの建造物などに付けられる。無線通信装置１０ａ〜１０ｅが付けられている物体を、その無線通信装置１０ａ〜１０ｅの対象物という。
【００４６】
無線通信装置１０ａ〜１０ｅが提供する無線情報には、対象物に関する対象物情報がある。対象物情報には、対象物を識別する識別子（以下「モノＩＤ」という）がある。モノＩＤとしては、例えば、装置や食料品の製造番号や製造記号、人、商品、所有物、看板、荷物、移動手段、建造物に付与した番号や記号、文字などを用いることができる。対象物情報は、例えば、対象物の説明文や説明図、対象物の映像、対象物と関連するサービス名、サービス内容、サービス利用料金、サービス提供時間などのサービス情報などがある。又、例えば、対象物が装置の場合、対象物情報には、装置の型番、構成部品、製造元等の装置に関する情報がある。対象物が食料品の場合、対象物情報には、食料品の種類、原材料、製造過程、値段、消費期限等の食料品に関する情報がある。対象物が建造物や看板の場合、対象物情報には、その位置情報などがある。対象物がバスや電車の場合、その運行経路、停留所名や停車駅名、時刻表、移動速度などがある。又、対象物が個人の所有物である鞄などの場合、対象物情報には、鞄に関する情報だけでなく、その鞄に入っている物に関する情報がある。同様に、対象物が部屋の壁である場合、対象物情報には、その部屋にある物に関する情報がある。このように、対象物情報は、対象物そのものだけでなく、対象物に関わる複数の物体に関する情報を含んでもよい。
【００４７】
又、複数の無線通信装置１０ａ〜１０ｅは、領域を特定できる。例えば、建物の壁や天井に付けられた複数の無線通信装置１０ａ〜１０ｅや、看板や橋、信号機に付けられた複数の無線通信装置１０ａ〜１０ｄｅが、領域を特定する。特定する領域は、２次元の領域であっても、３次元の領域であってもよい。複数の無線通信装置１０ａ〜１０ｅが特定する領域を、複数の無線通信装置１０ａ〜１０ｄの対象領域という。１つの無線通信装置が、重複して複数の対象領域の特定に加わってもよい。無線情報には、この対象領域に関する対象領域情報がある。対象領域情報には、対象領域を識別する識別子（以下「領域ＩＤ」という）がある。領域ＩＤとしては、対象領域に付与した番号や記号、文字などを用いることができる。又、対象領域情報には、領域に存在する物や人に関する情報や、領域の位置情報、温度や湿度等の領域の状況などがある。
【００４８】
更に、無線情報には、無線通信装置１０ａ〜１０ｅに関する無線通信装置情報がある。無線通信装置情報には、無線通信装置１０ａ〜１０ｅを識別する識別子（以下「タグＩＤ」という）がある。タグＩＤとしては、無線通信装置１０ａ〜１０ｅに付与した番号や記号、文字などを用いることができる。又、無線通信装置情報には、無線通信装置１０ａ〜１０ｅ全体に関する情報と、無線通信装置１０ａ〜１０ｅを構成する各構成に関する情報がある。又、無線通信装置情報には、無線通信装置１０ａ〜１０ｅの位置情報、無線通信装置１０ａ〜１０ｅの処理能力や通信速度、容量などの無線通信装置の性能に関する情報、無線通信装置１０ａ〜１０ｅの負荷状況や処理状況、無線通信装置１０ａ〜１０ｅが希望する通信ポリシー、通信料金の希望上限額、提供してもよい無線通信装置１０ａ〜１０ｅに関する通信リソース、希望するオブジェクト単位、要求する品質、要求されるリアルタイム性、アドレスなどがある。尚、要求されるリアルタイム性とは、情報の送信を急ぐ程度をいう。情報の送信を急ぐほど、要求されるリアルタイム性が高く、情報の送信がゆっくりであってもよいほど、要求されるリアルタイム性が低い。
【００４９】
具体的には、送信完了予定時刻が早いほど、送信開始から完了までの送信所要時間や許容遅延時間が短いほど、移動速度が大きいほど、現在の送信完了予定時刻が現在時刻に近いほど、通信速度が大きいほど、許容ジッターが小さいほど、課金単価が高いほど、未送信のデータ容量が大きいほど、要求されるリアルタイム性が高くなるように定められる。
【００５０】
又、複数の無線通信装置１０ａ〜１０ｅは、グループを形成してもよい（以下、複数の無線通信装置が形成するグループを「タググループ」という）。例えば、特定の領域に存在する無線通信装置１０ａ〜１０ｅでタググループを形成できる。又、タググループに属することができる一定数を定め、任意の無線通信装置１０ａ〜１０ｅが一定数集合することによりタググループを形成できる。又、特定の領域に存在する無線通信装置１０ａ〜１０ｅを、一定数で区切ったタググループを形成できる。無線通信装置情報には、このタググループを識別する識別子（以下「タググループＩＤ」という）や、タググループに関する情報がある。タググループＩＤとしては、タググループに付与した番号や記号、文字などを用いることができる。
【００５１】
更に、無線情報には、ユーザに通知する広告情報がある。広告情報には、不特定多数のユーザを対象に通知する情報や、特定のユーザを対象に通知する情報がある。広告情報には、例えば、講演会や学会発表、討論会、コンサートなどのイベント情報、会議の開催情報、テレビやラジオなどの放送情報、店舗情報、遊戯施設情報、観光情報、映画情報、商品やサービスに関する情報、アドレス情報、配信情報などがある。イベント情報や開催情報には、例えば、場所や開始時刻などがある。放送情報には、放送開始時刻や番組内容、出演者情報などがある。店舗情報や遊戯施設情報、観光情報には、場所、利用時間、値段、割引情報などがある。商品やサービスに関する情報は、名称、特徴、値段などがある。アドレス情報には、ＵＲＬ（Ｕｎｉｆｏｒｍ  Ｒｅｓｏｕｒｃｅ  Ｌｏｃａｔｏｒ）で表記されたアドレスや、そのリストなどがある。
【００５２】
配信情報は、提供情報の送信に関する情報である。配信情報には、提供情報の送信を予告する予告通知がある。予告通知には、送信開始日時、送信される提供情報の受信の準備の指示などが含まれる。尚、無線通信装置１０ａ〜１０ｅは、配信情報を、特定の領域に存在する端末装置３０ａ，３０ｂや、特定のユーザに限って送信してもよい。又、複数の無線通信装置１０ａ〜１０ｅが、配信情報を送信してもよい。又、広告情報は、無線通信装置１０ａ〜１０ｅが存在する位置や時間に応じた情報を用いることが好ましい。
【００５３】
無線通信装置１０ａ〜１０ｅは、広告情報に応じて配置されることが好ましい。具体的には、無線通信装置１０ａ〜１０ｅは、広告情報を必要とするユーザや、広告情報を利用する可能性のあるユーザが多数存在する場所にある物体に付けられて、配置される。例えば、講演会や学会発表に関する情報を送信する無線通信装置１０ａ〜１０ｅは、学校や研究所などに配置する。コンサートに関する情報を送信する無線通信装置１０ａ〜１０ｅは、コンサート会場周辺に配置する。会議の開催情報を送信する無線通信装置１０ａ〜１０ｅは、会社に配置する。店舗情報や遊戯施設情報を送信する無線通信装置１０ａ〜１０ｅは、店舗や遊戯施設内に配置する。観光情報を送信する無線通信装置１０ａ〜１０ｅは、観光地に配置する。又、無線通信装置１０ａ〜１０ｅは、無線通信装置１０ａ〜１０ｅの性能に応じて配置されてもよい。
【００５４】
無線通信装置の種類には、機能により分類した場合、アクティブタグ、パッシブタグ、セミパッシブタグがある。アクティブタグは、無線通信装置の方から無線情報を送信する無線通信装置である。パッシブタグは、要求を受けて無線情報送信する無線通信装置である。セミパッシブタグは、無線装置の方から無線情報を送信し、かつ、要求を受けた場合には要求に応じて無線情報を送信する無線通信装置である。即ち、セミパッシブタグは、アクティブタグとパッシブタグ両方の機能を備えている。前者ほど、低価格化、小型化が可能であり、大量に物体に付けられる利点がある。又、アクティブタグとセミパッシブタグは、無線通信装置の方から無線情報を送信する場合、定期的に送信してもよく、ランダムに送信してもよい。アクティブタグ、パッシブタグ、セミパッシブタグは、無線情報をマルチキャスト送信できる。
【００５５】
又、図２（ａ）、（ｂ）、図３に示すように、無線通信装置１０ａ〜１０ｃは、無線通信部１１ａ〜１１ｃを備える。尚、無線通信装置１０ｄは、無線通信装置１０ｃと同様の構成を備える。無線通信装置１０ｅは、無線通信装置１０ｂと同様の構成を備える。無線通信部１１ａ〜１１ｃは、近距離無線により通信する。無線通信部１１ａ〜１１ｃは、電波や赤外線を用いて情報を送受信する。
【００５６】
無線通信装置１０ａ〜１０ｅの種類には、この無線通信部１１ａ〜１１ｃの種類により分類した場合、例えば、無線通信部１１ａ〜１１ｃにＩｒＤＡを用いるＩｒＤＡタグ、無線通信部１１ａ〜１１ｃにブルートゥース（登録商標）を用いるブルートゥースタグ、無線通信部１１ａ〜１１ｃがＲＦ電波による通信を行うＲＦタグやＲＦ−ＩＤタグ、無線通信部１１ａ〜１１ｃに無線ＬＡＮインタフェースを用いる無線ＬＡＮタグ、無線通信部１１ａ〜１１ｃにバーコードを用いるバーコードタグ、無線通信部１１ａ〜１１ｃにＤＳＲＣを用いるＤＳＲＣタグがある。
【００５７】
次に、無線通信装置１０ａ〜１０ｅの具体的な構成について説明する。図２（ａ）に示すように、無線通信装置１０ａは、無線通信部１１ａと、無線情報記憶部１２とを備える。無線情報記憶部１２は、無線情報を記憶する無線情報記憶手段である。無線情報記憶部１２は、無線情報だけでなく、無線情報に関する情報も記憶する。無線情報に関する情報には、無線情報を識別する識別子（以下「無線情報ＩＤ」という）、無線情報のデータ量、無線情報の送信に要する平均時間、無線情報を構成するデータの種類、無線情報のデータ品質、無線情報の送信に推奨する通信ポリシー（以下「推奨通信ポリシー」という）、無線情報の要求されるリアルタイム性、無線情報を区切るオブジェクト単位、無線情報の料金などがある。
【００５８】
無線通信部１１ａは、近距離無線により提供される無線情報を送信する無線情報提供手段である。無線通信部１１ａは、無線情報記憶部１２から、定期的に又はランダムに無線情報と無線情報に関する情報を取得する。無線通信部１１ａは、取得した無線情報を端末装置３０ａ，３０ｂに送信する。このとき、無線通信部１１ａは、無線情報に関する情報を付加した無線情報を送信する。このように無線通信装置１０ａは、アクティブタグとして機能する。
【００５９】
図２（ｂ）に示すように、無線通信装置１０ｂは、無線通信部１１ｂと、無線情報記憶部１２と、無線情報提供部１２ｂと、ユーザ情報データベース１３とを備える。ユーザ情報データベース１３は、端末装置３０ａ，３０ｂに関する端末情報を記憶する端末情報記憶手段である。
【００６０】
端末情報には、端末装置３０ａ，３０ｂを使用するユーザを識別する識別子（以下「ユーザＩＤ」という）がある。ユーザＩＤとしては、例えば、電話番号、ＵＩＭ（Ｕｓｅｒ  Ｉｄｅｎｔｉｆｙ  Ｍｏｄｕｌｅ）カードＩＤ、社員番号、クレジットカード番号、契約者番号、自動車運転免許証番号、銀行口座番号、住民番号、端末装置３０ａ，３０ｂの識別子（以下「端末ＩＤ」という）、ユーザに付与した番号や記号、文字などを用いることができる。又、端末情報には、パスワードがある。
【００６１】
又、端末情報には、例えば、ユーザの年齢、性別、資産、住所、職業、嗜好、アドレス、契約内容などのユーザの属性情報がある。又、端末情報には、端末装置３０ａ，３０ｂ全体に関する情報と、端末装置３０ａ，３０ｂを構成する各構成に関する情報がある。端末情報には、端末装置３０ａ，３０ｂの位置情報、端末装置の処理能力や通信速度、容量などの端末装置の性能に関する情報、端末装置の負荷状況や処理状況、端末装置３０ａ，３０ｂが希望する通信ポリシーや情報の種類、通信料金の希望上限額、提供してもよい端末装置３０ａ，３０ｂに関する通信リソース、希望するオブジェクト単位、要求する品質、要求されるリアルタイム性などがある。例えば、端末装置３０ａ，３０ｂは、通信ポリシーとして、端末装置の性能や、端末装置３０ａ，３０ｂが受信する他の通信情報を考慮して、通信情報の送信に適用可能な通信ポリシーを要求する。又、端末情報には、端末装置３０ａ，３０ｂがこれまでに受信した無線情報、提供情報などの履歴に関する情報がある。
【００６２】
又、複数の端末装置３０ａ，３０ｂは、グループを形成してもよい（以下、複数の端末装置が形成するグループを「端末グループ」という）。例えば、特定の領域に存在する端末装置３０ａ，３０ｂで端末グループを形成できる。又、端末グループに属することができる一定数を定め、任意の端末装置３０ａ，３０ｂが一定数集合することにより端末グループを形成できる。又、特定の領域に存在する端末装置３０ａ，３０ｂを、一定数で区切った端末グループを形成できる。端末情報には、この端末グループを識別する識別子（以下「端末グループＩＤ」という）や、端末グループに関する情報がある。端末グループＩＤとしては、端末グループに付与した番号や記号、文字などを用いることができる。
【００６３】
無線情報には、不特定多数のユーザが利用できる情報と、特定のユーザにその利用を限定した情報がある。無線情報の利用を許可されたユーザを、特に無線情報ユーザという。同様に、提供情報には、不特定多数のユーザが利用できる情報と、特定のユーザにその利用を限定した情報がある。提供情報の利用を許可されたユーザを、特に提供情報ユーザという。
【００６４】
例えば、会社や学校、団体が、その社員や生徒、会員だけに利用を許可する場合には、社員や生徒、会員が無線情報ユーザ、提供情報ユーザとなる。無線情報や提供情報、処理を提供する事業者が、その利用について契約をした者だけに利用を許可する場合には、契約者が無線情報ユーザ、提供情報ユーザとなる。無線通信装置が個人の所有物に付されている場合や、個人が提供情報を提供する場合には、所有者自身や提供者自身、所有者や提供者が利用を許可する家族や友人が、無線情報ユーザ、提供情報ユーザとなる。端末情報には、ユーザが無線情報ユーザであるか否か、ユーザが提供情報ユーザであるか否かも含まれる。ユーザ情報データベース１３は、ユーザＩＤに対応付けて、その他の端末情報を記憶する。
【００６５】
無線通信部１１ｂは、無線情報提供手段である。無線通信部１１ｂは、端末装置３０ａ，３０ｂから、無線情報の送信の要求を受信する。無線通信部１１ｂは、受信した要求を無線情報提供部１２ｂに入力する。端末装置３０ａ，３０ｂからの無線情報の送信の要求には、ユーザＩＤとパスワードが含まれる。又、無線通信部１１ｂは、無線情報提供部１２ｂから無線情報と無線情報に関する情報を取得する。無線通信部１１ｂは、取得した無線情報を端末装置３０ａ，３０ｂに送信する。
【００６６】
無線情報提供部１２ｂは、無線通信部１１ｂから、無線情報の送信の要求を取得する。無線情報提供部１２ｂは、要求してきたユーザが、無線情報ユーザであるか否かを認証する。具体的には、無線情報提供部１２ｂは、無線情報の送信の要求に含まれるユーザＩＤとパスワードが、ユーザ情報データベース１３に記憶された無線情報ユーザのユーザＩＤとパスワードと一致するかを判断する。無線情報提供部１２ｂは、ユーザＩＤとパスワードが一致する場合には、無線情報ユーザであると判断する。そして、無線情報提供部１２ｂは、無線情報記憶部１２から無線情報と無線情報に関する情報を取得する。無線情報提供部１２ｂは、取得した無線情報に関する情報を付加した無線情報を無線通信部１１ｂに入力する。一方、無線情報提供部１２ｂは、ユーザＩＤとパスワードが一致しない場合には、無線情報ユーザではないと判断する。この場合、無線情報提供部１２ｂは無線情報を取得しない。そのため、無線情報ユーザでない場合には無線情報は送信されない。このようにして、無線情報提供部１２ｂは、無線情報の送信を無線情報ユーザに制限する。
【００６７】
又、無線情報提供部１２ｂは、同時に無線情報を送信するユーザ数を制限してもよい。無線情報提供部１２ｂは、無線通信部１１ｂが無線情報を送信している端末装置３０ａ，３０ｂの数を、無線通信部１１ｂから取得する。そして、無線情報提供部１２ｂは、無線情報の送信の要求を取得した際に、制限するユーザ数と、無線情報を送信している端末装置３０ａ，３０ｂの数とを比較する。無線情報提供部１２ｂは、無線情報を送信している端末装置３０ａ，３０ｂの数が、制限するユーザ数未満の場合には、無線情報記憶部１２から無線情報を取得する。一方、無線情報提供部１２ｂは、無線情報を送信している端末装置３０ａ，３０ｂの数が、制限するユーザ数以上の場合には、無線情報を取得しない。
【００６８】
又、無線通信装置１０ｂは、無線通信装置１０ｂの方から無線情報を送信する際に、端末装置３０ａ，３０ｂに対して、ユーザＩＤとパスワードを要求してもよい。この場合、無線情報提供部１２ｂが、ユーザＩＤとパスワードの要求を無線通信部１１ｂに入力する。無線通信部１１ｂは、端末装置３０ａ，３０ｂに、ユーザＩＤとパスワードの要求を送信する。無線通信部１１ｂは、端末装置３０ａ，３０ｂからのユーザＩＤとパスワードを含む応答を受信する。無線通信部１１ｂは、受信した応答を無線情報提供部１２ｂに入力する。そして、無線情報提供部１２ｂが、応答してきたユーザが、無線情報ユーザであるか否かを認証する。無線情報提供部１２ｂは、ユーザＩＤとパスワードが一致する場合には、無線情報記憶部１２から無線情報を取得する。一方、無線情報提供部１２ｂは、ユーザＩＤとパスワードが一致しない場合には、無線情報を取得しない。このようにして、無線通信装置１０ｂの方から無線情報を送信する場合であっても、無線情報の送信を無線情報ユーザに制限できる。
【００６９】
更に、無線情報提供部１２ｂは、端末装置３０ａ，３０ｂの性能に応じて、無線情報の送信を制限してもよい。この場合には、無線情報提供部１２ｂは、無線情報の受信に必要な端末装置３０ａ，３０ｂの性能を記憶しておく。無線情報提供部１２ｂは、要求や応答に含まれるユーザＩＤに基づいて、ユーザ情報データベース１３から端末装置の性能に関する情報を取得する。無線情報提供部１２ｂは、取得した端末装置の性能に関する情報と必要な性能を比較して、無線情報の送信を制限する。又、無線情報提供部１２ｂは、ユーザの年齢などの属性情報に応じて、無線情報の送信を制限してもよい。この場合には、無線情報提供部１２ｂは、無線情報の送信が可能なユーザの属性情報を記憶しておく。無線情報提供部１２ｂは、要求や応答に含まれるユーザＩＤに基づいて、ユーザ情報データベース１３からユーザの属性情報を取得する。無線情報提供部１２ｂは、取得した属性情報と送信が可能な属性情報を比較して、無線情報の送信を制限する。
【００７０】
このように、無線情報提供部１２ｂは、無線通信部１１ｂによる無線情報の送信を制限する無線情報制限手段として機能する。これにより、無線通信装置１０ｂは、無線情報の利用が特定のユーザに限られている場合に、そのユーザにのみ無線情報を送信できる。又、無線通信装置１０ｂは、無線情報を同時に送信できるユーザ数を制限したい場合に、制限された数のユーザにだけ無線情報を送信できる。又、無線通信装置１０ｂは、アクティブタグ、パッシブタグ、セミパッシブタグのいずれとしても機能できる。
【００７１】
尚、無線通信装置１０ｅの場合、無線通信装置１０ｄを介して、端末装置３０ａ，３０ｂとやりとりすることができる。例えば、無線通信装置１０ｅは、無線通信装置１０ｄを介して、端末装置３０ａ，３０ｅからの無線情報の送信の要求を受信したり、取得した無線情報を送信したりできる。
【００７２】
図３に示すように、無線通信装置１０ｃは、無線通信部１１ｃと、無線情報記憶部１２と、無線情報提供部１２ｃと、ユーザ情報データベース１３と、通信部１４ｃと、提供情報特定部１５と、通信ポリシー設定部１６と、通信ポリシーデータベース１６ａと、通信制御部１７と、変換部１８と、監視部１９ａと、時計部１９ｂと、無線装置情報記憶部１９ｃと、測定部１９ｄとを備える。
【００７３】
無線通信部１１ｃは、無線情報提供手段である。無線通信部１１ｃは、端末装置３０ｂから、ユーザＩＤを含む無線情報の送信の要求を受信する。あるいは、無線通信部１１ｃは、無線情報提供部１２ｃから、ユーザＩＤの要求を取得する。無線通信部１１ｃは、端末装置３０ｂに、取得したユーザＩＤの要求を送信する。無線通信部１１ｃは、端末装置３０ｂからユーザＩＤを含む応答を受信する。無線通信部１１ｃは、受信した要求や応答を無線情報提供部１２ｃに入力する。又、無線通信部１１ｃは、無線情報提供部１２ｃから無線情報を取得する。無線通信部１１ｃは、取得した無線情報を端末装置３０ｂに送信する。
【００７４】
無線情報提供部１２ｃは、無線通信部１１ｃから、無線情報の送信の要求や、ユーザＩＤの要求に対する応答を取得する。無線情報提供部１２ｃは、要求や応答に含まれるユーザＩＤに基づいて、ユーザ情報データベース１３を検索する。そして、無線情報提供部１２ｃは、ユーザＩＤに対応付けられている端末情報を取得する。又、無線情報提供部１２ｃは、時計部１９ｂから現在時刻などの時間情報を取得する。時計部１９ｂは、時刻を提供する。又、時計部１９ｂは、時間を測定する。
【００７５】
無線情報提供部１２ｃは、取得した端末情報、時間情報に基づいて、無線情報記憶部１２を検索する。そして、無線情報提供部１２ｃは、端末情報、時間情報に適した無線情報を特定する。無線情報提供部１２ｃは、特定した無線情報を、無線情報記憶部１２から取得する。無線情報提供部１２ｃは、取得した無線情報に関する情報を付加した無線情報を無線通信部１１ｃに入力する。このように、無線情報提供部１２ｃは、送信する無線情報を特定する無線情報特定手段として機能する。
【００７６】
又、無線通信装置１０ｃが、無線情報ユーザへの無線情報を送信する場合には、無線通信部１１ｃ及び無線情報提供部１２ｃは、図２（ｂ）に示した無線通信部１１ｂ及び無線情報提供部１２ｂと同様にして、無線情報ユーザであるか否かの認証を行い、無線情報の送信を無線情報ユーザに制限する。無線通信部１１ｃ及び無線情報提供部１２ｃは、無線通信部１１ｂ及び無線情報提供部１２ｂと同様にして、同時に無線情報を送信するユーザ数を制限してもよい。又、無線通信部１１ｃ及び無線情報提供部１２ｃは、端末装置３０ｂの性能やユーザの属性情報に応じて、無線情報の送信を制限してもよい。又、無線通信装置１０ｃは、アクティブタグ、パッシブタグ、セミパッシブタグのいずれとしても機能できる。
【００７７】
監視部１９ａは、ネットワークの状況を監視する。具体的には、監視部１９ａは、無線通信部１１ｃを介して、無線通信装置１０ｃと端末装置３０ｂとの間のネットワークの状況を取得する。監視部１９ａは、通信部１４ｃを介して、移動体通信網４の状況を取得する。ネットワークの状況には、ネットワークにおけるトラヒック量（通信量）、輻輳状況、それらの変化量、平均値などがある。トラヒック量は、ネットワーク全体のトラヒック量であってもよく、ある領域におけるトラヒック量であってもよい。領域におけるトラヒック量には、領域に存在する端末装置３０ａ，３０ｂの数、領域内で、ある時点において通信を行っている端末装置３０ａ，３０ｂの数（以下「同時利用数」という）がある。トラヒック量を監視する領域は、新たに設定してもよく、基地局がカバーするセルなどの既存の領域を用いてもよい。監視部１９ａは、例えば、通信部１４ｃを介して、ネットワーク上に配置された監視装置から、ネットワークの状況を取得する。又、監視部１９ａは、通信部１４ｃを介して、ネットワークを構成する基地局から、基地局がカバーするセルにおけるトラヒック量などを取得できる。
【００７８】
又、監視部１９ａは、通信リソースの状況を監視する。具体的には、監視部１９ａは、無線通信部１１ｃから、無線通信装置１０ｃと端末装置３０ｂとの間の通信リソースの状況を取得する。通信リソースの状況は、ネットワーク全体の通信リソースの状況であってもよく、ある領域における通信リソースの状況であってもよい。監視部１９ａは、通信部１４ｃから、無線通信装置１０ｃと中継装置５０ａとの間の通信リソースの状況を取得する。通信リソースの状況には、情報の送受信に使用している使用通信リソース量、使用していない空き通信リソース量、それらの変化量、平均値がある。
【００７９】
更に、監視部１９ａは、無線通信部１１ｃ、通信部１４ｃ、通信制御部１７、変換部１８の状況を監視する。監視部１９ａは、無線通信部１１ｃ、通信部１４ｃ、通信制御部１７、無線情報提供部１２ｄ、変換部１８から、その負荷状況や処理状況を取得する。例えば、監視部１９ａは、無線通信部１１ｃが情報の送受信をしている通信中の端末装置の数、無線通信部１１ｃと端末装置３０ｂとの間の通信路の数、通信部１４ｃが中継装置５０ａと送受信しているデータ量、通信制御部１７が制御している通信路の数、無線情報提供部１２ｃが行う処理量、変換部１８が行うデータ変換量などの負荷状況を取得する。監視部１９ａは、無線通信部１１ｃや通信部１４ｃが送受信を終了させた情報の割合、無線情報提供部１２ｃが終了させた処理量の割合、変換部１８が変換を終了させたデータ量の割合などの処理状況を取得する。更に、監視部１９ａは、無線通信部１１ｃ、通信部１４ｃ、通信制御部１７、変換部１８の負荷状況や処理状況から、無線通信装置１０ｃ全体の負荷状況や処理状況を求めてもよい。
【００８０】
又、監視部１９ａは、通信ポリシーの達成度を監視する。監視部１９ａは、通信ポリシー設定部１６から、設定した通信ポリシーを取得する。監視部１９ａは、無線通信部１１ｃ、通信部１４ｃ、通信制御部１７、変換部１８から、設定した通信ポリシーに関係する実際の状況を取得する。監視部１９ａは、取得した通信ポリシーと、実際の状況とを比較することにより、通信ポリシーの達成度を求める。尚、通信ポリシーの達成度は、通信ポリシーをどの程度達成できたかを表すものであればよい。そのため、通信ポリシーの達成度は、通信ポリシーを達成できた割合で示してもよく、通信ポリシーを達成できなかった割合、即ち、通信ポリシーと実際の状況との乖離割合で示してもよい。又、監視部１９ａは、通信ポリシーとは関係なく、通信品質やデータ品質、通信スケジュールの実際の状況を監視してもよい。
【００８１】
このようなネットワークの状況、通信リソースの状況、無線通信部１１ｃ、通信部１４ｃ、通信制御部１７、変換部１８の状況、通信ポリシーの達成度、通信品質やデータ品質、通信スケジュールの実際の状況などの監視部１９ａが監視する情報を監視情報という。このように、監視部１９ａは、監視情報を取得する取得手段として機能する。監視部１９ａは、監視情報を、提供情報特定部１５、通信ポリシー設定部１６、通信制御部１７に入力する。監視部１９ａは、現在の監視情報を入力してもよく、過去の監視情報を入力してもよい。
【００８２】
監視部１９ａは、監視情報の取得、監視情報の提供情報特定部１５、通信ポリシー設定部１６、通信制御部１７への入力を、定期的に行ってもよく、ランダムに行ってもよく、連続的に行ってもよい。更に、監視部１９ａは、提供情報特定部１５や通信ポリシー設定部１６、通信制御部１７から、監視情報の提供の要求を受ける。そして、監視部１９ａは、その要求に応じて、監視情報を提供情報特定部１５や通信ポリシー設定部１６、通信制御部１７に入力してもよい。無線通信装置情報記憶部１９ｃは、無線通信装置情報を記憶する。
【００８３】
測定部１９ｄは、無線通信装置１０ｃに関する状態を測定する無線通信装置測定手段である。測定部１９ｄは、無線通信装置１０ｃに関する状態として、例えば、無線通信装置１０ｃ自体、無線通信装置１０ｃが備える各構成、無線通信装置１０ｃ周辺の状態を測定する。具体的には、測定部１９ｄは、無線通信装置１０ｃの位置、無線通信装置１０ｃ周辺の気温や湿度、無線通信装置１０ｃの進行方向、無線通信装置１０ｃ周辺の映像、無線通信装置１０ｃの移動速度、無線通信装置１０ｃと端末装置３０ｂとの距離や相対速度、無線通信装置１０ｃから所定の範囲内に存在する端末装置の数を測定する。そのため、測定部１９ｄとしては、例えば、ＧＰＳ（Ｇｌｏｂａｌ  Ｐｏｓｉｔｉｏｎｉｎｇ  Ｓｙｓｔｅｍ）装置、温度計、湿度計、方位センサ、カメラ等の撮影手段、速度計を用いることができる。
【００８４】
又、測定部１９ｄは、無線通信装置１０ｃと端末装置３０ｂとの距離を、例えば、以下のようにして測定できる。無線通信部１１ｃは、端末装置３０ｂから、端末装置３０ｂの位置情報を受信する。測定部１９ｄは、無線通信部１１ｃから、端末装置３０ｂの位置情報を取得する。更に、測定部１９ｄは、無線通信装置１０ｃの位置をＧＰＳ衛星などを用いて測定する。測定部１９ｄは、取得した端末装置３０ｂの位置情報と、測定した無線通信装置１０ｃの位置とから、無線通信装置１０ｃと端末装置３０ｂとの距離を求める。
【００８５】
又、測定部１９ｄは、端末装置３０ｂから受信する複数の電波の強度を測定する。測定部１９ｄは、強度が閾値以上の電波の数を求めることにより、無線通信装置１０ｃから所定の範囲内に存在する端末装置の数を求める。測定部１９ｄは、電波の強度の閾値を、範囲の広さに応じて設定する。
【００８６】
このように、測定した状態に関する情報を測定情報という。測定は、定期的に行ってもよく、ランダムに行ってもよく、連続的に行ってもよい。又、測定部１９ｄは、提供情報特定部１５、通信ポリシー設定部１６、通信制御部１７からの測定情報の提供の要求に応じて、測定してもよい。測定部１９ｄは、測定情報を、提供情報特定部１５、通信ポリシー設定部１６、通信制御部１７に入力する。測定部１９ｄは、現在の測定情報を入力してもよく、過去の測定情報を入力してもよい。
【００８７】
無線通信部１１ｃは、無線通信部１１ｃが送信した無線情報を受信した端末装置３０ｂから、通信情報の特定に関する情報（以下、「特定情報」という）、通信情報の特定結果、特定した提供情報の送信の要求を受信する。無線通信部１１ｃは、受信した特定情報を提供情報特定部１５に入力する。無線通信部１１ｃは、受信した特定情報、特定結果、特定した提供情報の送信の要求、特定した処理の実行の要求を通信部１４ｃに入力する。又、無線通信部１１ｃは、提供情報特定部１５又は通信部１４ｃから特定情報、特定結果を取得する。無線通信部１１ｃは、取得した特定情報、特定結果を端末装置３０ｂに送信する。
【００８８】
通信部１４ｃは、中継装置５０ａから、特定情報、特定結果を受信する。通信部１４ｃは、受信した特定情報を提供情報特定部１５又は無線通信部１１ｃに入力する。通信部１４ｃは、受信した特定結果を無線通信部１１ｃに入力する。又、通信部１４ｃは、提供情報特定部１５から、特定情報、特定結果、特定した提供情報の送信の指示を取得する。又、通信部１４ｃは、無線通信部１１ｃから、特定情報、特定結果、特定した提供情報の送信の要求を取得する。通信部１４ｃは、取得した特定情報、特定結果、提供情報の送信の要求を中継装置５０ａに送信する。
【００８９】
提供情報特定部１５は、端末装置３０ｂが受信した無線情報に基づいて、通信情報である提供情報を特定する特定手段である。又、提供情報特定部１５は、特定情報を通知する特定情報通知手段としても機能する。提供情報特定部１５は、無線情報通信部１１ｃから、特定情報を取得する。提供情報特定部１５は、ユーザＩＤに基づいて、ユーザ情報データベース１３を検索する。そして、提供情報特定部１５は、ユーザＩＤに対応付けられている端末情報を取得する。提供情報特定部１５は、時計部１９ｂから時間情報を取得する。提供情報特定部１５は、監視部１９ａから監視情報を取得する。提供情報特定部１５は、無線通信装置情報記憶部１９ｃから、無線通信装置情報を取得する。提供情報特定部１５は、測定部１９ｄから測定情報を取得する。
【００９０】
提供情報特定部１５は、取得した特定情報、端末情報、時間情報、監視情報、無線通信装置情報、測定情報に基づいて、提供情報、処理を特定する。提供情報特定部１５は、特定した特定結果を通信ポリシー設定部１６に入力する。又、提供情報特定部１５は、配信サーバ４０ａ，４０ｂに対して、特定した提供情報の送信を指示する。提供情報特定部１５は、特定した提供情報の送信の指示、特定結果、特定情報を、通信部１４ｃに入力する。提供情報特定部１５は、特定結果、特定情報を、無線通信部１１ｃに入力する。
【００９１】
又、提供情報特定部１５は、取得した特定情報、端末情報、時間情報、監視情報、無線通信装置情報、測定情報に基づいて、特定情報を通知する。提供情報特定部１５は、端末装置３０ａ、配信サーバ４０ａに特定情報を通知する。提供情報特定部１５は、通知する特定情報を、無線通信部１１ｃ、通信部１４ｃに入力する。
【００９２】
通信ポリシーデータベース１６ａは、通信ポリシーに関する情報を記憶する通信ポリシー記憶手段である。通信ポリシーデータベース１６ａは、通信ポリシーの設定規則、通信ポリシーの設定条件、オブジェクト単位の決定規則、通信ポリシーの達成目標値の算出規則を記憶する。又、通信ポリシーデータベース１６ａは、設定した通信ポリシー、通信ポリシーの達成目標値、オブジェクト単位、通信ポリシーの達成度、これまでに設定した通信ポリシーの履歴に関する情報を、端末装置毎、提供情報や処理情報毎に記憶する。
【００９３】
無線通信部１１ｃは、端末装置３０ｂから、通信ポリシーの設定に関する情報（以下、「通信ポリシー設定情報」という）、設定した通信ポリシーに関する情報（以下、「設定情報」という）を受信する。通信部１４ｃは、中継装置５０ａから、通信ポリシー設定情報、設定情報を受信する。無線通信部１１ｃは、受信した通信ポリシー設定情報や設定情報を、通信ポリシー設定部１５や通信部１４ｃ、通信制御部１７に入力する。通信部１４ｃは、受信した通信ポリシー設定情報や設定情報を、通信ポリシー設定部１５や無線通信部１１ｃ、通信制御部１７に入力する。
【００９４】
無線通信部１１ｃは、通信ポリシー設定部１６や通信部１４ｃから通信ポリシー設定情報や設定情報を取得する。無線通信部１１ｃは、取得した通信ポリシー設定情報や設定情報を端末装置３０ｂに送信する。通信部１４ｃは、通信ポリシー設定部１６や無線通信部１１ｃから通信ポリシー設定情報や設定情報を取得する。通信部１４ｃは、取得した通信ポリシー設定情報や設定情報を中継装置５０ａに送信する。
【００９５】
通信ポリシー設定部１６は、トンネルを介して通信情報を送受信する際の通信ポリシーをオブジェクト単位毎に決定し、設定する通信ポリシー設定手段である。尚、通信ポリシー設定部１６は、トンネルを介して通信情報を送受信する際の通信ポリシーに限らず、トンネルを用いない情報の送受信や、通信情報以外の情報の送受信を行う際の通信ポリシーについても、決定し、設定する。又、通信ポリシー設定部１６は、通信ポリシー設定情報を通知する制御情報通知手段としても機能する。
【００９６】
通信ポリシー設定部１６は、無線情報通信部１１ｃ、通信部１４ｃから、通信ポリシー設定情報、設定情報を取得する。通信ポリシー設定部１６は、提供情報特定部１５から特定結果を取得する。通信ポリシー設定部１６は、ユーザＩＤに基づいて、ユーザ情報データベース１３を検索する。そして、通信ポリシー設定部１６は、ユーザＩＤに対応付けられている端末情報を取得する。通信ポリシー設定部１６は、時計部１９ｂから時間情報を取得する。通信ポリシー設定部１６は、監視部１９ａから監視情報を取得する。通信ポリシー設定部１６は、無線通信装置情報記憶部１９ｃから、無線通信装置情報を取得する。通信ポリシー設定部１６は、測定部１９ｄから測定情報を取得する。通信ポリシー設定部１６は、通信ポリシーデータベース１６ａから、通信ポリシーの設定規則、通信ポリシーの設定条件、オブジェクト単位の決定規則、達成目標値の算出規則、通信ポリシーの達成度、通信ポリシーの履歴に関する情報を取得する。
【００９７】
通信ポリシー設定部１６は、取得した特定結果、通信ポリシー設定情報、端末情報、時間情報、監視情報、無線通信装置情報、測定情報、通信ポリシーの設定規則、通信ポリシーの設定条件、オブジェクト単位の決定規則、通信ポリシーの達成度、通信ポリシーの履歴に関する情報に基づいて、通信ポリシーを決定し、設定する。又、通信ポリシー設定部１６は、設定した通信ポリシー、達成目標値の算出規則に基づいて、通信ポリシーの達成目標値を設定する。通信ポリシー設定部１６は、通信ポリシー設定情報、設定情報を、無線通信部１１ｃ、通信部１４ｃに入力する。通信ポリシー設定部１６は、設定情報を通信制御部１７に入力する。
【００９８】
尚、通信ポリシー設定部１６が通信ポリシーを決定し、設定してから、提供情報特定部１５が提供情報を特定してもよい。この場合、通信ポリシー設定部１６は、特定結果以外の情報に基づいて、通信ポリシーを決定し、設定する。そして、通信ポリシー設定部１６は、設定情報を提供情報特定部１５に入力する。提供情報特定部１５は、通信ポリシー設定部１６から、設定情報を取得する。そして、提供情報特定部１５は、取得した設定情報に基づいて提供情報を特定する。これらの点以外は、提供情報特定部１５が提供情報を特定してから、通信ポリシー設定部１６が通信ポリシーを決定し、設定する場合と同様である。
【００９９】
又、通信ポリシー設定部１６は、取得した特定結果、通信ポリシー設定情報、端末情報、時間情報、監視情報、無線通信装置情報、測定情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部１６は、端末装置３０ａ、中継制御装置５０ｂ、配信サーバ４０ａに通信ポリシー設定情報を通知する。通信ポリシー設定部１６は、通知する通信ポリシー設定情報を、無線通信部１１ｃ、通信部１４ｃに入力する。
【０１００】
又、通信ポリシー設定部１６は、設定した通信ポリシーや達成目標値、オブジェクト単位、取得した設定情報、取得した監視情報を、通信ポリシーデータベース１６ａに格納する。これにより、通信ポリシーデータベース１６ａが更新される。又、通信ポリシー設定部１６は、通信ポリシーデータベース１６ａから、設定した通信ポリシーを取得し、監視部１９ａに入力する。
【０１０１】
通信制御部１７は、設定した通信ポリシーに基づいて、トンネルを介した通信情報の送受信をオブジェクト単位毎に制御する通信制御手段である。尚、通信制御部１７は、トンネルを介した通信情報の送受信に限らず、トンネルを用いない情報の送受信や、通信情報以外の情報の送受信についても、設定した通信ポリシーに基づいて、オブジェクト単位毎に制御する。
【０１０２】
通信制御部１７は、通信ポリシー設定部１６から、設定情報を取得する。又、通信制御部１７は、無線通信部１１ｃ、通信部１４ｃから、設定情報、通信ポリシー設定情報を取得する。通信制御部１７は、ユーザ情報データベース１３から、端末情報を取得する。通信制御部１７は、時計部１９ｂから時間情報を取得する。通信制御部１７は、監視部１９ａから監視情報を取得する。通信制御部１７は、無線通信装置情報記憶部１９ｃから、無線通信装置情報を取得する。通信制御部１７は、測定部１９ｄから測定情報を取得する。
【０１０３】
通信制御部１７は、取得した設定情報、通信ポリシー設定情報、端末情報、時間情報、監視情報、無線通信装置情報、測定情報に基づいて、オブジェクト単位毎に送信制御情報を決定する。送信制御情報は、情報の送受信の制御に関する情報である。通信制御部１７は、決定した送信制御情報を、無線通信部１１ｃ、通信部１４ｃに入力する。又、無線通信部１１ｃは、端末装置３０ｂから、送信制御情報を受信する。無線通信部１１ｃは、受信した送信制御情報を、通信部１４ｃ又は通信制御部１７に入力する。通信部１４ｃは、中継装置５０ａから、送信制御情報を受信する。通信部１４ｃは、受信した送信制御情報を、無線通信部１１ｃ又は通信制御部１７に入力する。無線通信部１１ｃは、通信制御部１７又は通信部１４ｃから送信制御情報を取得する。無線通信部１１ｃは、取得した送信制御情報を端末装置３０ｂに送信する。通信部１４ｃは、通信制御部１７又は無線通信部１１ｃから送信制御情報を取得する。通信部１４ｃは、取得した送信制御情報を中継装置５０ａに送信する。
【０１０４】
又、通信制御部１７は、時間情報と、決定した送信制御情報、又は、無線通信部１１ｃ、通信部１４ｃから取得した送信制御情報とに基づいて、無線通信部１１ｃ、通信部１４ｃ、変換部１８を制御する。このように、通信制御部１７は、通信ポリシー設定部１６が決定し、設定したトンネルを介して通信情報を送受信する際の通信ポリシーに関する設定情報に基づいて、オブジェクト単位毎に送信制御情報を決定する。そして、通信制御部１７は、その決定した送信制御情報を用い、無線通信部１１ｃ、通信部１４ｃ、変換部１８を制御する。これにより、通信制御部１７は、設定した通信ポリシーに基づいて、トンネルを介した通信情報の送受信をオブジェクト単位毎に制御することができる。
【０１０５】
無線通信部１１ｃは、近距離無線により通信情報を送受信する近距離無線通信手段としても機能する。又、通信部１４ｃは、無線通信部１１ｃが送受信する通信情報を、トンネルを介して送受信する通信手段として機能する。具体的には、通信部１４ｃは、中継装置５０ａと、図１に示したように移動体通信網４上にトンネル（Ｄ）１ｄを確立する。そして、通信部１４ｃは、中継装置５０ａから、通信情報である提供情報を、トンネル（Ｄ）１ｄを介して受信する。通信部１４ｃは、通信制御部１７の制御に従って、受信した提供情報を、無線通信部１１ｃ又は変換部１８に入力する。無線通信部１１ｃは、通信部１４ｃ又は変換部１８から、提供情報を取得する。無線通信部１１ｃは、通信制御部１７の制御に従って、取得した通信情報である提供情報を、近距離無線によりオブジェクト単位毎に端末装置３０ｂに送信する。これにより、無線通信部１１ｃは、通信部１１ｃが受信した提供情報を、通信ポリシーに基づいて端末装置３０ｂに送信できる。又、通信部１４ｃは、ヘッダの付加や削除を行い、カプセル化やディカプセル化を行う。
【０１０６】
変換部１８は、設定した通信ポリシーに基づいて、通信情報を変換する変換手段である。変換部１８は、通信制御部１７から、通信ポリシー設定部１６が設定した通信ポリシーに関する設定情報に基づいて決定した送信制御情報による制御を受ける。変換部１８は、通信部１４ｃから提供情報を取得する。変換部１８は、通信制御部１７の制御に従って、提供情報をオブジェクト単位毎に変換する。変換部１８は、変換した提供情報を無線通信部１１ｃに入力する。又、提供情報特定部１５、通信ポリシー設定部１６、通信制御部１７、監視部１９ａは、算出情報を、通信部１４ｃに入力する。通信部１４ｃは、取得した算出情報を、中継装置５０ａに送信する。
【０１０７】
尚、無線通信装置１０ｄの場合も、通信情報として無線情報を送受信する以外は、実質的に同様である。具体的には、通信部が、端末装置３０ａからの無線情報の送信の要求を受信し、無線通信部に入力する。無線通信部は、無線通信装置１０ｅに無線情報の送信の要求を送信する。そして、無線通信部は、無線通信装置１０ｅから、近距離無線により通信情報である無線情報を受信する。無線通信装置１０ｄの無線通信部は、無線通信装置１０ｅから無線情報を受信すると、付加されている無線情報に関する情報を通信ポリシー設定部に入力する。
【０１０８】
通信ポリシー設定部は、通信ポリシーの設定や通信ポリシー設定情報の通知を、取得した無線情報に関する情報に基づいて行う。又、通信制御部は、送信制御情報の決定を、取得した無線情報に関する情報に基づいて行う。又、通信部は、図１に示したように、端末装置３０ａと、近距離通信網３及びネットワーク上にトンネル（Ｂ）１ｂを確立する。そして、通信部は、端末装置３０ａに、通信情報である無線情報を、トンネル（Ｂ）１ｂを介して送信する。
【０１０９】
〔端末装置〕
端末装置３０ａ，３０ｂは、無線情報、提供情報を受信する。端末装置３０ａ，３０ｂは、例えば、携帯電話、ＰＨＳ（Ｐｅｒｓｏｎａｌ  Ｈａｎｄｙｐｈｏｎｅ  Ｓｙｓｔｅｍ）、携帯情報端末（ＰＤＡ：Ｐｅｒｓｏｎａｌ  Ｄｉｇｉｔａｌ  Ａｓｓｉｓｔａｎｔｓ）などの移動通信端末、コンピュータなどがある。図４に示すように、端末装置３０ａは、無線通信部３１ａと、測定部３２と、ユーザ情報記憶部３３と、通信部３４ａと、提供情報特定部３５と、通信ポリシー設定部３６と、通信ポリシーデータベース３６ａと、通信制御部３７ａと、入力部３８ａと、出力部３８ｂと、監視部３９ａと、時計部３９ｂとを備える。
【０１１０】
通信ポリシーデータベース３６ａ、時計部３９ｂは、図３に示した通信ポリシーデータベース１６ａ、時計部１９ｂと同様である。ユーザ情報記憶部３３は、ユーザ情報記憶手段である。ユーザ情報記憶部３３は、端末装置３０ａのユーザのユーザＩＤ、パスワード、その他の端末情報を記憶する。
【０１１１】
無線通信部３１ａは、近距離無線により、無線通信装置１０ａ，１０ｂと情報を送受信する。無線通信部３１ａは、電波や赤外線を用いて情報を送受信する。無線通信部３１ａとしては、例えば、ＩｒＤＡ、ブルートゥース（登録商標）、ＲＦ電波により情報を受信するリーダとＲＦ電波により情報を送信するライターを組み合わせたもの、無線ＬＡＮインタフェース、バーコードリーダ、ＤＳＲＣを用いることができる。
【０１１２】
無線通信部３１ａは、無線通信装置１０ａ，１０ｂが送信した無線情報を受信する近距離無線受信手段である。無線通信部３１ａは、アクティブタグやセミパッシブタグとして機能する無線通信装置１０ａ，１０ｂからは、定期的に又はランダムに無線情報を受信する。無線情報を受信する際に、無線通信部３１ａは、無線通信装置１０ｂから、ユーザＩＤやパスワードの要求を受信する場合がある。この場合には、無線通信部３１ａは、ユーザ情報記憶部３３からユーザＩＤやパスワードを取得する。無線通信部３１ａは、取得したユーザＩＤやパスワードを含む応答を、無線通信装置１０ｂに送信する。
【０１１３】
無線通信部３１ａは、パッシブタグやセミパッシブタグとして機能する無線通信装置１０ｂに、無線情報の送信を要求する。そして、無線通信部３１ａは、無線通信装置１０ｂが無線情報の送信の要求に応じて送信した無線情報を受信する。無線通信部３１ａは、ユーザＩＤやパスワードを含む無線情報の送信の要求を送信できる。又、無線通信部３１ａは、ユーザＩＤやパスワードを含まない無線情報の送信の要求を送信してもよい。この場合に、無線通信部３１ａが、無線通信装置１０ｂ〜１０ｄからユーザＩＤやパスワードの要求を受けた場合には、ユーザＩＤやパスワードを含む応答を、無線通信装置１０ｂに送信する。
【０１１４】
いずれの場合にも、無線通信部３１ａは、ユーザ情報記憶部３３からユーザＩＤやパスワードを取得する。無線通信部３１ａは、時計部３９ｂから時間情報を取得し、所定の間隔で無線情報を要求したり、所定の時刻に無線情報を要求したりできる。又、無線通信部３１ａは、入力部３８ａから、無線情報の要求を受けた際に、無線情報を要求してもよい。あるいは、無線通信部３１ａは、ランダムに無線情報を要求してもよい。無線通信部３１ａは、受信した無線情報を、提供情報特定部３５に入力する。
【０１１５】
測定部３２は、端末装置３０ａに関する状態を測定する端末測定手段である。測定部３２は、端末装置３０ａに関する状態として、例えば、端末装置３０ａ自体、端末装置３０ａが備える各構成、端末装置３０ａ周辺、端末装置３０ａを使用するユーザの状態を測定する。具体的には、測定部３２は、端末装置３０ａの位置、端末装置３０ａ周辺の気温や湿度、端末装置３０ａの進行方向、端末装置３０ａ周辺の映像、端末装置３０ａの移動速度、端末装置３０ａと無線通信装置１０ａ，１０ｂとの距離や相対速度、通信端末３０ａから所定の範囲内に存在する無線通信装置１０ａ，１０ｂの数、端末装置３０ａのユーザの体温、脈拍、心拍数、血圧、表面湿度、ユーザが握ることにより端末装置に加えられる圧力を測定する。そのため、測定部３２としては、例えば、ＧＰＳ装置、温度計、湿度計、方位センサ、カメラ等の撮影手段、速度計、脈拍計、心拍計、血圧計、圧力計を用いることができる。
【０１１６】
又、測定部３２は、端末装置３０ａと無線通信装置１０ａ，１０ｂとの距離を、例えば、以下のようにして測定できる。無線通信部３１ａは、無線情報として、対象物の位置情報を含む対象物情報を受信する。測定部３２は、無線通信部３１ａから、対象物の位置情報を取得する。更に、測定部３２は、端末装置３０ａの位置をＧＰＳ衛星などを用いて測定する。測定部３２は、取得した対象物の位置情報と、測定した端末装置３０ａの位置から、端末装置３０ａと無線通信装置１０ａ，１０ｂとの距離を求める。又、測定部３２は、無線通信部３１ａが、無線通信装置１０ａ，１０ｂから受信する電波の強度を測定する。測定部３２は、測定した電波の強度から、端末装置３０ａと無線通信装置１０ａ，１０ｂとの距離を求める。
【０１１７】
又、測定部３２は、無線通信装置１０ａ，１０ｂから受信する複数の電波の強度を測定する。測定部３２は、強度が閾値以上の電波の数を求めることにより、通信端末３０ａから一定の範囲内に存在する無線通信装置１０ａ，１０ｂの数を求める。測定部３２は、電波の強度の閾値を、範囲の広さに応じて設定する。
【０１１８】
測定は、定期的に行ってもよく、ランダムに行ってもよく、連続的に行ってもよい。又、測定部３２は、提供情報特定部３５、通信ポリシー設定部３６からの測定情報の提供の要求に応じて、測定してもよい。測定部３２は、測定情報を提供情報特定部３５、通信ポリシー設定部３６、通信制御部３７ａに入力する。測定部３２は、現在の測定情報を入力してもよく、過去の測定情報を入力してもよい。
【０１１９】
入力部３８ａは、情報や要求を入力する入力手段である。入力部３８ａは、ユーザ操作により情報や要求を入力する。入力部３８ａは、無線情報の送信の要求を無線通信部３１ａに入力する。入力部３８ａは、特定情報、特定結果を提供情報特定部３５に入力する。入力部３８ａは、通信ポリシー設定情報を通信ポリシー設定部３６、通信制御部３７ａに入力する。入力部３８ａは、提供情報や無線情報の送信の要求を、通信部３４ａに入力する。入力部３８ａは、端末装置３０ａが希望する通信ポリシーや情報の種類、通信料金の希望上限額、希望するオブジェクト単位、要求する品質、要求されるリアルタイム性などを、ユーザ情報記憶部３３に格納する。
【０１２０】
出力部３８ｂは、情報を出力する出力手段である。出力部３８ｂは、例えば、無線通信部３１ａが受信した無線情報、無線通信部３１ａや通信部３４ａが受信した提供情報、無線情報、特定情報、特定結果、通信ポリシー設定情報、設定情報、送信制御情報、入力部３８ａが入力した情報や要求を出力する。
【０１２１】
監視部３９ａは、図３に示した監視部１９ａと同様にして、監視情報を取得する。具体的には、監視部３９ａは、通信部３４ａを介して、近距離通信網３の状況を取得する。又、監視部３９ａは、通信部３４ａから、端末装置３０ａと中継装置５０ａとの間の通信リソースの状況を取得する。
【０１２２】
更に、監視部３９ａは、無線通信部３１ａ、通信部３４ａ、通信制御部３７ａの状況を監視する。監視部３９ａは、無線通信部３１ａ、通信部３４ａ、通信制御部３７ａから、その負荷状況や処理状況を取得する。例えば、監視部３９ａは、無線通信部３１ａが情報の送受信を行っている通信中の無線通信装置１０ａ，１０ｂの数、無線通信部３１ａと無線通信装置１０ａ，１０ｂとの間の通信路の数、無線通信部３１ａが送受信しているデータ量、通信部３４ａが情報の送受信を行っている通信中の配信サーバ４０ｂ，４０ｃ、無線通信装置１０ｄの数、通信部３４ａと、配信サーバ４０ｂ，４０ｃ、無線通信装置１０ｄとの間の通信路の数、通信部３４ａが送受信しているデータ量、通信制御部３７ａが制御している通信路の数などの負荷状況を取得する。監視部３９ａは、無線通信部３１ａや通信部３４ａが送受信を終了させた情報の割合などの処理状況を取得する。更に、監視部３９ａは、無線通信部３１ａ、通信部３４ａ、通信制御部３７ａの負荷状況や処理状況から、端末装置３０ａ全体の負荷状況や処理状況を求めてもよい。
【０１２３】
更に、監視部３９ａは、通信ポリシーの達成度や、通信品質やデータ品質、通信スケジュールの実際の状況を監視する。その際、監視部３９ａは、通信ポリシー設定部２６から、設定した通信ポリシーを取得する。監視部３９ａは、通信部３４ａ、通信制御部３７ａ、出力部３８ｂから、設定した通信ポリシーに関係する実際の状況を取得する。監視部３９ａは、図３に示した監視部１９ａと同様に、定期的、ランダム又は連続的に、あるいは、提供情報特定部３５、通信ポリシー設定部３６からの監視情報の提供の要求に応じて、監視情報を取得する。監視部３９ａは、監視情報を、提供情報特定部３５、通信ポリシー設定部３６、通信制御部３７ａに入力する。監視部３９ａは、現在の監視情報を入力してもよく、過去の監視情報を入力してもよい。
【０１２４】
通信部３４ａは、中継装置５０ａから、特定情報を受信する。通信部３４ａは、受信した特定情報を提供情報特定部３５に入力する。通信部３４ａは、提供情報特定部３５から、特定情報、特定結果、特定した提供情報の送信の要求を取得する。通信部３４ａは、特定情報、特定結果、特定した提供情報の送信の要求を、中継装置５０ａに送信する。
【０１２５】
提供情報特定部３５は、提供情報を特定する。又、提供情報特定部３５は、特定情報を通知する。その際、提供情報特定部３５は、無線通信部３１ａから受信した無線情報を取得する。又、提供情報特定部３５は、通信部３４ａ、入力部３８ａから、特定情報を取得する。提供情報特定部３５は、測定部３２、ユーザ情報記憶部３３、時計部３９ｂ、監視部３９ａから、測定情報、端末情報、時間情報、監視情報を取得する。
【０１２６】
提供情報特定部３５は、取得した受信した無線情報、特定情報、測定情報、端末情報、時間情報、監視情報に基づいて、提供情報を特定する。提供情報特定部３５は、特定した特定結果を通信ポリシー設定部３６に入力する。又、提供情報特定部３５は、配信サーバ４０ｂ，４０ｃに対して、特定した提供情報の送信を要求する。提供情報特定部３５は、特定した提供情報の送信の要求、特定結果、特定情報を、通信部３４ａに入力する。
【０１２７】
又、提供情報特定部３５は、取得した受信した無線情報、特定情報、測定情報、端末情報、時間情報、監視情報に基づいて、特定情報を通知する。提供情報特定部３５は、無線通信装置１０ｃ、配信サーバ４０ａに特定情報を通知する。提供情報特定部３５は、通知する特定情報を、通信部３４ａに入力する。
【０１２８】
通信部３４ａは、中継装置５０ａから、通信ポリシー設定情報、設定情報を受信する。通信部３４ａは、受信した通信ポリシー設定情報、設定情報を通信ポリシー設定部３６、通信制御部３７ａに入力する。通信部３４ａは、通信ポリシー設定部３６から通信ポリシー設定情報、設定情報を取得する。通信部３４ａは、取得した通信ポリシー設定情報、設定情報を、中継装置５０ａに送信する。
【０１２９】
通信ポリシー設定部３６は、トンネルを介して通信情報を送受信する際の通信ポリシーをオブジェクト単位毎に決定し、設定する。通信ポリシー設定部３６は、トンネルを用いない情報の送受信や、通信情報以外の情報の送受信を行う際の通信ポリシーについても、決定し、設定する。又、通信ポリシー設定部３６は、通信ポリシー設定情報を通知する。その際、通信ポリシー設定部３６は、提供情報特定部３５、通信部３４ａ、入力部３８ａ、測定部３２、ユーザ情報記憶部３３、監視部３９ａ、時計部３９ｂ、通信ポリシーデータベース３６ａから、特定結果、通信ポリシー設定情報、測定情報、端末情報、監視情報、時間情報、通信ポリシーの設定規則、通信ポリシーの設定条件、オブジェクト単位の決定規則、達成目標値の算出規則、通信ポリシーの達成度、通信ポリシーの履歴に関する情報を取得する。
【０１３０】
通信ポリシー設定部３６は、取得した特定結果、通信ポリシー設定情報、測定情報、端末情報、監視情報、時間情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシーを決定し、設定する。通信ポリシー設定部３６は、通信ポリシー設定情報、設定情報を、通信部３４ａに入力する。通信ポリシー設定部３６は、設定情報を通信制御部３７ａに入力する。
【０１３１】
又、通信ポリシー設定部３６は、通信ポリシーの達成目標値の設定、設定した通信ポリシー及び達成目標値、オブジェクト単位、取得した設定情報、取得した監視情報の通信ポリシーデータベース３６ａへの格納を行う。又、通信ポリシー設定部３６は、通信ポリシーデータベース３６ａから、設定した通信ポリシーを取得し、監視部３９ａに入力する。尚、図３に示した提供情報特定部１５、通信ポリシー設定部１６と同様に通信ポリシー設定部３６が通信ポリシーを決定し、設定してから、提供情報特定部３５が提供情報を特定してもよい。
【０１３２】
又、通信ポリシー設定部３６は、取得した特定結果、通信ポリシー設定情報、測定情報、端末情報、監視情報、時間情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部３６は、無線通信装置１０ｃ、中継制御装置５０ｂ、配信サーバ４０ａに通信ポリシー設定情報を通知する。通信ポリシー設定部３６は、通知する通信ポリシー設定情報を通信部３４ａに入力する。
【０１３３】
通信制御部３７ａは、通信ポリシー設定部３６、入力部３８ａ、通信部３４ａ、測定部３２、ユーザ情報記憶部３３、監視部３９ａ、時計部３９ｂから、設定情報、通信ポリシー設定情報、測定情報、端末情報、監視情報、時間情報を取得する。通信制御部３７ａは、取得した設定情報、通信ポリシー設定情報、測定情報、端末情報、監視情報、時間情報に基づいて、オブジェクト単位毎に送信制御情報を決定する。通信制御部３７は、決定した送信制御情報を、通信部３４ａに入力する。通信部３４ａは、中継装置５０ａから送信制御情報を受信する。通信部３４ａは、受信した送信制御情報を通信制御部３７ａに入力する。通信部３４ａは、取得した送信制御情報を中継装置５０ａに送信する。又、通信制御部３７ａは、時間情報と、決定した送信制御情報、又は、通信部３４ａから取得した送信制御情報に基づいて、通信部３４ａを制御する。
【０１３４】
通信部３４ａは、無線通信装置１０ｄとトンネルを介して通信情報を送受信する無線通信装置通信手段である。具体的には、通信部３４ａは、無線通信装置１０ｄと、図１に示したように、近距離通信網３及びネットワーク上にトンネル（Ｂ）１ｂを確立する。そして、通信部３４ａは、無線通信装置１０ｄから、通信情報である無線情報をトンネル（Ｂ）１ｂを介して受信する。このように、端末装置３０ａは、無線通信装置１０ｄとトンネルを介して通信を行う通信装置として機能する。
【０１３５】
又、通信部３４ａは、中継装置５０ａと、図１に示したように、近距離通信網３上にトンネル（Ａ）１ａを確立する。そして、通信部３４ａは、中継装置５０ａから、提供情報をトンネル（Ａ）１ａを介して受信する。更に、通信部３４ａは、中継装置５０ａと、図１に示したように、近距離通信網３上にトンネル（Ｃ）１ｃを確立する。そして、通信部３４ａは、中継装置５０ａから、提供情報をトンネル（Ｃ）１ｃを介して受信する。又、通信部３４ａは、ヘッダの付加や削除も行い、カプセル化やディカプセル化を行う。
【０１３６】
又、図５に示すように、端末装置３０ｂは、無線通信部３１ｂと、測定部３２と、ユーザ情報記憶部３３と、通信部３４ｂと、通信制御部３７ｂと、通知部３８と、入力部３８ａと、出力部３８ｂと、時計部３９ｂとを備える。図５に示す無線通信部３１ｂ、測定部３２、ユーザ情報記憶部３３、通信部３４ｂ、通信制御部３７ｂ、入力部３８ａ、出力部３８ｂ、時計部３９ｂは、図４に示した無線通信部３１ａ、測定部３２、ユーザ情報記憶部３３、通信部３４ａ、通信制御部３７ａ、入力部３８ａ、出力部３８ｂ、時計部３９ｂと実質的に同様である。但し、図５に示す無線通信部３１ｂ、測定部３２、通信部３４ｂ、通信制御部３７ｂ、入力部３８ａは、以下に説明する点においては、図４と異なっている。
【０１３７】
通知部３８は、特定情報通知手段である。無線通信部３１ｂは、受信した無線情報を通知部３８に入力する。無線通信部３１ｂは、無線通信装置１０ｃから特定情報、特定結果を受信する。通信部３４ｂは、中継装置５０ａから特定情報、特定結果を受信する。無線通信部３１ｂ、通信部３４ｂは、受信した特定情報、特定結果を通知部３８に入力する。入力部３８ａは、特定情報を通知部３８に入力する。測定部３２は、測定情報を通知部３８に入力する。又、測定部３２は、通知部３８からの測定情報の提供の要求に応じて測定してもよい。
【０１３８】
通知部３８は、無線通信部３１ｂ、通信部３４ｂ、入力部３８ａ、測定部３２、ユーザ情報記憶部３３から、受信した無線情報、特定情報、測定情報、端末情報、を取得する。通知部３８は、取得した特定情報、無線情報、測定情報、端末情報に基づいて、特定情報を通知する。通知部３８は、無線通信装置１０ｃ、配信サーバ４０ａに、特定情報を通知する。又、通知部３８は、取得した特定結果に基づいて、特定した提供情報の送信を、配信サーバ４０ａに要求する。通知部３８は、通知する特定情報、特定した提供情報の送信の要求を、無線通信部３１ｂ、通信部３４ｂに入力する。無線通信部３１ｂは、特定情報、特定した提供情報の送信の要求を無線通信装置１０ｃに送信する。又、通信部３４ｂは、特定情報、特定した提供情報の送信の要求を、中継装置５０ａに送信する。
【０１３９】
更に、通知部３８は、制御情報通知手段としても機能する。無線通信部３１ｂは、無線通信装置１０ｃから通信ポリシー設定情報を受信する。通信部３４ｂは、中継装置５０ａから通信ポリシー設定情報を受信する。無線通信部３１ｂ、通信部３４ｂは、受信した通信ポリシー設定情報を通知部３８に入力する。入力部３８ａは、通信ポリシー設定情報を通知部３８に入力する。通知部３８は、無線通信部３１ｂ、通信部３４ｂ、入力部３８ａ、測定部３２、ユーザ情報記憶部３３から、受信した通信ポリシー設定情報、測定情報、端末情報を取得する。通知部３８は、取得した通信ポリシー設定情報、測定情報、端末情報に基づいて、通信ポリシー設定情報を通知する。
【０１４０】
通知部３８は、無線通信装置１０ｃ、配信サーバ４０ａ、中継制御装置５０ｂに、通信ポリシー設定情報を通知する。通知部３８は、通知する通信ポリシー設定情報を無線通信部３１ｂ、通信部３４ｂに入力する。無線通信部３１ｂは、取得した通信ポリシー設定情報を無線通信装置１０ｃに送信する。通信部３４ｂは、取得した通信ポリシー設定情報を、中継装置５０ａに送信する。
【０１４１】
通信制御部３７ｂは、無線通信部３１ｂ、通信部３４ｂ、測定部３２、ユーザ情報記憶部３３、時計部３９ｂから、設定情報、通信ポリシー設定情報、測定情報、端末情報、時間情報を取得する。通信制御部３７ｂは、取得した設定情報、通信ポリシー設定情報、測定情報、端末情報、時間情報に基づいて、オブジェクト単位毎に送信制御情報を決定する。無線通信部３１ｂは、無線通信装置１０ｃから、提供情報を受信する。
【０１４２】
〔配信サーバ〕
配信サーバ４０ａ〜４０ｃは、提供情報を送信する情報送信装置である。提供情報には、そのデータの種類によって分類した場合、テキスト情報、静止画像情報、動画像情報、音声情報、プログラム情報、これらの情報を複合したマルチメディアコンテンツなどがある。又、提供情報は、そのデータのリアルタイム性によって分類した場合、非リアルタイムコンテンツ、リアルタイムコンテンツ、通信端末、ＲＦ−ＩＤタグの移動速度に対応するリアルタイム性の指標をメタデータその他のコンテンツ制御情報に記載したコンテンツがある。又、提供情報は、無線情報との関係によって分類した場合、対象物情報に関連する対象物関連情報、対象領域情報に関連する対象領域関連情報、無線通信装置情報に関連する無線通信装置関連情報、広告情報に関連する広告関連情報がある。
【０１４３】
図６に示すように、配信サーバ４０ａは、提供情報提供部４１ａと、提供情報データベース４２と、ユーザ情報データベース４３と、通信部４４ａと、提供情報特定部４５ａと、通信ポリシー設定部４６と、通信ポリシーデータベース４６ａと、設定条件制御部４６ｂと、通信制御部４７ａと、変換部４８ａと、リソース割当部４８ｂと、監視部４９ａと、時計部４９ｂと、配信サーバ情報記憶部４９ｃとを備える。ユーザ情報データベース４３、通信ポリシーデータベース４６ａ、時計部４９ｂは、図３に示したユーザ情報データベース１３、通信ポリシーデータベース１６ａ、時計部１９ｂと同様である。
【０１４４】
監視部４９ａは、図３に示した監視部１９ａと同様にして、監視情報を取得する。具体的には、監視部４９ａは、通信部４４ａ、アクセス中継装置２０ａを介して、配信サーバ４０ａと中継装置５０ａとの間の状況を取得する。又、監視部４９ａは、リソース割当部４８ｂ又は通信部４４ａから、配信サーバ４０ａと中継装置５０ａとの間の通信リソースの状況を取得する。
【０１４５】
又、監視部４９ａは、提供情報提供部４１ａ、通信部４４ａ、通信制御部４７ａ、変換部４８ａ、リソース割当部４８ｂの状況を監視する。監視部４９ａは、提供情報提供部４１ａ、通信部４４ａ、通信制御部４７ａ、変換部４８ａ、リソース割当部４８ｂから、その負荷状況や処理状況を取得する。例えば、監視部４９ａは、提供情報提供部４１ａが行う処理量、通信部４４ａが情報の送受信を行っている通信中の端末装置３０ｂの数、通信部４４ａと、端末装置３０ｂとの間の通信路の数、通信部４４ａが送受信しているデータ量、通信制御部４７ａが制御している通信路の数、変換部４８ａが行うデータ変換量、リソース割当部４８ｂが行う処理量などの負荷状況を取得する。監視部４９ａは、提供情報提供部４１ａが終了させた処理量の割合、通信部４４ａが送受信を終了させた情報の割合、変換部４８ａが変換を終了させたデータ量の割合、リソース割当部４８ｂが終了させた処理量の割合などの処理状況を取得する。更に、監視部４９ａは、提供情報提供部４１ａ、通信部４４ａ、通信制御部４７ａ、変換部４８ａ、リソース割当部４８ｂの負荷状況や処理状況から、配信サーバ４０ａ全体の負荷状況や処理状況を求めてもよい。
【０１４６】
更に、監視部４９ａは、通信ポリシーの達成度や、通信品質やデータ品質、通信スケジュールの実際の状況を監視する。その際、監視部４９ａは、通信ポリシー設定部４６から、設定した通信ポリシーを取得する。監視部４９ａは、提供情報提供部４１ａ、通信部４４ａ、通信制御部４７ａ、変換部４８ａ、リソース割当部４８ｂから、設定した通信ポリシーに関係する実際の状況を取得する。監視部４９ａは、提供情報特定部４５ａ、通信ポリシー設定部４６からの監視情報の提供の要求に応じて、監視情報を取得する。監視部４９ａは、監視情報を、提供情報特定部４５ａ、通信ポリシー設定部４６、設定条件制御部４６ｂ、通信制御部４７ａに入力する。監視部４９ａは、現在の監視情報を入力してもよく、過去の監視情報を入力してもよい。
【０１４７】
配信サーバ情報記憶部４９ｃは、配信サーバ４０ａに関する配信サーバ情報を記憶する。配信サーバ情報には、配信サーバ４０ａの識別子（以下「配信サーバＩＤ」という）、配信サーバ４０ａの位置情報、配信サーバ４０ａの処理能力や通信速度、容量などの配信サーバ４０ａの性能に関する情報、配信サーバ４０ａの負荷状況や処理状況、配信サーバ４０ａが希望する通信ポリシー、通信料金の希望上限額、提供してもよい配信サーバ４０ａに関する通信リソース、希望するオブジェクト単位、要求する品質、要求されるリアルタイム性、アドレスなどがある。又、配信サーバ情報には、配信サーバ４０ａ全体に関する情報と、配信サーバ４０ａを構成する各構成に関する情報がある。尚、配信サーバＩＤとしては、配信サーバ４０ａに付与した番号や記号、文字などを用いることができる。
【０１４８】
提供情報データベース４２は、提供情報を記憶する提供情報記憶手段である。提供情報データベース４２は、提供情報そのものだけでなく、提供情報に関する情報を記憶する。提供情報に関する情報には、その提供情報を特定する無線情報、提供情報を識別する識別子（以下「コンテンツＩＤ」という）、提供情報の名称、内容の説明、提供情報のサンプル、提供情報のデータ量、提供情報を利用可能な時間、送信開始予定時刻、提供情報の送信に要する平均時間、提供情報を構成するデータの種類、提供情報のデータ品質、提供情報の推奨通信ポリシー、提供情報の要求されるリアルタイム性、提供情報を区切るオブジェクト単位、提供情報の利用状況、提供情報の料金などがある。提供情報データベース４２は、コンテンツＩＤに対応付けて、提供情報、提供情報に関する情報を記憶する。尚、コンテンツＩＤとしては、提供情報に付与した番号や記号、文字などを用いることができる。
【０１４９】
通信部４４ａは、アクセス中継装置２０ａを介して、特定情報、特定結果、特定した提供情報の送信の要求、特定した提供情報の送信の指示を受信する。通信部４４ａは、受信した特定情報を提供情報特定部４５ａに入力する。通信部４４ａは、受信した特定結果、特定した提供情報の送信の要求、特定した提供情報の送信の指示を、提供情報提供部４１ａに入力する。又、通信部４４ａは、提供情報特定部４５ａから特定情報、特定結果を取得する。通信部４４ａは、受信又は取得した特定情報や特定結果を、アクセス中継装置２０ａを介して中継装置５０ａに送信する。
【０１５０】
提供情報特定部４５ａは、通信部４４ａから特定情報を取得する。提供情報特定部４５ａは、ユーザＩＤに基づいて、ユーザ情報データベース４３から端末情報を取得する。更に、提供情報特定部４５ａは、時計部４９ｂ、監視部４９ａ、配信サーバ情報記憶部４９ｃから、時間情報、監視情報、配信サーバ情報を取得する。提供情報特定部４５ａは、取得した特定情報、端末情報、時間情報、監視情報、配信サーバ情報に基づいて、提供情報データベース４２を検索する。そして、提供情報特定部４５ａは、特定情報、端末情報、時間情報、監視情報、配信サーバ情報に適した提供情報を特定する。提供情報特定部４５ａは、特定した特定結果を、通信ポリシー設定部４６、提供情報提供部４１ａに入力する。提供情報特定部４５ａは、特定情報、特定結果を通信部４４ａに入力する。
【０１５１】
又、提供情報特定部４５ａは、図３、図４に示した提供情報特定部１５，３５に対して、提供情報に関する情報を提供する提示手段としても機能する。提供情報特定部４５ａは、取得した特定情報、端末情報、時間情報、監視情報、配信サーバ情報に基づいて、提供情報データベース４２を検索する。提供情報特定部４５ａは、特定情報、端末情報、時間情報、監視情報、配信サーバ情報に適した提供情報に関する情報を、提供する情報として決定する。
【０１５２】
提供情報特定部４５ａは、決定した提供情報に関する情報を、提供情報データベース４２から取得する。提供情報特定部４５ａは、取得した提供情報に関する情報を特定情報として、提供情報特定部１５，３５に対して提供する。又、提供情報特定部４５ａは、提供情報データベース４２から、任意の提供情報に関する情報を取得して、提供情報特定部１５，３５に対して提供してもよい。
【０１５３】
更に、提供情報特定部４５ａは、提供情報に関する情報以外の特定情報の通知も行う。提供情報特定部４５ａは、取得した特定情報、端末情報、時間情報、監視情報、配信サーバ情報に基づいて、特定情報を通知する。提供情報特定部４５ａは、無線通信装置１０ｃ、端末装置３０ａに、特定情報を通知する。提供情報特定部４５ａは、特定情報を通信部４４ａに入力する。
【０１５４】
設定条件制御部４６ｂは、通信ポリシーの設定条件を制御する設定条件制御手段である。設定条件制御部４６ｂは、通信ポリシーの設定規則、オブジェクト単位の決定規則、通信ポリシーの達成目標値の算出規則についても制御する。設定条件制御部４６ｂは、監視部４９ａから監視情報を取得する。設定条件制御部４６ｂは、取得した監視情報に基づいて、通信ポリシーの設定条件、通信ポリシーの設定規則、オブジェクト単位の決定規則、通信ポリシーの達成目標値の算出規則を制御してもよい。設定条件制御部４６ｂは、制御した設定条件、設定規則、決定規則、算出規則を通信ポリシー設定部４６に入力する。又、設定条件制御部４６ｂは、制御した設定条件、設定規則、決定規則、算出規則を通信ポリシーデータベース４６ａに格納する。これにより、通信ポリシーデータベース４６ａが更新される。
【０１５５】
通信部４４ａは、アクセス中継装置２０ａを介して、通信ポリシー設定情報、設定情報を受信する。通信部４４ａは、受信した通信ポリシー設定情報、設定情報を通信ポリシー設定部４６、通信制御部４７ａに入力する。通信部４４ａは、通信ポリシー設定部４６から通信ポリシー設定情報、設定情報を取得する。通信部４４ａは、受信又は取得した通信ポリシー設定情報や設定情報を、アクセス中継装置２０ａを介して、中継装置５０ａに送信する。
【０１５６】
通信ポリシー設定部４６は、トンネルを介して通信情報を送受信する際の通信ポリシーをオブジェクト単位毎に決定し、設定する。通信ポリシー設定部４６は、トンネルを用いない情報の送受信や、通信情報以外の情報の送受信を行う際の通信ポリシーについても、決定し、設定する。又、通信ポリシー設定部４６は、通信ポリシー設定情報を通知する。その際、通信ポリシー設定部４６は、通信部４４ａから、通信ポリシー設定情報、設定情報を取得する。通信ポリシー設定部４６は、提供情報特定部４５ａから特定結果を取得する。通信ポリシー設定部４６は、提供情報データベース４２から提供情報に関する情報を取得する。通信ポリシー設定部４６は、ユーザＩＤに基づいて、ユーザ情報データベース４３から、端末情報を取得する。通信ポリシー設定部４６は、時計部４９ｂ、監視部４９ａ、配信サーバ情報記憶部４９ｃから、時間情報、監視情報、配信サーバ情報を取得する。通信ポリシー設定部４６は、通信ポリシーデータベース４６ａ又は設定条件制御部４６ｂから、通信ポリシーの設定規則、通信ポリシーの設定条件、オブジェクト単位の決定規則、達成目標値の算出規則、通信ポリシーの達成度、通信ポリシーの履歴に関する情報を取得する。
【０１５７】
通信ポリシー設定部４６は、取得した特定結果、通信ポリシー設定情報、提供情報に関する情報、端末情報、時間情報、監視情報、配信サーバ情報、通信ポリシーの設定規則、通信ポリシーの設定条件、オブジェクト単位の決定規則、達成目標値の算出規則、通信ポリシーの達成度、通信ポリシーの履歴に関する情報に基づいて、提供情報を送信する際の通信ポリシーを決定し、設定する。通信ポリシー設定部４６は、通信ポリシー設定情報、設定情報を、通信部４４ａに入力する。通信ポリシー設定部４６は、設定情報を通信制御部４７ａに入力する。
【０１５８】
又、通信ポリシー設定部４６は、通信ポリシーの達成目標値の設定、設定した通信ポリシー及び達成目標値、オブジェクト単位、取得した設定情報、取得した監視情報の通信ポリシーデータベース４６ａへの格納を行う。又、通信ポリシー設定部４６は、通信ポリシーデータベース４６ａから、設定した通信ポリシーを取得し、監視部４９ａに入力する。尚、図３に示した提供情報特定部１５、通信ポリシー設定部１６と同様に通信ポリシー設定部４６が通信ポリシーを決定し、設定してから、提供情報特定部４５ａが提供情報を特定してもよい。
【０１５９】
又、通信ポリシー設定部４６は、取得した特定結果、通信ポリシー設定情報、提供情報に関する情報、端末情報、時間情報、監視情報、配信サーバ情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部４６は、無線通信装置１０ｃ、端末装置３０ａ、中継制御装置５０ｂに、通信ポリシー設定情報を通知する。通信ポリシー設定部４６は、通知する通信ポリシー設定情報を通信部４４ａに入力する。
【０１６０】
通信制御部４７ａは、図３に示した通信制御部１７と同様にして、オブジェクト単位毎に送信制御情報を決定する。その際、通信制御部４７ａは、通信ポリシー設定部４６、通信部４４ａ、提供情報データベース４２、ユーザ情報データベース４３、監視部４９ａ、時計部４９ｂ、配信サーバ情報記憶部４９ｃから、設定情報、通信ポリシー設定情報、提供情報に関する情報、端末情報、監視情報、時間情報、配信サーバ情報を取得する。通信制御部４７ａは、決定した送信制御情報を通信部４４ａに入力する。通信部４４ａは、取得した送信制御情報を、アクセス中継装置２０ａを介して、中継装置５０ａに送信する。
【０１６１】
又、通信制御部４７ａは、時計部４９ｂから時間情報を取得する。通信制御部４７ａは、時間情報と、送信制御情報に基づいて、提供情報提供部４１ａ、通信部４４ａ、変換部４８ａ、リソース割当部４８ｂを制御する。
【０１６２】
提供情報提供部４１ａは、提供情報を通信部４４ａに提供する提供情報提供手段である。提供情報提供部４１ａは、通信部４４ａから、受信した特定結果、特定した提供情報の送信の要求、特定した提供情報の送信の指示を取得する。又、提供情報提供部４１ａは、提供情報特定部４５ａから、特定した特定結果を取得する。提供情報提供部４１ａは、取得した特定結果、提供情報の送信の要求や指示に基づいて、提供情報を提供情報データベース４２から取得する。又、提供情報提供部４１ａは、取得した特定結果、提供情報の送信の要求や指示に基づいて、提供情報を送信する宛先アドレスを、ユーザ情報データベース４３から取得する。提供情報提供部４１ａは、提供情報に宛先アドレスを付加する。提供情報提供部４１ａは、通信制御部４７ａの制御に従い、宛先アドレスを付与した提供情報を通信部４４ａ又は変換部４８ａに入力する。
【０１６３】
変換部４８ａは、提供情報提供部４１ａから提供情報を取得する。変換部４８ａは、通信制御部４７ａの制御に従って、オブジェクト単位毎に提供情報を変換する。変換部４８ａは、変換した提供情報を通信部４４ａに入力する。
【０１６４】
通信部４４ａは、特定した提供情報を送信する情報送信手段である。通信部４４ａは、提供情報提供部４１ａ又は変換部４８ａから提供情報を取得する。通信部４４ａは、通信制御部４７ａの制御に従い、取得した提供情報をオブジェクト単位毎に、アクセス中継装置２０ａを介して送信する。
【０１６５】
リソース割当部４８ｂは、通信制御部４７ａから、設定情報に基づいて決定した送信制御情報に基づいた制御を受ける。リソース割当部４８ｂは、通信制御部４７ａの制御に従い、通信情報である提供情報の送信に通信リソースを予め割り当てる。これにより、リソース割当部４８ｂは、提供情報の送信に必要な通信リソースを予約確保する。そして、リソース割当部４８ｂは、通信制御部４７ａの制御に従い、予約確保した通信リソースの中から、実際に使用する通信リソースを提供情報の送信に割り当てる。
【０１６６】
リソース割当部４８ｂは、アクセス中継装置２０ａを介して、配信サーバ４０ａと中継装置５０ａとの間の通信リソースの割当を行う。このように、リソース割当部４８ｂは、設定した通信ポリシーに基づいて、通信情報である提供情報の送受信に通信リソースを予め割り当てるリソース割当手段として機能する。
【０１６７】
又、リソース割当部４８ｂは、監視部４９ａにリソースの状況を入力する。リソース割当部４８ｂは、情報の送受信に割り当てて使用している使用通信リソース量、情報の送受信に割り当てておらず使用していない空き通信リソース量、それらの変化量などを、監視部４９ａに入力する。リソース割当部４８ｂは、定期的に又はランダムに、あるいは、連続的に通信リソースの状況を監視部４９ａに入力してもよく、監視部４９ａからの要求に応じて通信リソースの状況を監視部２９ａに入力してもよい。又、提供情報特定部４５ａ、通信ポリシー設定部４６、通信制御部４７ａ、監視部４９ａは、算出情報を通信部４４ａに入力する。通信部４４ａは、取得した算出情報をアクセス中継装置２０ａに送信する。
【０１６８】
図７に示すように、配信サーバ４０ｂは、提供情報提供部４１ｂと、提供情報データベース４２と、ユーザ情報データベース４３と、通信部４４ｂと、提供情報提示部４５ｂと、通知部４５ｃと、通信制御部４７ｂと、変換部４８ａと、リソース割当部４８ｃと、監視部４９ｄと、時計部４９ｂと、配信サーバ情報記憶部４９ｅとを備える。尚、配信サーバ４０ｃも、配信サーバ４０ｂと同様の構成を備える。図７に示す提供情報データベース４２と、ユーザ情報データベース４３と、変換部４８ａと、時計部４９ｂと、配信サーバ情報記憶部４９ｅは、図６に示した提供情報データベース４２と、ユーザ情報データベース４３と、変換部４８ａと、時計部４９ｂと、配信サーバ情報記憶部４９ｃと実質的に同様である。
【０１６９】
監視部４９ｄは、図３に示した監視部１９ａと同様にして、監視情報を取得する。具体的には、監視部４９ｄは、通信部４４ｂ、アクセス中継装置２０ｂを介して、配信サーバ４０ｂと中継装置５０ａとの間の状況を取得する。又、監視部４９ｄは、リソース割当部４８ｃ又は通信部４４ｂから、配信サーバ４０ｂと中継装置５０ａとの間の通信リソースの状況を取得する。監視部４９ｄは、監視情報を、提供情報提示部４５ｂ、通知部４５ｃに入力する。監視部４９ｄは、これらの点以外は、図６に示した監視部４９ａと実質的に同様である。尚、監視部４９ｄは、通信ポリシーの達成度を監視する際に、通信制御部４７ｂから設定した通信ポリシーを取得する。
【０１７０】
通信部４４ｂは、アクセス中継装置２０ｂを介して、特定情報、特定結果、特定した提供情報の送信の要求、特定した提供情報の送信の指示を受信する。通信部４４ｂは、受信した特定情報を提供情報提示部４５ｂに入力する。通信部４４ｂは、受信した特定結果を通知部４５ｃに入力する。通信部４４ｂは、受信した特定結果、特定した提供情報の送信の要求、特定した提供情報の送信の指示を、提供情報提供部４１ｂに入力する。又、通信部４４ｂは、提供情報提示部４５ｂから特定情報を取得する。通信部４４ｂは、受信した特定結果、特定情報、又は、取得した特定情報を、アクセス中継装置２０ｂを介して中継装置５０ａに送信する。
【０１７１】
提供情報提示部４５ｂは、図６に示した提供情報特定部４５ａと同様にして、提供情報特定部１５，３５に対して、提供情報に関する情報の提供、提供情報に関する情報以外の特定情報の通知を行う。提供情報提示部４５ｂは、特定情報を通信部４４ｂに入力する。
【０１７２】
通信部４４ｂは、アクセス中継装置２０ｂを介して、通信ポリシー設定情報、設定情報を受信する。通信部４４ｂは、受信した通信ポリシー設定情報を通知部４５ｃに入力する。通信部４４ｂは、受信した設定情報、通信ポリシー設定情報を通信制御部４７ｂに入力する。通信部４４ｂは、通知部４５ｃから通信ポリシー設定情報を取得する。通信部４４ｂは、受信した通信ポリシー設定情報、設定情報、又は、取得した通信ポリシー設定情報を、アクセス中継装置２０ｂを介して中継装置５０ａに送信する。
【０１７３】
通知部４５ｃは、通信部４４ｂ、提供情報データベース４２、ユーザ情報データベース４３、監視部４９ｄ、配信サーバ情報記憶部４９ｅから、受信した特定結果、通信ポリシー設定情報、提供情報に関する情報、端末情報、監視情報、配信サーバ情報を取得する。通知部４５ｃは、取得した特定結果、通信ポリシー設定情報、提供情報に関する情報、端末情報、監視情報、配信サーバ情報に基づいて、通信ポリシー設定情報を通知する。通知部４５ｃは、無線通信装置１０ｃ、端末装置３０ａ、中継制御装置５０ｂに、通信ポリシー設定情報を通知する。通知部４５ｃは、通知する通信ポリシー設定情報を通信部４４ｂに入力する。
【０１７４】
通信制御部４７ｂは、通信部４４ｂから設定情報、通信ポリシー設定情報を取得する。又、提供情報提供部４１ｂは、通信部４４ｂから、受信した特定結果、特定した提供情報の送信の要求、特定した提供情報の送信の指示を取得する。これらの点以外は、通信制御部４７ｂ、提供情報提供部４１ｂは、図６に示した通信制御部４７ａ、提供情報提供部４１ａと実質的に同様である。
【０１７５】
リソース割当部４８ｃは、図６に示したリソース割当部４８ｂと同様に、通信リソースの割当、通信リソースの状況の監視部４９ｄへの入力を行う。リソース割当部４８ｃは、アクセス中継装置２０ｂを介して、配信サーバ４０ｂと中継装置５０ａとの間の通信リソースの割当を行う。
【０１７６】
通信部４４ｂは、図６に示した通信部４４ａと同様にして、提供情報を送信する。提供情報提示部４５ｂ、通知部４５ｃ、通信制御部４７ｂ、監視部４９ｄは、算出情報を通信部４４ｂに入力する。通信部４４ｂは、取得した算出情報を課金サーバ７０に送信する。
【０１７７】
〔中継装置、中継制御装置〕
中継装置５０ａは、端末装置３０ａ，３０ｂ、無線通信装置１０ｃ，１０ｄ、アクセス中継装置２０ａ，２０ｂ、配信サーバ４０ａ〜４０ｃ、中継制御装置５０ｂ、ポータルサーバ６０、課金サーバ７０との間の情報の送受信を中継する。中継制御装置５０ｂは、中継装置５０ａを制御する。
【０１７８】
図８に示すように、中継装置５０ａは、通信部５４ａと、通信制御部５７ａとを備える。通信部５４ａは、中継制御装置５０ｂ、無線通信装置１０ｃ，１０ｄ、アクセス中継装置２０ａ，２０ｂ、端末装置３０ａ，３０ｂ、ポータルサーバ６０、課金サーバ７０と通信する。
【０１７９】
通信部５４ａは、無線通信装置１０ｃ，１０ｄ、端末装置３０ａ，３０ｂ、配信サーバ４０ａ〜４０ｃから、特定情報、通信ポリシー設定情報、設定情報、送信制御情報を受信し、中継制御装置５０ｂに送信する。通信部５４ａは、中継制御装置５０ｂから、特定情報、通信ポリシー設定情報、設定情報、送信制御情報を受信し、無線通信装置１０ｃ，１０ｄ、端末装置３０ａ，３０ｂ、配信サーバ４０ａ〜４０ｃに送信する。又、通信部５４ａは、受信した送信制御情報を、通信制御部５７ａに入力する。通信制御部５７ａは、取得した送信制御情報に基づいて、通信部５４ａを制御する。
【０１８０】
通信部５４ａは、無線通信装置１０ｃ，１０ｄとトンネルを介して通信情報を送受信する無線通信装置通信手段である。通信部５４ａは、図１に示すように、無線通信装置１０ｃと、移動体通信網４上にトンネル（Ｄ）１ｄを確立する。通信部５４ａは、アクセス中継装置２０ａと、ＩＰトンネル５ｂ内にトンネル（Ｇ）１Ｇを確立する。通信部５４ａは、トンネル（Ｄ）１ｄ及びトンネル（Ｇ）１ｇを介して、無線通信装置１０ｃに提供情報を送信する。又、通信部５４ａは、端末装置３０ａ及び無線通信装置１０ｄと、近距離通信網３及び中継装置５０ａと無線通信装置１０ｄとの間のネットワーク上にトンネル（Ｂ）１ｂを確立する。通信部５４ａは、トンネル（Ｂ）１ｂを介して、端末装置３０ａに無線情報を送信する。
【０１８１】
又、通信部５４ａは、端末装置３０ａと、近距離通信網３上にトンネル（Ａ）１ａを確立する。通信部５４ａは、アクセス中継装置２０ｂと、ＩＰトンネル５ａ内にトンネル（Ｅ）１ｅを確立する。通信部５４ａは、トンネル（Ａ）１ａ及びトンネル（Ｅ）１ｅを介して、端末装置３０ａに提供情報を送信する。更に、通信部５４ａは、端末装置３０ａと、近距離通信網３上にトンネル（Ｃ）１ｃを確立する。通信部５４ａは、アクセス中継装置２０ａと、ＩＰトンネル５ｂ内にトンネル（Ｆ）１ｆを確立する。通信部５４ａは、トンネル（Ｃ）１ｃ及びトンネル（Ｆ）１ｆを介して、端末装置３０ａに提供情報を送信する。
【０１８２】
通信部５４ａは、提供情報、無線情報を受信すると、通信制御部５７ａの制御に従い、受信した提供情報、無線情報そのままを、オブジェクト単位毎に、端末装置３０ａ，３０ｂ、無線通信装置１０ｃに送信する。あるいは、通信部５４ａは、通信制御部５７ａの制御に従い、受信した提供情報、無線情報を中継制御装置５０ｂに送信する。そして、通信部５４ａは、中継制御装置５０ｂから、変換された提供情報、無線情報を受信する。通信部５４ａは、通信制御部５７ａの制御に従い、受信した変換後の提供情報、無線情報を、オブジェクト単位毎に、端末装置３０ａ，３０ｂ、無線通信装置１０ｃに送信する。又、通信部５４ａは、ヘッダの付加や削除を行い、カプセル化やディカプセル化を行う。
【０１８３】
このように、中継装置５０ａは、無線通信装置１０ｃ，１０ｄとトンネルを介して通信を行う通信装置として機能する。又、中継装置５０ａは、配信サーバ４０ａ〜４０ｃと端末装置３０ａ，３０ｂ、無線通信装置１０ｄと端末装置３０ａとの間の提供情報、無線情報の送信を中継する。
【０１８４】
又、通信部５４ａは、特定した提供情報の送信の指示、特定結果、算出情報を受信する。通信部５４ａは、受信した提供情報の送信の指示や特定結果を、アクセス中継装置２０ａ，２０ｂを介して、配信サーバ４０ａ〜４０ｃに送信する。又、通信部５４ａは、受信した特定結果を、端末装置３０ａ，３０ｂ、無線通信装置１０ｃに送信する。通信部５４ａは、受信した算出情報を課金サーバ７０に送信する。更に、通信部５４ａは、アクセス中継装置２０ａ，２０ｂ、配信サーバ４０ａ〜４０ｃ、端末装置３０ａ，３０ｂ又は無線通信装置１０ｃ，１０ｄと、ポータルサーバ６０との間の情報の送受信を中継する。
【０１８５】
図８に示すように、中継制御装置５０ｂは、ユーザ情報データベース５３と、通信部５４ｂと、通知部５５と、通信ポリシー設定部５６と、通信ポリシーデータベース５６ａと、設定条件制御部５６ｂと、通信制御部５７ｂと、変換部５８ａと、リソース割当部５８ｂと、監視部５９ａと、時計部５９ｂと、中継装置情報記憶部５９ｃとを備える。ユーザ情報データベース５３、通信ポリシーデータベース５６ａ、時計部５９ｂは、図３に示したユーザ情報データベース１３、通信ポリシーデータベース１６ａ、時計部１９ｂと同様である。設定条件制御部５６ｂは、図７に示した設定条件制御部５６ｂと同様である。
【０１８６】
監視部５９ａは、図３に示した監視部１９ａと同様にして、監視情報を取得する。具体的には、監視部５９ａは、通信部５４ｂ、中継装置５０ａを介して、図１に示した近距離通信網３、移動体通信網４、中継装置５０ａとアクセス中継装置２０ａ，２０ｂ及び無線通信装置１０ｄとの間の状況を取得する。又、監視部５９ａは、リソース割当部５８ｂ又は通信部５４ｂから、中継装置５０ａと端末装置３０ａ，３０ｂとの間の通信リソースの状況、中継装置５０ａと無線通信装置１０ｃ，１０ｄとの間の通信リソースの状況、中継装置５０ａと配信サーバ４０ａ，４０ｂとの間の通信リソースの状況を取得する。
【０１８７】
更に、監視部５９ａは、通信部５４ｂ、通信制御部５７ｂ、変換部５８ａ、リソース割当部５８ｂ、中継装置５０ａの通信部５４ａ、通信制御部５７ａの状況を監視する。監視部５９ａは、通信部５４ａ，５４ｂ、通信制御部５７ａ，５７ｂ、変換部５８ａ、リソース割当部５８ｂから、その負荷状況や処理状況を取得する。例えば、監視部５９ａは、通信部５４ａが情報の送受信を行っている通信中の端末装置３０ａ，３０ｂ、無線通信装置１０ｃ，１０ｄ、アクセス中継装置２０ａ，２０ｂ、配信サーバ４０ａ、４０ｂの数、通信部５４ａと、端末装置３０ａ，３０ｂ、無線通信装置１０ｃ，１０ｄ、アクセス中継装置２０ａ，２０ｂ、配信サーバ４０ａ、４０ｂとの間の通信路の数、通信部５４ａ，５４ｂが送受信しているデータ量、通信制御部５７ａ，５７ｂが制御している通信路の数、変換部５８ａが行うデータ変換量、リソース割当部５８ｂが行う処理量などの負荷状況を取得する。監視部５９ａは、通信部５４ａ，５４ｂが送受信を終了させた情報の割合、変換部５８ａが変換を終了させたデータ量の割合、リソース割当部５８ｂが終了させた処理量の割合などの処理状況を取得する。更に、監視部５９ａは、通信部５４ａ，５４ｂ、通信制御部５７ａ，５７ｂ、変換部５８ａ、リソース割当部５８ｂの負荷状況や処理状況から、中継装置５０ａ全体や中継制御装置５０ｂ全体の負荷状況や処理状況を求めてもよい。
【０１８８】
又、監視部５９ａは、図３に示した監視部１９ａと同様にして、通信ポリシーの達成度、通信品質やデータ品質、通信スケジュールの実際の状況を監視する。監視部５９ａは、通知部５５、通信ポリシー設定部５６からの監視情報の提供の要求に応じて、監視情報を取得する。監視部５９ａは、監視情報を、通知部５５、通信ポリシー設定部５６、設定条件制御部５６ｂ、通信制御部５７ｂ入力する。監視部５９ａは、現在の監視情報を入力してもよく、過去の監視情報を入力してもよい。
【０１８９】
中継装置情報記憶部５９ｃは、中継装置５０ａに関する中継装置情報と、中継制御装置５０ｂに関する中継制御装置情報を記憶する。中継装置情報、中継制御装置情報には、中継装置５０ａの識別子（以下「中継装置ＩＤ」という）、中継制御装置５０ｂの識別子（以下「中継制御装置ＩＤ」という）、中継装置５０ａの位置情報、中継装置５０ａや中継制御装置５０ｂの処理能力や通信速度、容量などの中継装置５０ａや中継制御装置５０ｂの性能に関する情報、中継装置５０ａや中継制御装置５０ｂの負荷状況や処理状況、中継制御装置５０ｂが希望する通信ポリシー、通信料金の希望上限額、提供してもよい中継装置５０ａに関する通信リソース、希望するオブジェクト単位、要求する品質、要求されるリアルタイム性、アドレスなどがある。又、中継装置情報には、中継装置５０ａ全体や中継制御装置５０ｂ全体に関する情報と、中継装置５０ａや中継制御装置５０ｂを構成する各構成に関する情報がある。尚、中継装置ＩＤや中継制御装置ＩＤとしては、中継装置５０ａや中継制御装置５０ｂに付与した番号や記号、文字などを用いることができる。
【０１９０】
通信部５４ｂは、中継装置５０ａ、ポータルサーバ６０から、特定情報を受信する。通信部５４ｂは、受信した特定情報を通知部５５に入力する。通信部５４ｂは、通知部５５から特定情報を取得する。通信部５４ｂは、特定情報を中継装置５０ａ、ポータルサーバ６０に送信する。
【０１９１】
通知部５５は、通信部５４ｂ、ユーザ情報データベース５３、通信ポリシー設定部５６、監視部５９ａ、中継装置情報記憶部５９ｃから、特定情報、端末情報、設定情報、監視情報、中継装置情報、中継制御装置情報を取得する。通知部５５は、取得した特定情報、端末情報、設定情報、監視情報、中継装置情報、中継制御装置情報に基づいて、特定情報を通知する。通知部５５は、無線通信装置１０ｃ，１０ｄ、端末装置３０ａ、配信サーバ４０ａに、特定情報を通知する。
【０１９２】
通信部５４ｂは、中継装置５０ａから、通信ポリシー設定情報、設定情報を受信する。通信部５４ｂは、受信した通信ポリシー設定情報、設定情報を通信ポリシー設定部５６、通信制御部５７ｂに入力する。通信部５４ｂは、通信ポリシー設定部５６から通信ポリシー設定情報、設定情報を取得する。通信部５４ｂは、通信ポリシー設定情報や設定情報を中継装置５０ａに送信する。
【０１９３】
通信ポリシー設定部５６は、トンネルを介して通信情報を送受信する際の通信ポリシーをオブジェクト単位毎に決定し、設定する。通信ポリシー設定部５６は、トンネルを用いない情報の送受信や、通信情報以外の情報の送受信を行う際の通信ポリシーについても、決定し、設定する。又、通信ポリシー設定部５６は、通信ポリシー設定情報を通知する。その際、通信ポリシー設定部５６は、通信部５４ｂから、通信ポリシー設定情報、設定情報を取得する。通信ポリシー設定部５６は、ユーザＩＤに基づいて、ユーザ情報データベース５３から、端末情報を取得する。通信ポリシー設定部５６は、時計部５９ｂ、監視部５９ａ、中継装置情報記憶部５９ｃから、時間情報、監視情報、中継装置情報、中継制御装置情報を取得する。通信ポリシー設定部５６は、通信ポリシーデータベース５６ａ又は設定条件制御部５６ｂから、通信ポリシーの設定規則、通信ポリシーの設定条件、オブジェクト単位の決定規則、達成目標値の算出規則、通信ポリシーの達成度、通信ポリシーの履歴に関する情報を取得する。
【０１９４】
通信ポリシー設定部５６は、取得した通信ポリシー設定情報、端末情報、時間情報、監視情報、中継装置情報、中継制御装置情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシーを決定し、設定する。通信ポリシー設定部５６は、通信ポリシー設定情報、設定情報を、通信部５４ｂに入力する。通信ポリシー設定部５６は、設定情報を通信制御部５７ｂ、通知部５５に入力する。
【０１９５】
又、通信ポリシー設定部５６は、通信ポリシーの達成目標値の設定、設定した通信ポリシー及び達成目標値、オブジェクト単位、取得した設定情報、取得した監視情報の通信ポリシーデータベース５６ａへの格納を行う。又、通信ポリシー設定部５６は、通信ポリシーデータベース５６ａから、設定した通信ポリシーを取得し、監視部５９ａに入力する。
【０１９６】
通信ポリシー設定部５６は、取得した通信ポリシー設定情報、端末情報、時間情報、監視情報、中継装置情報、中継制御装置情報、通信ポリシーの設定規則、通信ポリシーの設定条件、オブジェクト単位の決定規則、達成目標値の算出規則、通信ポリシーの達成度、通信ポリシーの履歴に関する情報に基づいて、通信ポリシー設定情報を通知する。通信ポリシー設定部５６は、無線通信装置１０ｃ，１０ｄ、端末装置３０ａ、配信サーバ４０ａに、通信ポリシー設定情報を通知する。通信ポリシー設定部５６は、通知する通信ポリシー設定情報を、通信部５４ｂに入力する。
【０１９７】
通信制御部５７ｂは、図３に示した通信制御部１７と同様にして、オブジェクト単位毎に送信制御情報を決定する。その際、通信制御部５７ｂは、通信ポリシー設定部５６、通信部５４ｂ、ユーザ情報データベース５３、監視部５９ａ、時計部５９ｂ、中継装置情報記憶部５９ｃから、設定情報、通信ポリシー設定情報、端末情報、監視情報、中継装置情報、中継制御装置情報、時間情報を取得する。通信制御部５７ｂは、決定した送信制御情報を、通信部５４ｂに入力する。通信部５４ｂは、送信制御情報を中継装置５０ａに送信する。
【０１９８】
又、通信部５４ｂは、中継装置５０ａから送信制御情報を受信する。通信部５４ｂは、受信した送信制御情報を、通信制御部５７ｂに入力する。通信制御部５７ｂは、時間情報と、決定した送信制御情報、又は、通信部５４ｂから取得した送信制御情報に基づいて、変換部５８ａ、リソース割当部５８ｂを制御する。
【０１９９】
リソース割当部５８ｂは、図６に示したリソース割当部４８ｂと同様に、通信リソースの割当、通信リソースの状況の監視部５９ａへの入力を行う。リソース割当部５８ｂは、中継装置５０ａと端末装置３０ａ，３０ｂとの間の通信リソース、中継装置５０ａと無線通信装置１０ｃ，１０ｄとの間の通信リソース、中継装置５０ａと配信サーバ４０ａ〜４０ｃとの間の通信リソースの割当を行う。
【０２００】
通信部５４ｂは、中継装置５０ａから、提供情報、無線情報を受信する。通信部５４ｂは、受信した提供情報、無線情報を、変換部５８ａに入力する。変換部５８ａは、通信制御部５７ｂの制御に従って、オブジェクト単位毎に提供情報、無線情報を変換する。変換部５８ａは、変換した提供情報、無線情報を通信部５４ｂに入力する。通信部５４ｂは、変換された提供情報、無線情報を、中継装置５０ａに送信する。
【０２０１】
又、通知部５５、通信ポリシー設定部５６、通信制御部５７ｂ、監視部５９ａは、算出情報を通信部５４ｂに入力する。通信部５４ｂは、取得した算出情報を課金サーバ７０に送信する。
【０２０２】
〔ポータルサーバ〕
ポータルサーバ６０は、配信サーバ４０ａ〜４０ｃが提供する提供情報に関する情報を、無線通信装置１０ｃ，１０ｄ、端末装置３０ａ，３０ｂ、中継制御装置５０ｂに提供する。又、ポータルサーバ６０は認証を行う。更に、ポータルサーバ６０は、配信サーバ４０ａ〜４０ｃから、提供情報に関する情報を取得し、ポータルサーバ６０に登録する。又、ポータルサーバ６０は、タグＩＤ管理データベースが記憶する情報を、無線通信装置１０ｃ，１０ｄ、端末装置３０ａ，３０ｂ、配信サーバ４０ａ〜４０ｃ、中継制御装置５０ｂに提供する。
【０２０３】
図９に示すように、ポータルサーバ６０は、通信部６４と、認証部６１と、ユーザ情報データベース６３と、提供情報提示部６５と、サービスリソースデータベース６２と、登録部６６と、タグＩＤ提供部６７と、タグＩＤ管理データベース６８とを備える。ユーザ情報データベース６３は、図２（ｂ）に示したユーザ情報データベース１３と同様である。サービスリソースデータベース６２は、提供情報に関する情報を記憶する。サービスリソースデータベース６２は、コンテンツＩＤに対応付けて、その他の提供情報に関する情報を記憶する。
【０２０４】
通信部６４は、中継装置５０ａ、中継制御装置５０ｂ、課金サーバ７０と通信する。通信部６４は、中継装置５０ａ、中継制御装置５０ｂから、特定情報を受信する。通信部６４は、特定情報を認証部６１に入力する。認証部６１は、提供情報ユーザの認証を行う。認証部６１は、通信部６４から特定情報を取得する。認証部６１は、取得した特定情報に含まれるユーザＩＤとパスワードが、ユーザ情報データベース６３に記憶された提供情報ユーザのユーザＩＤとパスワードと一致するかを判断して、認証を行う。認証部６１は、ユーザＩＤとパスワードが一致する場合には、提供情報ユーザであると判断する。この場合には、認証部６１は、取得した特定情報を、提供情報提示部６５に入力する。
【０２０５】
一方、認証部６１は、ユーザＩＤとパスワードが一致しない場合には、提供情報ユーザではないと判断する。この場合には、認証部６１は、取得した特定情報を、提供情報提示部６５に入力せずに破棄する。更に、認証部６１は、端末装置３０ａ，３０ｂに対する提供情報ユーザとして認証できない旨の通知を、通信部６４に入力する。通信部６４は、中継装置５０ａを介して端末装置３０ａ，３０ｂに認証できない旨の通知を送信する。尚、認証部６１は、ユーザＩＤとパスワードが一致しない場合に、端末装置３０ａ，３０ｂに対して、再度、ユーザＩＤとパスワードを送信するよう指示してもよい。この場合には、認証部６１は、再度認証を行う。認証部６１により、提供情報の送信を提供情報ユーザに制限できる。このように、認証部６１は、配信サーバ４０ａ〜４０ｃの通信部４４ａ，４４ｂによる提供情報の送信を制限する提供情報制限手段として機能できる。そのため、通信システム１は、提供情報の送信を提供情報ユーザに制限できる。
【０２０６】
提供情報提示部６５は、提供情報に関する情報を、無線通信装置１０ｃ，１０ｄ、端末装置３０ａ，３０ｂ、中継制御装置５０ｂに提供する。提供情報提示部６５は、認証部６１から特定情報を取得する。又、提供情報提示部６５は、特定情報に含まれるユーザＩＤに基づいて、ユーザ情報データベース６３から端末情報を取得する。提供情報提示部６５は、取得した特定情報と、端末情報に基づいて、サービスリソースデータベース６２を検索し、無線通信装置１０ｃ，１０ｄ、端末装置３０ａ，３０ｂ、中継制御装置５０ｂに提供する提供情報に関する情報を取得する。提供情報提示部６５は、取得した提供情報に関する情報を、特定情報として、通信部６４に入力する。通信部６５は、特定情報を中継制御装置５０ｂに送信する。通信部６５は、中継装置５０ａを介して、特定情報を無線通信装置１０ｃ，１０ｄ、端末装置３０ａ〜３０ｅに送信する
登録部６６は、提供情報に関する情報を、サービスリソースデータベース６２に登録する。通信部６４は、配信サーバ４０ａ〜４０ｃから、中継装置５０ａを介して、提供情報に関する情報を受信する。通信部６４は、受信した提供情報に関する情報を、登録部６６に入力する。登録部６６は、取得した提供情報に関する情報に含まれるコンテンツＩＤに対応付けて、その他の提供情報に関する情報を、サービスリソースデータベース６２に格納する。又、登録部６６は、配信サーバ４０ａ，４０ｂに対する提供情報に関する情報の要求を、通信部６４に入力してもよい。この場合、登録部６６は、要求に対して送信された提供情報に関する情報を、サービスリソースデータベース６２に格納する。
【０２０７】
タグＩＤ管理データベース６８は、無線通信装置１０ａ〜１０ｅの設置位置や現在位置、無線通信装置１０ａ〜１０ｅと通信中の端末装置３０ａ，３０ｂのユーザＩＤのリスト、無線通信装置１０ａ〜１０ｅと過去に通信を行った端末装置３０ａ，３０ｂのユーザＩＤのリスト、ある端末装置３０ａ，３０ｂが無線通信装置１０ａ〜１０ｅと通信を開始した時刻や通信を行っている時間、無線通信装置１０ａ〜１０ｅに固定的又は一時的に付与されたグローバルＩＰアドレス情報、無線通信装置１０ａ〜１０ｅに付与されたプライベートＩＰアドレス情報、無線通信装置１０ａ〜１０ｅへのアクセス条件、無線通信装置１０ｄ〜１０ｆが設定可能な通信ポリシー、無線通信装置１０ａ〜１０ｅが通信可能な領域内に存在する無線通信装置１０ａ〜１０ｅのタグＩＤを、タグＩＤに対応付けて記憶する。又、タグＩＤ管理データベース６８は、タググループに属する無線通信装置１０ａ〜１０ｅのタグＩＤのリスト、タググループに属する無線通信装置１０ｃ，１０ｄが設定可能な通信ポリシー、提供可能な無線情報や中継処理、そのデータ品質や通信品質を、タググループＩＤに対応付けて記憶する。
【０２０８】
尚、無線通信装置１０ａ〜１０ｅへのアクセス条件には、タグＩＤを提供してもよい端末装置３０ａ，３０ｂ、無線通信装置１０ａ〜１０ｅ、配信サーバ４０ａ〜４０ｃ、中継制御装置５０ｂを限定した条件、無線通信装置１０ａ〜１０ｅの利用に関する制限条件、無線通信装置１０ａ〜１０ｅへのアクセス数の制限条件、無線通信装置１０ａ〜１０ｅが提供する無線情報や中継処理ごとのアクセス数の制限条件などがある。又、無線通信装置１０ａ〜１０ｅの利用に関する制限条件には、無線通信装置１０ａ〜１０ｅが提供可能な無線情報や中継処理、そのデータ品質や通信品質、無線通信装置１０ａ〜１０ｅの利用時に設定可能な通信ポリシー、無線情報や中継処理の利用可能時間などがあり、タグＩＤに対応付けて記憶されている。
【０２０９】
通信部６４は、中継装置５０ａを介して、無線通信装置１０ｃ，１０ｄ、端末装置３０ａ，３０ｂ、アクセス中継装置２０ａ，２０ｂ、配信サーバ４０ａ〜４０ｃから、タグＩＤ管理データベース６８に記憶されている情報に関する問い合わせを受信する。又、通信部６４は、中継制御装置５０ｂから問い合わせを受信する。通信部６４は、受信した問い合わせをタグＩＤ提供部６７に入力する。問い合わせには、例えば、通信可能な無線通信装置１０ａ〜１０ｅの問い合わせ、無線通信装置１０ａ〜１０ｅに付与されているアドレスの問い合わせなどがある。
【０２１０】
タグＩＤ提供部６７は、通信部６４から問い合わせを取得する。タグＩＤ提供部６７は、問い合わせに基づいて、タグＩＤ管理データベース６８を検索し、情報を取得する。タグＩＤ提供部６７は、取得した情報を、問い合わせに対する応答として、通信部６４に入力する。通信部６４は、取得した応答を、中継装置５０ａを介して、無線通信装置１０ｃ，１０ｄ、端末装置３０ａ，３０ｂ、アクセス中継装置２０ａ，２０ｂ、配信サーバ４０ａ〜４０ｃ、中継制御装置５０ｂに送信する。又、通信部６４は、取得した応答を、中継制御装置５０ｂに送信する。
【０２１１】
例えば、通信可能な無線通信装置１０ａ〜１０ｅの問い合わせには、問い合わせをしてきた無線通信装置１０ｃ，１０ｄ、端末装置３０ａ，３０ｂ、アクセス中継装置２０ａ，２０ｂ、配信サーバ４０ａ〜４０ｃ、中継制御装置５０ｂ自身の位置情報や、タグＩＤが含まれる。タグＩＤ提供部６７は、問い合わせに含まれる位置情報やタグＩＤに基づいて、タグＩＤ管理データベース６８を検索し、問い合わせをしてきた無線通信装置１０ｃ，１０ｄ、端末装置３０ａ，３０ｂ、アクセス中継装置２０ａ，２０ｂ、配信サーバ４０ａ〜４０ｃ、中継制御装置５０ｂ自身と通信可能な位置に存在する無線通信装置１０ａ〜１０ｅのタグＩＤや、問い合わせに含まれるタグＩＤの無線通信装置１０ａ〜１０ｅと通信可能な位置に存在する無線通信装置１０ａ〜１０ｅのタグＩＤを取得する。タグＩＤ提供部６７は、取得したタグＩＤを応答として通信部６４に入力する。このとき、タグＩＤ提供部６７は、通信可能な位置に存在する無線通信装置１０ａ〜１０ｅのタグＩＤだけでなく、そのタグＩＤに対応付けられたグローバルＩＰアドレスやプライベートＩＰアドレスを応答に含めてもよい。
【０２１２】
又、無線通信装置１０ａ〜１０ｅに付与されているアドレスの問い合わせには、無線通信装置１０ａ〜１０ｅのタグＩＤが含まれる。タグＩＤ提供部６７は、問い合わせに含まれるタグＩＤに基づいて、タグＩＤ管理データベース６８を検索し、タグＩＤに対応付けられたグローバルＩＰアドレスやプライベートＩＰアドレスを取得する。タグＩＤ提供部６７は、取得したアドレスを応答として通信部６４に入力する。提供情報提示部６５、登録部６６、タグＩＤ提供部６７は、算出情報を通信部６４に入力する。通信部６４は、取得した算出情報を課金サーバ７０に送信する。
【０２１３】
〔課金サーバ〕
課金サーバ７０は、無線情報、提供情報などの通信情報の送受信に関する通信料金など、通信システム１において発生する料金を課金する。図１０に示すように、課金サーバ７０は、通信部７１と、課金部７２と、課金データベース７３とを備える。
【０２１４】
課金データベース７３は、課金に関する課金情報を記憶する課金情報記憶手段である。課金データベース７３は、課金情報として、例えば、算出情報、料金を算出する料金算出規則、課金する課金料金を記憶する。課金データベース７３は、ユーザＩＤに対応付けて、算出情報、課金料金を記憶する。通信部７１は、中継制御装置５０ｂ、ポータルサーバから、算出情報を受信する。又、通信部７１は、中継装置５０ａを介して、無線通信装置１０ｃ，１０ｄ、端末装置３０ａ，３０ｂ、配信サーバ４０ａ〜４０ｃから、算出情報を受信する。通信部７１は、受信した算出情報を課金部７２に入力する。
【０２１５】
課金部７２は、通信料金を課金する課金手段である。課金部７２は、通信料金だけでなく、通信システム１において発生する料金を課金する。課金部７２は、通信部７１から算出情報を取得する。課金部７２は、課金データベース７３から、料金算出規則を取得する。課金部７２は、算出情報、料金算出規則に基づいて、通信料金などの通信システム１において発生する料金を算出する。課金部７２は、算出した料金を、課金料金として課金する。課金部７２は、取得した算出情報、課金した課金料金を課金データベース７３に格納する。これにより、課金データベース７３が更新される。尚、課金部７２が、課金料金を通信部７１に入力し、通信部７１が、取得した課金料金を端末装置３０ａ，３０ｂに送信してもよい。
【０２１６】
次に、提供情報の特定、通信ポリシーの設定、通信情報の送信、通信料金の算出について、詳細に説明する。
【０２１７】
〔提供情報の特定〕
図３、図４、図６に示した提供情報特定部１５，３５，４５ａは、端末装置３０ａ，３０ｂの無線通信部３１ａ，３１ｂが受信した無線情報に基づいて、通信情報である提供情報を特定する。受信した無線情報が対象物情報の場合、提供情報特定部１５，３５，４５ａは、例えば、提供情報として対象物関連情報を特定する。例えば、提供情報特定部１５，３５，４５ａは、対象物情報が装置の型番の場合、その装置の取り扱い方法を記載したテキスト情報を特定する。提供情報特定部１５，３５，４５ａは、対象物情報が食料品の種類の場合、その食料品を用いた料理方法を動画像と音声で説明する情報を特定する。提供情報特定部１５，３５，４５ａは、対象物情報が看板の位置情報の場合、その位置情報周辺の地図を表した静止画像情報を特定する。提供情報特定部１５，３５，４５ａは、対象物情報が電車の停車駅の場合、その停車駅周辺の店舗情報を静止画像とテキストで説明する情報を特定する。
【０２１８】
受信した無線情報が対象領域情報の場合、提供情報特定部１５，３５，４５ａは、例えば、提供情報として対象領域関連情報を特定する。例えば、提供情報特定部１５，３５，４５ａは、対象領域情報が領域ＩＤとその領域の温度の場合、その領域で火災が発生している可能性があるか否かを音声で通知する災害情報を特定する。受信した無線情報が無線通信装置情報の場合、提供情報特定部１５，３５，４５ａは、例えば、提供情報として無線通信装置関連情報を特定する。例えば、提供情報特定部１５，３５，４５ａは、無線通信装置情報が無線通信装置１０ａ〜１０ｅのタグＩＤの場合、そのタグＩＤの無線通信装置１０ａ〜１０ｅ周辺の交通情報を音声で説明する情報を特定する。提供情報特定部１５，３５，４５ａは、無線通信装置情報がタググループＩＤの場合、そのタググループＩＤを受信したユーザに限定された情報を特定する。
【０２１９】
受信した無線情報が広告情報の場合、提供情報特定部１５，３５，４５ａは、例えば、提供情報として広告関連情報を特定する。例えば、提供情報特定部１５，３５，４５ａは、広告情報が講演会や学会発表、討論会などのイベント情報の場合、その講演会や学会発表、討論会を動画像と音声で中継する情報や、イベント会場の地図を表した静止画像情報を特定できる。提供情報特定部１５，３５，４５ａは、広告情報が番組内容などの放送情報の場合、より詳細な番組内容をテキストと静止画像で説明する情報を特定できる。提供情報特定部１５，３５，４５ａは、広告情報が観光地の場所を示す観光情報の場合、その観光地までの行き方を、音声と静止画像を用いてナビゲーションする情報を特定する。提供情報特定部１５，３５，４５ａは、広告情報がアドレス情報の場合、そのアドレスで提供されている情報を特定する。提供情報特定部１５，３５，４５ａは、広告情報が予告通知のような配信情報の場合、その予告通知された情報を特定する。
【０２２０】
提供情報には、無線情報に対して固定的に特定される提供情報がある。そのため、提供情報特定部１５，３５，４５ａは、受信した無線情報が、提供情報を特定する無線情報である提供情報を特定することができる。
【０２２１】
更に、提供情報特定部１５，３５，４５ａは、受信した無線情報に加えて、測定情報、位置情報、時間情報、ネットワークの状況、通信リソースの状況、提供情報に関する情報、配信サーバ情報、中継装置情報、中継制御装置情報、端末情報、無線通信装置情報、端末装置３０ａ，３０ｂと無線通信装置１０ａ〜１０ｅとの関係、通信料金、通信ポリシー設定部１６，３６，４６，５６が設定した通信ポリシー又は要求されるリアルタイム性の少なくとも１つに基づいて、提供情報を特定することが好ましい。
【０２２２】
これらの情報は、一部重複するものもある。測定情報、ネットワークの状況、通信リソースの状況、提供情報に関する情報、配信サーバ情報、中継装置情報、中継制御装置情報、端末情報、無線通信装置情報、通信料金、通信ポリシー、要求されるリアルタイム性は、上述したとおりである。位置情報は、例えば、端末装置３０ａ，３０ｂの現在位置や移動先の位置、無線通信装置１０ａ〜１０ｅの位置、配信サーバ４０ａ〜４０ｃ端末装置３０ａ，３０ｂとの位置関係などがある。尚、位置情報は、緯度、経度、方位などを用いて表すことができる。時間情報は、例えば、現在時刻、提供情報の送信完了を希望する時刻、処理や提供情報の利用時間などがある。
【０２２３】
端末装置３０ａ，３０ｂと無線通信装置１０ａ〜１０ｅとの関係は、より詳細には、端末装置３０ａ，３０ｂの無線通信部３１ａ，３１ｂと、無線通信装置１０ａ〜１０ｅの無線通信部１１ａ〜１１ｃとの関係に相当する。具体的には、端末装置３０ａ，３０ｂと無線通信装置１０ａ〜１０ｅとの関係には、端末装置３０ａ，３０ｂと無線通信装置１０ａ〜１０ｅとの距離や相対速度、通信端末３０ａ，３０ｂから所定の範囲内に存在する無線通信装置１０ａ〜１０ｅの数、無線通信装置１０ａ〜１０ｅが情報の送受信をしている通信中の端末装置３０ａ，３０ｂの数、無線通信装置１０ａ〜１０ｅと端末装置３０ａ，３０ｂとの間の通信路の数、端末装置３０ａ，３０ｂが情報の送受信をしている通信中の無線通信装置１０ａ〜１０ｅの数などがある。
【０２２４】
提供情報特定部１５，３５，４５ａは、受信した無線情報に加えて、端末情報を用いる場合、例えば、ユーザの履歴情報にあった提供情報を特定する。例えば、提供情報特定部１５，３５，４５ａは、ユーザがこれまでに最も多く受信している提供情報を特定する。提供情報特定部１５，３５，４５ａは、受信した無線情報に加えて、測定情報を用いる場合、例えば、端末装置３０ａ，３０ｂ周辺の気温や湿度、ユーザの状態にあった提供情報を特定する。例えば、提供情報特定部１５，３５，４５ａは、ユーザの脈拍が閾値以下の場合には、医療機関の端末装置に身体の異常を音声で通知する医療情報を特定する。
【０２２５】
提供情報特定部１５，３５，４５ａは、受信した無線情報に加えて、位置情報を用いる場合、例えば、位置情報にあった提供情報を特定する。例えば、提供情報特定部１５，３５，４５ａは、ユーザの移動先の店舗情報を特定する。提供情報特定部１５，３５，４５ａは、受信した無線情報に加えて、時間情報を用いる場合、例えば、時間情報にあった提供情報を特定する。例えば、提供情報特定部１５，３５，４５ａは、現在時刻で利用可能な遊戯施設に関する情報を特定する。
【０２２６】
提供情報特定部１５，３５，４５ａは、受信した無線情報に加えて、ネットワークの状況を用いる場合には、例えば、ネットワークのトラフィック量にあった提供情報を特定する。例えば、提供情報特定部１５，３５，４５ａは、ある領域に存在する端末装置３０ａ，３０ｂの数が多いほど、データ量の少ない提供情報を特定し、端末装置３０ａ，３０ｂの数が少ないほど、データ量の多い提供情報を特定する。提供情報特定部１５，３５，４５ａは、受信した無線情報に加えて、通信リソースの状況と、提供情報に関する情報を用いる場合には、例えば、空き通信リソース量で送信可能なデータ量の提供情報を特定する。
【０２２７】
提供情報特定部１５，３５，４５ａは、受信した無線情報に加えて、配信サーバ情報や中継装置情報と、提供情報に関する情報を用いる場合には、例えば、配信サーバ４０ａ〜４０ｃや中継装置５０ａの負荷状況で送信可能な提供情報を特定する。提供情報特定部１５，３５，４５ａは、受信した無線情報に加えて、端末装置３０ａ，３０ｂに関する情報を用いる場合には、例えば、端末装置３０ａの出力部３８ｂで出力可能な映像情報を特定する。提供情報特定部１５，３５，４５ａは、受信した無線情報に加えて、無線通信装置情報を用いる場合には、例えば、無線通信装置１０ａ〜１０ｅの処理状況で送信可能な提供情報を特定する。
【０２２８】
提供情報特定部１５，３５，４５ａは、受信した無線情報に加えて、端末装置３０ａ，３０ｂと無線通信装置１０ａ〜１０ｅとの関係を用いる場合には、その関係にあった提供情報を特定する。例えば、端末装置３０ａ，３０ｂと無線通信装置１０ａ〜１０ｅとの相対速度から、端末装置３０ａ，３０ｂが無線通信装置１０ａ〜１０ｅと通信可能な距離にいる間に、送信が完了する提供情報を特定する。このような提供情報の特定は、例えば、無線通信装置１０ａ〜１０ｅがバスの停留所に付けられており、端末装置３０ａ，３０ｂがバスや電車などの移動手段に配置されている場合などに行われる。提供情報特定部１５，３５，４５ａは、受信した無線情報に加えて、通信料金と提供情報に関する情報を用いる場合には、ユーザが要求する通信料金の上限値の範囲内で送信可能な料金の提供情報を特定する。
【０２２９】
提供情報特定部１５，３５，４５ａは、受信した無線情報に加えて、設定した通信ポリシーを用いる場合には、設定された通信ポリシーにあった提供情報を特定する。例えば、提供情報特定部１５，３５，４５ａは、設定した通信ポリシーで送信可能な提供情報を特定する。このように、提供情報特定部１５，３５，４５ａは、提供情報を送信する際の通信ポリシーを設定した後に、その設定した通信ポリシーに基づいて提供情報を特定してもよい。
【０２３０】
提供情報特定部１５，３５，４５ａは、受信した無線情報に加えて、要求されるリアルタイム性を用いる場合には、要求されるリアルタイム性にあった提供情報を特定する。例えば、提供情報特定部１５，３５，４５ａは、要求されるリアルタイム性の高い人命救助や医療、災害に関する緊急情報を特定する。
【０２３１】
特定情報には、提供情報の特定に用いる情報がある。提供情報の特定に用いる情報には、これらの無線通信部３１ａ，３１ｂが受信した無線情報、測定情報、位置情報、時間情報、ネットワークの状況、通信リソースの状況、提供情報に関する情報、配信サーバ情報、中継装置情報、端末情報、無線通信装置情報、端末装置３０ａ，３０ｂと無線通信装置１０ａ〜１０ｅとの関係、通信料金、設定された通信ポリシー、要求されるリアルタイム性などがある。
【０２３２】
提供情報特定部３５は、端末装置３０ａが受信、監視、記憶、測定、入力などにより把握している提供情報の特定に用いる情報に基づいて、提供情報を特定できる。又、無線通信装置１０ｃ，１０ｄ、端末装置３０ａ，３０ｂ、配信サーバ４０ａ〜４０ｃ、中継制御装置５０ｂ、ポータルサーバ６０は、監視、受信、記憶、測定、入力などにより把握している提供情報の特定に用いる情報を、提供情報特定部１５，３５，４５ａ、通知部３８、５５、提供情報提示部４５ｂを用いて、特定情報として相互に通知しあうことができる。そして、提供情報特定部１５，３５，４５ａは、無線通信装置１０ｃ、端末装置３０ａ、配信サーバ４０ａが把握している提供情報の特定に用いる情報と、通知された特定情報を用いて、提供情報を特定する。
【０２３３】
又、提供情報特定部１５，３５，４５ａは、単独で提供情報を特定してもよく、相互に調整して提供情報を特定してもよい。例えば、提供情報を特定する主体の提供情報特定部が、他の提供情報特定部に、特定しようとする希望の提供情報を通知し、検討するように指示をする。他の提供情報特定部は、その通知内容を検討し、検討結果を主体の提供情報特定部に通知する。主体の提供情報特定部は、取得した検討結果に基づいて、提供情報を特定する。
【０２３４】
又、提供情報を特定する主体の提供情報特定部が、他の第１の提供情報特定部から、特定しようとする希望の提供情報の通知を受ける。主体の提供情報特定部は、希望の提供情報の通知を、第１の提供情報特定部以外の第２の提供情報特定部に通知し、検討するように指示する。第２の提供情報特定部は、その通知内容を検討し、検討結果を主体の提供情報特定部に通知する。主体の提供情報特定部は、取得した検討結果を、第１の提供情報特定部に通知して、検討するように指示をする。第１の提供情報特定部は、第２の提供情報特定部の検討結果に基づいて、再度、検討する。第１の提供情報特定部は、再検討した希望の提供情報を、主体の提供情報特定部に通知する。主体の提供情報特定部は、再検討された結果に基づいて、提供情報を特定する。
【０２３５】
そのため、特定情報には、このような通知のように提供情報を特定する際の調整に用いる情報もある。尚、提供情報特定部１５，３５，４５ａは、このようなやりとりを複数回繰り返してもよい。
【０２３６】
更に、通知部３８、５５，６５、提供情報提示部４５ｂは、提供情報特定部１５，３５，４５ａに対して、提供情報の特定を要求できる。そのため、特定情報には、提供情報の特定の要求もある。尚、通知部３８、５５、提供情報提示部４５ｂは、提供情報の特定の要求に、提供情報の特定に用いる情報を含めてもよい。
【０２３７】
又、提供情報特定部１５，３５，４５ａは、通知部３８、５５、提供情報提示部４５ｂや、他の提供情報特定部１５，３５，４５ａに、提供情報の特定に用いる情報を要求できる。要求を受けた通知部３８，５５、提供情報提示部４５ｂや、他の提供情報特定部１５，３５，４５ａは、要求に対する応答として、提供情報の特定に用いる情報を返す。そのため、特定情報には、このような要求、応答などの提供情報の特定に用いる情報をやりとりするための情報もある。尚、提供情報特定部１５，３５，４５ａ、通知部３８，５５、提供情報提示部４５ｂは、このようなやりとりを複数回繰り返してもよい。又、提供情報特定部１５，３５，４５ａは、通知部３８、５５、提供情報提示部４５ｂから、提供情報の特定の要求を受けた際に、提供情報の特定に用いる情報を要求してもよい。
【０２３８】
又、特定情報には、提供情報特定部４５ａ，提供情報提示部４５ｂが提供する提供情報に関する情報がある。提供情報特定部１５，３５は、提供情報特定部４５ａ、提供情報提示部４５ｂが提供する提供情報の中から、提供情報を特定できる。又、出力部３８ｂが、提示された提供情報に関する情報を出力し、入力部３８ａが提供結果を入力することにより、提供情報を特定してもよい。
【０２３９】
提供情報特定部１５，３５は、提供情報特定部４５ａ、提供情報提示部４５ｂに、提供情報に関する情報の提供を要求できる。提供情報に関する情報の提供の要求も特定情報である。提供情報特定部４５ａ、提供情報提示部４５ｂは、提供の要求に対して提供情報に関する情報を提供する。提供情報特定部１５，３５と、提供情報特定部４５ａや提供情報提示部４５ｂは、このようなやりとりを複数回繰り返してもよい。
【０２４０】
提供情報特定部４５ａ、提供情報提示部４５ｂは、端末装置３０ａ，３０ｂの無線通信部３１ａ，３１ｂが受信した無線情報に基づいて、提供する提供情報に関する情報を決定する。更に、提供情報特定部４５ａ、提供情報提示部４５ｂは、受信した無線情報に加えて、測定情報、位置情報、時間情報、ネットワークの状況、提供情報に関する情報、通信リソースの状況、配信サーバ情報、中継装置情報、中継制御装置情報、端末情報、無線通信装置情報、端末装置３０ａ，３０ｂと無線通信装置１０ａ〜１０ｅとの関係、通信料金、設定された通信ポリシー、要求されるリアルタイム性の少なくとも１つに基づいて、提供する提供情報に関する情報を決定することが好ましい。
【０２４１】
提供情報特定部４５ａ、提供情報提示部４５ｂは、提供情報特定部１５，３５，４５ａと同様に、配信サーバ４０ａ〜４０ｃが把握している提供情報の特定に用いる情報に基づいて、提供する提供情報に関する情報を決定できる。又、提供情報特定部４５ａ、提供情報提示部４５ｂは、無線通信装置１０ｃ，１０ｄ、端末装置３０ａ，３０ｂ、中継制御装置５０ｂから、それらが把握している提供情報の特定に用いる情報を取得できる。そして、提供情報特定部４５ａ、提供情報提示部４５ｂは、配信サーバ４０ａ〜４０ｃが把握している提供情報の特定に用いる情報と、通知された特定情報を用いて、提供する提供情報に関する情報を決定する。又、提供情報特定部４５ａ、提供情報提示部４５ｂは、通知部３８，５５、提供情報特定部１５，３５に、提供情報の特定に用いる情報を要求できる。
【０２４２】
このように、提供情報特定部４５ａや提供情報提示部４５ｂが、提供情報特定部１５，３５に対して、提供情報に関する情報を提供し、提供情報特定部１５，３５が、提供された提供情報に関する情報に基づいて、提供情報を特定することができる。そのため、提供情報特定部１５，３５は、提供情報特定部４５ａや提供情報提示部４５ｂによって提供された提供情報に関する情報に基づいて、提供情報を容易に特定できる。
【０２４３】
尚、提供情報特定部１５，３５，４５ａ、通知部３８，５５、提供情報提示部４５ｂが、特定情報をやりとりする際には、ユーザＩＤに特定情報を対応付けてやりとりする。
【０２４４】
又、提供情報特定部１５，４５ａや提供情報提示部４５ｂが、端末情報に基づいて、提供情報の特定や提供する提供情報に関する情報の決定を行うことにより、提供情報の送信を提供情報ユーザに制限できる。具体的には、提供情報特定部１５，４５ａや提供情報提示部４５ｂは、特定情報に含まれるユーザＩＤとパスワードが、ユーザ情報データベース１３，４３に記憶された提供情報ユーザのユーザＩＤとパスワードと一致するかを判断して、認証を行う。提供情報特定部１５，４５ａや提供情報提示部４５ｂは、ユーザＩＤとパスワードが一致する場合には、提供情報ユーザであると判断する。この場合には、提供情報特定部１５，４５ａや提供情報提示部４５ｂは、提供情報ユーザにその利用が限られた提供情報を特定したり、提供情報に関する情報を提供したりする。
【０２４５】
一方、提供情報特定部１５，４５ａや提供情報提示部４５ｂは、ユーザＩＤとパスワードが一致しない場合には、提供情報ユーザではないと判断する。この場合には、提供情報特定部１５，４５ａや提供情報提示部４５ｂは、提供情報ユーザにその利用が限られた提供情報を特定したり、提供情報に関する情報を提供したりしない。尚、特定情報にパスワードが含まれていない場合には、提供情報特定部１５，４５ａや提供情報提示部４５ｂは、提供情報特定部３５や通知部３８に、パスワードを特定情報として通知するように要求する。
【０２４６】
又、提供情報特定部１５，４５ａや提供情報提示部４５ｂが、配信サーバ４０ａ〜４０ｃに関する情報に基づいて、提供情報の特定や提供する提供情報に関する情報の決定を行うことにより、同時に提供情報を送信するユーザ数を制限できる。具体的には、提供情報特定部１５，４５ａや提供情報提示部４５ｂは、配信サーバ４０ａ〜４０ｃの通信部４４ａ，４４ｂが情報の送受信を行っている通信中の端末装置３０ａ，３０ｂの数と、配信サーバ４０ａ〜４０ｃが制限するユーザ数を比較する。
【０２４７】
提供情報特定部１５，４５ａや提供情報提示部４５ｂは、通信中の端末装置３０ａ，３０ｂの数が、制限するユーザ数未満の場合には、ユーザ数を制限したい提供情報を特定したり、提供情報に関する情報を提供したりする。一方、提供情報特定部１５，４５ａや提供情報提示部４５ｂは、通信中の端末装置３０ａ，３０ｂの数が、制限するユーザ数以上の場合には、ユーザ数を制限したい提供情報を特定したり、提供情報に関する情報を提供したりしない。このように、提供情報特定部１５，４５ａや提供情報提示部４５ｂは、配信サーバ４０ａ〜４０ｃの通信部４４ａ，４４ｂによる提供情報の送信を制限する提供情報制限手段として機能できる。尚、制限するユーザ数は、例えば、ネットワークの状況や通信リソースの状況、配信サーバ４０ａ〜４０ｃ、中継装置５０ａ、中継制御装置５０ｂ、無線通信装置１０ｃ，１０ｄ、端末装置３０ａ，３０ｂの処理状況や負荷状況、通信ポリシーの達成度、通信品質やデータ品質、通信スケジュールの実際の状況などに基づいて定めることができる。
【０２４８】
これによれば、配信サーバ４０ａ〜４０ｃは、提供情報の利用が特定のユーザに限られている場合に、そのユーザにのみ提供情報を送信できる。又、配信サーバ４０ａ〜４０ｃが、提供情報を同時に送信できるユーザ数を制限したい場合に、制限された数のユーザにだけ提供情報を送信できる。
【０２４９】
又、端末装置３０ａ，３０ｂの無線通信部３１ａ，３１ｂが、複数の無線情報を受信する場合がある。無線通信部３１ａ，３１ｂは、同時に複数の無線情報を受信する場合や、一定時間内に複数の無線情報を受信する場合がある。この場合、提供情報特定部１５，３５，４５ａは、無線情報の優先度に従って、複数の無線情報に基づく提供情報を順番に特定することが好ましい。例えば、優先度は、無線情報の料金に応じて設定できる。例えば、料金が高い無線情報ほど、高い優先度を設定する。優先度は、無線通信装置１０ａ〜１０ｅの存在する領域に応じて設定できる。例えば、特定の領域に存在する無線通信装置１０ａ〜１０ｅの無線情報に、高い優先度を設定する。又、優先度は、無線情報の種類に応じて設定できる。例えば、無線情報が対象物情報の場合、ユーザは自分の所有物に関する対象物情報に高い優先度を設定する。
【０２５０】
優先度は予め設定しておいてもよく、無線情報の受信後に設定してもよい。提供情報特定部１５，３５，４５ａや通知部３８，５５、提供情報提示部４５ｂは、優先度の設定条件を記憶する。優先度の設定条件には、無線情報の料金に応じて優先度を設定する設定条件、無線通信装置１０ａ〜１０ｅの存在する領域に応じて優先度を設定する設定条件、無線情報の種類に応じて優先度を設定する設定条件などがある。
【０２５１】
提供情報特定部３５、通知部３８は、無線通信部３１ａ，３１ｂから取得した無線情報に、設定条件に基づいて優先度を設定する。又、提供情報特定部１５，４５ａや通知部５５、提供情報提示部４５ｂは、特定情報に含まれる無線通信部３１ａ，３１ｂが受信した無線情報に、設定条件に基づいて優先度を設定する。このように、提供情報特定部１５，３５，４５ａや通知部３８，５５、提供情報提示部４５ｂは、複数の無線情報の優先度を設定する優先度設定手段として機能する。これによれば、通信システム１、配信サーバ４０ａ〜４０ｃは、複数の無線情報の優先度を設定することができる。更に、通信システム１、配信サーバ４０ａ〜４０ｃは、優先度の設定条件を変更することにより、無線情報の優先度を動的に変更できる。
【０２５２】
又、提供情報特定部１５，３５，４５ａは、特定する順番に関する規則に従って、複数の無線情報に基づく提供情報を順番に特定してもよい。例えば、無線情報を受信した順番に従って特定する、無線情報の種類に応じて決められた順番に従って特定する、データ量に応じて決められた順番に従って特定するなどの規則を設定できる。具体的には、受信した順番が早い無線情報から先に用いて提供情報を特定する、受信した順番が遅い無線情報から先に用いて提供情報を特定する、データ量が大きい無線情報から先に用いて提供情報を特定するなどの規則を設定できる。
【０２５３】
尚、提供情報特定部１５，３５，４５ａは、規則に関係なく、ランダムに複数の無線情報に基づく提供情報を特定してもよい。更に、提供情報特定部１５，３５，４５ａは、優先度の低い無線情報については、その無線情報に基づく提供情報の特定を行わなくてもよい。又、提供情報特定部１５，３５，４５ａは、無線情報の受信数の閾値を定めておき、閾値を越えて受信した無線情報については、その無線情報に基づく提供情報の特定を行わないようにしてもよい。又、提供情報特定部１５，３５，４５ａは、受信した複数の無線情報を並行して処理してもよい。
【０２５４】
このように、端末装置３０ａ，３０ｂの無線通信部３１ａ，３１ｂが複数の無線情報を受信することにより、端末装置３０ａ，３０ｂのユーザは、複数の無線情報に基づく提供情報を取得できる。更に、提供情報特定部１５，３５，４５ａが、無線情報の優先度に従って、複数の無線情報のうち、優先度が高いものから順番に用い、複数の無線情報に基づく提供情報を順番に特定することにより、ユーザは、ユーザにより適した提供情報から優先して取得することができる。
【０２５５】
提供情報特定部１５，３５，４５ａは、このようにして提供情報を特定した後、通信ポリシー設定部１６，３６，４６、提供情報提供部４１ａ、通信部１４ｃ，３４ａ，４４ａ、無線通信部１１ｃ，３１ａに特定結果を入力する。又、提供情報特定部３５は、配信サーバ４０ａ〜４０ｃに、特定した提供情報の送信を要求する。又、提供情報特定部１５，４５ａは、配信サーバ４０ａ〜４０ｃに、特定した提供情報の端末装置３０ａ，３０ｂへの送信を指示する。
【０２５６】
提供情報特定部１５，３５，４５ａが通信ポリシー設定部１６，３６，４６、提供情報提供部４１ａ、通信部１４ｃ，３４ａ，４４ａ、無線通信部１１ｃ，３１ａに入力する特定結果と、提供情報の送信の要求や指示には、少なくとも、ユーザＩＤと、特定した提供情報のコンテンツＩＤとが含まれる。又、提供情報特定部３５が通信ポリシー設定部３６に入力する特定結果には、少なくとも特定した提供情報のコンテンツＩＤが含まれる。
【０２５７】
そのため、提供情報提供部４１ａは、コンテンツＩＤに基づいて、提供情報データベース４２から提供情報を取得できる。又、提供情報提供部４１ａは、ユーザＩＤに基づいて、ユーザ情報データベース４３から端末装置３０ａ，３０ｂの宛先アドレスを取得できる。
【０２５８】
〔通信ポリシーの設定、通信情報の送信〕
（通信ポリシー）
通信ポリシーとは、情報を送信する側と、情報を受信する側との間の取り決めであり、送信側から受信側に情報を送信する際の取り決めである。通信ポリシーには、送信側から受信側に情報を送信する際の品質、通信形態、通信料金、処理料金、通信スケジュール、変換方法、同期制御方法、通信ポリシーの設定規則、要求されるリアルタイム性に関する取り決めがある。通信ポリシー設定部１６，３６，４６，５６は、これらの通信ポリシーの項目の少なくとも１つを設定すればよい。以下、通信ポリシー設定部１６，３６，４６，５６が設定する通信ポリシーの項目を「通信ポリシー設定項目」という。
【０２５９】
品質に関する取り決めには、提供情報の送信における通信品質と、提供情報のデータ品質に関する取り決めがある。通信品質に関する取り決めには、通信速度、スループット、遅延時間、ＲＲＴ（Ｒｏｕｎｄ  Ｔｒｉｐ  Ｔｉｍｅ）、誤り率、再送率、送信した情報が受信側に到達した割合（以下「到達度」という）、送信した情報が受信側に到達しなかった割合（以下「欠損率」という）、情報をパケット通信により送信した場合に、受信したパケットに含まれるデータに誤りが発生し、破棄した割合（以下「パケット破棄率」という）、ジッター、通信品質の決定規則、通信品質の保証方法などに関する取り決めがある。尚、到達度は、送信した情報のデータ量に対する受信した情報のデータ量の割合で表すことができる。データ品質に関する取り決めには、例えば、提供情報を受信側で再生する際の品質がある。具体的には、提供情報の表示サイズ、表示開始時刻、表示時間やその許容遅延時間、フレームレート、解像度、複数の提供情報を連続して表示する場合の表示順序、複数の提供情報を同時に表示する場合の配列、同期のタイミングやそのずれの許容値などがある。
【０２６０】
通信品質の保証方法には、規定範囲の通信品質を保証しなければならないギャランティモードと、通信品質を保証しなくてもよいベストエフォートモードがある。例えば、ギャランティモードの場合には、障害が発生しても通信品質を保証しなければならないが、ベストエフォートモードの場合には、障害発生時に通信品質を保証できなくなっても許容される。ベストエフォートモードには、目標とする通信品質の上限値を規定するモード、目標とする通信品質の下限値を規定するモード、目標とする通信品質の上限値と下限値を規定するモードがある。通信品質の上限値としては、例えば、最大許容遅延時間、最大許容ジッター値などがある。又、ベストエフォートモードにおいて、各通信品質に保証する優先度を設定し、優先度の高い通信品質から優先して保証するようにしてもよい。又、通信品質の方法には、保証する割合（以下「保証度」という）を定め、その保証度を保証する方法もある。この方法は、保証度が１００％であれば、ギャランティモードに分類され、１００％未満であれば、ベストエフォートモードに分類される。
【０２６１】
又、通信品質の保証方法には、保証する基準で分類すると、ネットワークの状況、通信リソースの状況、通信ポリシーの達成度、到達度、無線通信装置情報、端末情報、配信サーバ情報、中継装置情報、中継制御装置情報、通信品質、通信形態などに応じて通信品質を保証する方法がある。例えば、ネットワークのトラフィック量が閾値以上の場合には、閾値未満の通信品質しか保証せず、トラフィック量が閾値未満の場合には、閾値以上の通信品質を保証するといった方法がある。又、通信品質の保証方法に関する取り決めには、再送方法などの通信品質を保証するために行う手法に関する取り決めがある。
【０２６２】
通信形態に関する取り決めには、通信プロトコル、帯域、通信リソース、負荷、情報のデータ構造、情報を構成するデータの表現形式、情報を構成するデータの収納形式、セッション数、コネクション数、トンネル数、利用するネットワーク、通信形態の決定規則などに関する取り決めがある。データの収納形式に関する取り決めには、例えば、パケットへのデータの収納形式、ペイロードフォーマット、データを収納する順番、データを収納する位置に関する取り決めがある。具体的なデータの収納形式に関する取り決めとしては、重要度の高いデータからパケットの先頭に収納するといった取り決めがある。又、コネクションとは、送信側と受信側との間に設定される通信路をいう。
【０２６３】
通信料金に関する取り決めには、通信料金の上限値などの制約条件、料金算出規則などに関する取り決めがある。又、通信料金に関する取り決めには、通信料金全額についての取り決めや、通信料金の内訳についての取り決めがある。
【０２６４】
通信スケジュールに関する取り決めには、情報の送信開始予定時刻や送信完了予定時刻、各通信ポリシー設定項目を適用するタイミングや時刻、通信スケジュールの決定規則などに関する取り決めがある。
【０２６５】
変換方法に関する取り決めには、例えば、情報を構成するデータの変換方法、変換方法の決定規則などに関する取り決めがある。データの変換方法には、変換する対象で分類すると、例えば、データ構造、フレームレート、データの表現形式、データ品質、データの収納形式を変換する方法がある。又、データの変換方法には、変換する基準で分類すると、例えば、ネットワークの状況、通信リソースの状況、通信ポリシーの達成度、無線通信装置情報、端末情報、配信サーバ情報、中継装置情報、中継制御装置情報、通信品質、データ品質、通信形態、要求されるリアルタイム性、ネットワークの切り替えなどに応じてデータを変換する方法がある。
【０２６６】
具体的な変換方法には、端末装置３０ａ，３０ｂで再生し、出力可能なデータに変換する方法、要求されるデータ品質に変換する方法、通信速度が閾値以上の場合にはデータを変換せず、閾値未満の場合にはデータ量を減らす変換を行う方法などがある。データ量を減らす変換には、フレームレートを下げる変換や、データを圧縮する変換がある。更に、変換方法には、データ構造を、情報を再生するために最低限必要なデータが上位の階層となり、再生品質を向上するために必要なデータが下位の階層となるように変換する方法、データの収納形式を、重要度の高いデータからパケットの先頭に収納されるように変換する方法などがある。又、変換手法には、ネットワークを切り替える際に、切り替わるネットワークに適したデータに変換する方法がある。
【０２６７】
同期制御方法に関する取り決めには、同期のタイミング、スケジュール、同期のとり方、同期制御方法の決定規則などに関する取り決めがある。尚、同期は、提供情報間、処理情報間、提供情報と処理情報との間、端末装置間、オブジェクト単位に区切られた提供情報間などでとる。
【０２６８】
通信ポリシーの設定規則は、通信ポリシーを設定する際の規則である。通信ポリシーの設定規則に関する取り決めには、設定規則そのもの、設定規則の切り替え条件、設定規則の選択方法に関する取り決めがある。
【０２６９】
要求されるリアルタイム性に関する取り決めには、要求されるリアルタイム性そのもの、要求されるリアルタイム性の決定規則に関する取り決めがある。
【０２７０】
（オブジェクト単位）
オブジェクト単位とは、情報の送信側や、情報の受信側が、ある情報を送信する場合に、１つの通信ポリシーの設定を望む情報の単位である。又、提供情報、処理情報をオブジェクト単位毎にしたものを「オブジェクト」という。
【０２７１】
オブジェクト単位には、例えば、情報を構成するデータによって情報を区切るデータ単位がある。データ単位には、例えば、情報を構成するデータの種類によって情報を区切る類型単位、情報を構成するデータの容量によって情報を区切る容量単位がある。データの種類には、テキストデータ、静止画像データ、動画像データ、音声データ、プログラムデータなどがある。
【０２７２】
又、オブジェクト単位には、送信側と受信側との間のコネクション、セッション、トンネルによって情報を区切るコネクション単位、セッション単位、トンネル単位がある。更に、オブジェクト単位には、１回の呼でネットワークに接続している間を１つの単位とする呼単位がある。又、オブジェクト単位には、１つの提供情報や処理情報の送信開始から受信完了までを１つのアクセスとし、アクセスによって情報を区切るアクセス単位がある。アクセス単位には、アクセスの回数によって情報を区切るアクセス数単位、アクセスしている時間によって情報を区切るアクセス時間単位がある。
【０２７３】
オブジェクト単位には、時間によって情報を区切る時間単位がある。時間単位には、例えば、情報を、送信開始時刻から送信完了時刻までの間の時刻によって区切る単位、情報を送信開始から一定時間毎に区切る単位などがある。又、オブジェクト単位には、情報を、端末装置３０ａ，３０ｂや無線通信装置１０ａ〜１０ｅが存在する特定の端末装置や無線通信装置に関する位置情報や位置情報に特定の範囲（例えばセルエリアやイベント会場など）を設定した領域毎に区切る領域単位がある。オブジェクト単位には、領域に存在する端末装置３０ａ，３０ｂの数や無線通信装置１０ａ〜１０ｅの数によって情報を区切る数単位がある。更に、オブジェクト単位には、課金対象毎に情報を区切る課金対象単位がある。
【０２７４】
オブジェクト単位には、情報を、その情報を送信する配信サーバ４０ａ〜４０ｃのような情報送信装置毎に区切る情報送信装置単位がある。又、オブジェクト単位には、情報をユーザ毎に区切るユーザ単位がある。例えば、ユーザ単位には、情報をユーザＩＤ毎に区切るユーザＩＤ単位がある。更に、オブジェクト単位には、提供情報や無線情報毎に情報を区切る提供情報単位、無線情報単位がある。  オブジェクト単位には、情報を、端末装置３０ａ、中継装置５０ａのような無線通信装置１０ｃ，１０ｄとトンネルを介して通信情報を送受信する通信装置毎に区切る通信装置単位がある。
【０２７５】
オブジェクト単位には、情報を、無線通信装置１０ｃ，１０ｄの無線通信部１１ｃのような近距離無線により通信情報を送受信する近距離無線通信手段毎に区切る近距離無線通信手段単位がある。例えば、近距離無線通信手段単位には、情報をタグＩＤ毎に区切るタグＩＤ単位がある。又、オブジェクト単位には、情報を、その情報を送受信する無線通信装置１０ｃ，１０ｄが付けられている対象物、対象領域毎に区切る対象物単位、対象領域単位がある。対象物単位、対象領域単位には、情報をモノＩＤ毎に区切るモノＩＤ単位、領域ＩＤ毎に区切る領域ＩＤ単位がある。
【０２７６】
又、オブジェクト単位には、グループ毎に情報を区切るコミュニティ単位がある。コミュニティ単位には、情報を、その情報を送受信する複数の無線通信装置１０ｄ，１０ｅが形成するタググループ毎に区切るタググループ単位がある。タググループ単位には、情報をタググループＩＤ毎に区切るタググループＩＤ単位がある。又、コミュニティ単位には、情報を、その情報を受信する複数の端末装置３０ａ，３０ｂが形成する端末グループ毎に区切る端末グループ単位がある。端末グループ単位には、情報を端末グループＩＤ毎に区切る端末グループＩＤ単位がある。
【０２７７】
（通信ポリシーの設定方法）
図３、図４、図６、図８に示した通信ポリシー設定部１６，３６，４６，５６は、トンネルを介して通信情報を送受信する際の通信ポリシーをオブジェクト単位毎に決定し、設定する。具体的には、通信ポリシー設定部１６，３６，４６，５６は、通信ポリシーとして、通信情報をトンネルを介して送受信する際の品質、通信形態、通信料金、通信スケジュール、変換方法、同期制御方法、前記通信ポリシーの設定規則、要求されるリアルタイム性の少なくとも１つに関する取り決めを設定する。尚、通信ポリシー設定部１６は、トンネルを介して通信情報を送受信する際の通信ポリシーに限らず、トンネルを用いない情報の送受信や、通信情報以外の情報の送受信を行う際の通信ポリシーについても、決定し、設定する。
【０２７８】
通信ポリシーは、送信側から受信側に情報を送信する際の取り決めである。そのため、送信側と受信側との間の通信ポリシーは、送信側と受信側の組み合わせ毎に決定し、設定する。更に、通信ポリシーは、オブジェクト単位毎に決定し、設定する。
【０２７９】
例えば、図１１に示すように、配信サーバ４０ａが、中継装置５０ａ及び無線通信装置１０ｃを介して、端末装置３０ｂに提供情報を送信する場合がある。この場合、通信ポリシー設定部は、送信側の配信サーバ４０ａと受信側の中継装置５０ａとの間のトンネル（Ｇ）１ｇにおける通信ポリシーと、送信側の中継装置５０ａと受信側の無線通信装置１０ｃとの間のトンネル（Ｄ）１ｄにおける通信ポリシーと、無線通信装置１０ｃと端末装置３０ｂとの間の通信ポリシーとを決定し、設定する。
【０２８０】
更に、通信ポリシー設定部は、配信サーバ４０ａと中継装置５０ａとの間の通信ポリシーを、オブジェクト単位毎に決定し、設定する。そして、配信サーバ４０ａは、提供情報をオブジェクト単位ごとに区切った３つのオブジェクトＡ〜Ｃを、配信サーバ４０ａと中継装置５０ａとの間のトンネル（Ｇ）１ｇにおける各オブジェクトＡ〜Ｃの通信ポリシーに基づいて送信する。
【０２８１】
又、通信ポリシー設定部は、中継装置５０ａと無線通信装置１０ｃとの間の通信ポリシーを、オブジェクト単位毎に決定し、設定する。そして、中継装置５０ａは、オブジェクトＡ〜Ｃを、中継装置５０ａと無線通信装置１０ｃとの間のトンネル（Ｄ）１ｄにおける各オブジェクトＡ〜Ｃの通信ポリシーに基づいて送信する。
【０２８２】
又、通信ポリシー設定部は、無線通信装置１０ｃと端末装置３０ｂとの間の通信ポリシーを、オブジェクト単位毎に決定し、設定する。そして、無線通信装置１０ｃは、オブジェクトＡ〜Ｃを、無線通信装置１０ｃと端末装置３０ｂとの間の各オブジェクトＡ〜Ｃの通信ポリシーに基づいて送信する。端末装置３０ｂは、オブジェクトＡ〜Ｃを受信することにより、１つの提供情報を受信する。このように通信ポリシーは、各トンネルにおいて決定し、設定される。
【０２８３】
次に、具体的な通信ポリシーの設定方法について説明する。
【０２８４】
１．オブジェクト単位の決定
まず、通信ポリシー設定部は、特定結果、無線情報に関する情報を取得する。通信ポリシー設定部１６，３６，４６はそれぞれ、提供情報特定部１５，３５，４５ａから、直接特定結果を取得する。無線通信装置１０ｄの通信ポリシー設定部は、無線通信部から無線情報に関する情報を直接取得する。又、通信ポリシー設定部１６，３６，４６，５６は、通信部１４ｃ，３４ａ，４４ａ，５４ｂを介して、通信ポリシー設定情報として特定結果を取得する。又、通信ポリシー設定部３６，５６は、通信部３４ａ，５４ｂを介して、通信ポリシー設定情報として無線情報に関する情報を取得する。
【０２８５】
次に、通信ポリシー設定部１６，３６，４６，５６は、要求された無線情報、特定した提供情報を区切るオブジェクト単位を決定する。又、通信ポリシーの設定を提供情報の特定よりも前に行う場合には、まず、提供情報を区切るオブジェクト単位を決定する。
【０２８６】
提供情報、無線情報を区切るオブジェクト単位は、提供情報、無線情報毎に定めておくことができる。例えば、提供情報が図１２に示す動画像データのストリーミング映像８ａと、テキストデータの説明文８ｂと、静止画像データの写真８ｃと、動画像データのストリーミング映像８ｄから構成されるホームページ８の場合には、オブジェクト単位として類型単位を定めておくことができる。提供情報毎に定められたオブジェクト単位は、例えば、提供情報データベース４２、無線情報記憶部１２が記憶する。通信ポリシー設定部１６，３６，４６，５６は、特定結果に含まれるコンテンツＩＤに基づいて、提供情報データベース４２や無線情報記憶部１２から、特定した提供情報や無線情報に対応するオブジェクト単位を取得して、決定する。この場合、オブジェクト単位は、配信サーバ４０ａ〜４０ｃや無線通信装置１０ｄのような送信側が１つの通信ポリシーの設定を望む情報の単位となる。
【０２８７】
又、提供情報、無線情報を区切るオブジェクト単位は、オブジェクト単位を決定するオブジェクト単位の決定規則に従って、決定するようにしてもよい。例えば、オブジェクト単位の決定規則には、提供情報に関する情報、無線情報に関する情報、測定情報、位置情報、時間情報、ネットワークの状況、通信リソースの状況、配信サーバ情報、端末情報、無線通信装置情報、中継装置情報、中継制御装置情報、端末装置と無線通信装置との関係、通信ポリシーの達成度、通信料金、要求されるリアルタイム性に応じて、オブジェクト単位を決定する規則がある。例えば、オブジェクト単位の決定規則には、同時期に並行して送信する複数の提供情報に応じて、オブジェクト単位を決定する規則がある。
【０２８８】
オブジェクト単位の決定規則は、例えば、通信ポリシーデータベース１６ａ，３６ａ，４６ａ，５６ａが記憶する。そして、通信ポリシー設定部１６，３６，４６，５６が、オブジェクト単位の決定規則に基づいて、用いるオブジェクト単位を決定する。この場合、オブジェクト単位は、オブジェクト単位の決定規則を定めた方が望む情報の単位となる。よって、オブジェクト単位の決定規則を送信側が定めた場合には、オブジェクト単位は送信側が１つの通信ポリシーの設定を望む情報の単位となり、オブジェクト単位の決定規則を受信側が定めた場合には、受信側が１つの通信ポリシーの設定を望む情報の単位となる。
【０２８９】
又、端末装置３０ａ，３０ｂ、無線通信装置１０ｃ，１０ｄ、配信サーバ４０ａ〜４０ｃ、中継制御装置５０ｂが希望するオブジェクト単位を用いてもよい。この場合、図４、図５に示した入力部３８ａが希望するオブジェクト単位を入力してもよく、ユーザ情報データベース１３，４３，５３，６３、無線通信装置記憶部１９ｃ、ユーザ情報記憶部３３、配信サーバ情報記憶部４９ｃ，４９ｅ、中継装置情報記憶部５９ｃが、希望するオブジェクト単位を記憶しておいてもよい。又、通信ポリシー設定部１６，３６，４６，５６や、通知部３８，４５ｃが、用いるオブジェクト単位を希望してもよい。この場合、オブジェクト単位は、送信側や受信側が１つの通信ポリシーの設定を望む情報の単位となる。通信ポリシー設定情報には、このようなオブジェクト単位を決定する際に用いる情報や、決定したオブジェクト単位がある。
【０２９０】
２．通信ポリシーの設定
次に、通信ポリシー設定部１６，３６，４６，５６は、通信ポリシーを、オブジェクト単位毎に設定する。通信ポリシー設定部１６，３６，４６，５６は、無線情報や特定した提供情報などの通信情報、測定情報、位置情報、時間情報、ネットワークの状況、通信リソースの状況、配信サーバ情報、端末情報、無線通信装置情報、中継装置情報、中継制御装置情報、端末装置３０ａ，３０ｂの通信部３４ａ，３４ｂ又は無線通信部３１ａ，３１ｂと、無線通信装置１０ａ〜１０ｅの無線通信部１１ａ〜１１ｃとの関係、通信ポリシーの達成度、通信料金、要求されるリアルタイム性の少なくとも１つに基づいて、通信ポリシーを決定し、設定する。
【０２９１】
通信ポリシー設定情報には、通信ポリシーの設定に用いる情報がある。通信ポリシーの設定に用いる情報には、これらの無線情報や特定した提供情報などの通信情報に関する情報、測定情報、位置情報、時間情報、ネットワークの状況、通信リソースの状況、配信サーバ情報、端末情報、無線通信装置情報、中継装置情報、中継制御装置情報、端末装置３０ａ，３０ｂの通信部３４ａ，３４ｂ又は無線通信部３１ａ，３１ｂと、無線通信装置１０ａ〜１０ｅの無線通信部１１ａ〜１１ｃとの関係、通信ポリシーの達成度、通信料金、要求されるリアルタイム性などがある。
【０２９２】
通信ポリシー設定部１６，３６，４６，５６は、無線通信装置１０ｃ，１０ｄ、端末装置３０ａ、配信サーバ４０ａ、中継制御装置５０ｂが受信、監視、記憶、測定、入力などにより把握している通信ポリシーの設定に用いる情報に基づいて、通信ポリシーを決定し、設定できる。又、無線通信装置１０ｃ，１０ｄ、端末装置３０ａ，３０ｂ、配信サーバ４０ａ〜４０ｃ、中継制御装置５０ｂは、監視、受信、記憶、測定、入力などにより把握している通信ポリシーの設定に用いる情報を、通信ポリシー設定部１６，３６，４６，５６、通知部３８，５５を用いて、通信ポリシー設定情報として相互に通知しあうことができる。そして、通信ポリシー設定部１６，３６，４６，５６は、無線通信装置１０ｃ，１０ｄ、端末装置３０ａ、配信サーバ４０ａ、中継制御装置５０ｂが把握している通信ポリシーの設定に用いる情報と、通知された通信ポリシー設定情報を用いて、通信ポリシーを決定し、設定する。
【０２９３】
更に、通知部３８，５５は、通信ポリシー設定部１６，３６，４６，５６に対して、通信ポリシーの設定を要求できる。そのため、通信ポリシー設定情報には、通信ポリシーの設定の要求もある。尚、通知部３８，５５は、通信ポリシーの設定の要求に、通信ポリシーの設定に用いる情報を含めてもよい。
【０２９４】
又、通信ポリシー設定部１６，３６，４６，５６は、通知部３８，５５や、他の通信ポリシー設定部１６，３６，４６，５６に、通信ポリシーの設定に用いる情報を要求できる。要求を受けた通知部３８，５５や他の通信ポリシー設定部１６，３６，４６，５６は、要求に対する応答として、通信ポリシーの設定に用いる情報を返す。そのため、通信ポリシー設定情報には、このような要求、応答などの通信ポリシーの設定に用いる情報をやりとりするための情報もある。尚、通信ポリシー設定部１６，３６，４６，５６、通知部３８，５５は、このようなやりとりを複数回繰り返してもよい。又、通信ポリシー設定部１６，３６，４６，５６は、通知部３８，５５から、通信ポリシーの設定の要求を受けた際に、通信ポリシーの設定に用いる情報を要求してもよい。
【０２９５】
通信ポリシー設定部１６，３６，４６，５６は、これらの通信ポリシーの設定に用いる情報と、通信ポリシーの設定規則や通信ポリシーの設定条件、決定したオブジェクト単位などに基づいて、トンネルを介して通信情報を送受信する際の通信ポリシーをオブジェクト単位毎に設定する。
【０２９６】
通信ポリシーの設定条件は、どのように通信ポリシーを決定し、設定するかを定めた条件である。通信ポリシーの設定条件には、優先する通信ポリシー設定項目、優先する通信ポリシーの設定に用いる情報を定めた条件がある。例えば、通信ポリシーの設定条件には、送信完了時刻を優先して通信ポリシーを決定し、設定する、通信速度を優先して通信ポリシーを決定し、設定する、通信料金が希望する上限額以下になることを優先して通信ポリシーを決定し、設定する、提供情報や無線情報を再生する際のデータ品質を優先して通信ポリシーを決定し、設定するといった条件がある。又、各通信ポリシー設定項目、各通信ポリシーの設定に用いる情報に優先度を設定した条件がある。例えば、通信ポリシー設定項目のうち、維持しなければならない項目ほど、高い優先度を設定する。
【０２９７】
通信ポリシーの設定条件は、通信ポリシーの設定に用いる情報と対応付けて、定められる。通信ポリシーの設定条件は、オブジェクト単位毎に定めてもよい。例えば、使用通信リソース量に応じて、通信ポリシーの設定条件を定める。通信ポリシー設定部１６，３６，４６，５６は、通信ポリシーの設定に用いる情報に基づいて、合致する設定条件を選択する。
【０２９８】
通信ポリシー設定部１６，３６，４６，５６は、選択した通信ポリシーの設定条件に基づいて、通信ポリシーを決定し、設定する。例えば、通信ポリシー設定部１６，３６，４６，５６は、優先度が高い通信ポリシー設定項目を優先して、通信ポリシーを設定する。例えば、通信品質の優先度が最も高く、次に送信開始時刻の優先度が高く、通信料金の優先度が最も低い場合には、送信開始時刻については多少遅くなってもよく、通信料金は非常に高くなってもよいため、通信品質だけは高くできるように通信ポリシーを設定する。
【０２９９】
具体的には、通信ポリシー設定部１６，３６，４６，５６は、選択した通信ポリシーの設定条件に基づいて、通信ポリシーの設定規則を選択する。即ち、通信ポリシー設定部１６，３６，４６，５６は、設定条件で優先すると定められた通信ポリシー設定項目、通信ポリシーの設定に用いる情報を優先できる設定規則を選択する。例えば、通信ポリシー設定部１６，３６，４６，５６は、設定規則によって設定される通信ポリシーの設定項目が、優先度の高い通信ポリシー設定項目と一致する設定規則や、優先度の高い通信ポリシー設定項目が高く設定できる設定規則を選択する。そして、通信ポリシー設定部１６，３６，４６，５６は、選択した通信ポリシーの設定規則に基づいて、通信ポリシーを設定する。
【０３００】
尚、通信ポリシーの設定条件は、予め定めておき、通信ポリシーデータベース１６ａ，３６ａ，４６ａ，５６ａが記憶する。又、設定条件制御部４６ｂ，５６ｂが、通信ポリシーの設定条件を制御してもよい。設定条件制御部４６ｂ，５６ｂは、監視情報に基づいて通信ポリシーの設定条件を制御する。このように、通信システム１、配信サーバ４０ａ、中継制御装置５０ｂは、設定条件制御部４６ｂ，５６ｂを備えることにより、通信ポリシーの設定条件を制御できる。又、通信ポリシー設定部１６，３６，４６，５６が、設定条件に基づいて通信ポリシーを決定し、設定することにより、様々な設定条件に基づいた通信ポリシーの設定ができる。
【０３０１】
通信ポリシーの設定規則には、提供情報、無線情報毎に定められた提供情報、無線情報の送信に推奨する通信ポリシーを設定するという規則がある。通信ポリシー設定部４６は、特定した提供情報のコンテンツＩＤに基づいて、提供情報データベース４２から特定した提供情報の推奨通信ポリシーを取得して、通信ポリシーを設定する。通信ポリシー設定部１６，３６，５６は、配信サーバ４０ａ〜４０ｃに、コンテンツＩＤを指定して推奨通信ポリシーを要求する。そして、通信ポリシー設定部１６，３６，５６は、配信サーバ４０ａ〜４０ｃから、通信ポリシー設定情報として推奨通信ポリシーを取得し、通信ポリシーを設定する。又、通信ポリシー設定部１６，３６，４６，５６は、通信ポリシー設定情報に含まれる無線情報に関する情報として、推奨通信ポリシーを取得し、通信ポリシーを設定する。
【０３０２】
例えば、通信ポリシー設定項目が通信プロトコルの場合、提供情報、無線情報毎の推奨通信ポリシーとして、ＨＴＴＰ（Ｈｙｐｅｒ  Ｔｅｘｔ  Ｔｒａｎｓｆｅｒ  Ｐｒｏｔｏｃｏｌ）、ＲＴＰ（Ｒｅａｌ−ｔｉｍｅ  Ｔｒａｎｓｐｏｒｔ  Ｐｒｏｔｏｃｏｌ）、トンネリングプロトコル、ＴＣＰ（Ｔｒａｎｓｍｉｓｓｉｏｎ  Ｃｏｎｔｒｏｌ  Ｐｒｏｔｏｃｏｌ）、ＵＤＰ（Ｕｓｅｒ  Ｄａｔａｇｒａｍ  Ｐｒｏｔｏｃｏｌ）を定めることができる。
【０３０３】
又、通信ポリシーの設定規則には、過去に設定した通信ポリシーを設定するという規則がある。通信ポリシー設定部１６，３６，４６，５６は、通信ポリシーデータベース１６ａ，３６ａ，４６ａ，５６ａから、過去の通信ポリシー設定項目と、その設定内容を取得し、通信ポリシーを設定する。例えば、通信ポリシーデータベース１６ａ，３６ａ，４６ａ，５６ａが、これまでに設定した通信ポリシーの履歴に関する情報として、過去の通信ポリシー設定項目と、その設定内容、その通信ポリシーの達成度とを対応付けて記憶する。そして、通信ポリシー設定部１６，３６，４６，５６は、通信ポリシーデータベース１６ａ，２６ａ，３６ａ，４６ａ，５６ａから、通信ポリシーの達成度が良好な通信ポリシーの設定項目と設定内容を取得し、通信ポリシーとして設定する。
【０３０４】
更に、通信ポリシーの設定規則には、通信ポリシーの適用条件と、その適用条件毎に定められた通信ポリシーを設定するという規則がある。適用条件は、通信ポリシーの設定に用いる情報をパラメータとして定める。例えば、適用条件は、通信リソース、通信ポリシーの達成度、端末装置３０ａ，３０ｂの位置や移動速度、要求されるリアルタイム性、端末装置３０ａ，３０ｂが要求するデータ品質や通信品質、通信料金などをパラメータとして定める。又、適用条件は、オブジェクト単位毎に定めてもよい。通信ポリシー設定部１６，２６，３６，４６，５６は、通信ポリシーの設定に用いる情報に基づいて、その情報と合致する通信ポリシーの適用条件を選択する。そして、通信ポリシー設定部１６，２６，３６，４６，５６は、選択した適用条件を満たす場合に適用する通信ポリシーを設定する。
【０３０５】
例えば、通信ポリシー設定項目が要求されるリアルタイム性である場合、送信開始時刻、送信完了時刻、送信開始から完了までの送信所要時間、許容遅延時間、移動速度をパラメータとする複数の適用条件と、各適用条件を満たす場合に適用する要求されるリアルタイム性を定めた設定規則がある。設定規則は、送信完了予定時刻が早いほど、送信開始から完了までの送信所要時間や許容遅延時間が短いほど、移動速度が大きいほど、現在の送信完了予定時刻が現在時刻に近いほど、通信速度が大きいほど、許容ジッターが小さいほど、課金単価が高いほど、未送信のデータ容量が大きいほど、要求されるリアルタイム性が高くなるように定められる。
【０３０６】
又、通信ポリシー設定項目が通信品質やデータ品質である場合、データの種類や位置情報をパラメータとする複数の適用条件と、各適用条件を満たす場合に適用する通信品質やデータ品質を定めた設定規則がある。例えば、建物内にいる場合と屋外にいる場合、イベント会場内とその外にいる場合で、適用するデータ品質や通信品質を変えた設定規則を定めることができる。具体的には、建物内では通信状況が屋外に比べて良好でないため、データ品質を屋外よりも低く設定する。又、イベント会場内では、多くの端末装置３０ａ，３０ｂに同時に提供情報や無線情報を送信するため、各端末装置３０ａ，３０に提供情報や無線情報を送信できるように個々のデータ品質をイベント会場外よりも低く設定する。
【０３０７】
又、通信ポリシー設定項目が帯域である場合、端末装置３０ａ，３０ｂの移動速度をパラメータとする複数の適用条件と、各適用条件を満たす場合に適用する帯域を定めた設定規則がある。例えば、提供情報や無線情報が無線通信装置１０ａ〜１０ｅの位置情報に基づく情報の場合、端末装置３０ａ，３０ｂが無線通信装置１０ａ〜１０ｅから離れてしまうと、その提供情報や無線情報の必要性は低くなる。そのため、移動速度が大きいほど、大きい帯域となるように設定規則を定めることができる。又、提供情報や無線情報を送信する時間をパラメータとする複数の適用条件と、各適用条件を満たす場合に適用する通信ポリシーを定めた設定規則としてもよい。
【０３０８】
以下に、通信ポリシー設定項目が通信速度である場合の３つの具体例を示す。図１３に示す通信ポリシーの設定規則は、輻輳状況、通信リソースの使用状況、通信ポリシーの達成度、端末装置３０ａ，３０ｂの存在する緯度、経度をパラメータとする適用条件１と、その適用条件１を満たす場合に適用する通信ポリシー１として通信速度を定めたものである。通信ポリシー設定部１６，３６，４６，５６は、通信ポリシーの設定に用いる情報として、輻輳状況、通信リソースの使用状況、通信ポリシーの達成度、緯度、経度を取得する。通信ポリシー設定部１６，３６，４６，５６は、取得した情報と適用条件１とを比較し、合致するか判断する。
【０３０９】
通信ポリシー設定部１６，３６，４６，５６は、取得した輻輳状況がａ１以上ａ２未満、取得した通信リソースの状況がｂ１以上ｂ２未満、通信ポリシーの達成度がｃ１以上ｃ２未満、緯度がｄ１以上ｄ２未満、経度がｅ１以上ｅ２未満の場合には、取得した情報と適用条件１とが合致するため、この適用条件１を選択する。そして、通信ポリシー設定部１６，２６，３６，４６，５６は、選択した適用条件１を満たす場合に適用する通信ポリシー１として定められた２８．８ｋｂｐｓ以上６４ｋｂｐｓ未満という通信速度を、通信ポリシーとして設定する。一方、取得した情報と適用条件１とが合致しない場合には、適用条件１を満たす場合に適用する通信ポリシー１として定められた通信ポリシーを、設定することはできない。
【０３１０】
又、図１４に示す通信ポリシーの設定規則は、ネットワークのトラヒックをパラメータとする適用条件２、３と、その適用条件２、３を満たす場合に適用する通信ポリシー２、３として、通信速度の決定規則と、通信速度を定めたものである。図１５では、トラヒックをネットワークの使用率で表す。通信ポリシー設定部１６，３６，４６，５６は、通信ポリシーの設定に用いる情報として、ネットワークのトラヒックを取得する。通信ポリシー設定部１６，３６，４６，５６は、取得したネットワークのトラヒックに基づいて、合致する通信ポリシーの適用条件を選択する。
【０３１１】
通信ポリシー設定部１６，３６，４６，５６は、取得したネットワークのトラヒックが１０％以上４０％未満の場合には、適用条件２と合致するため、適用条件２を選択する。そして、通信ポリシー設定部１６，３６，４６，５６は、適用条件２を満たす場合に適用する通信ポリシー２として定められた通信速度の決定規則を通信ポリシーとして設定する。通信速度の決定規則は、リアルタイムタイム性がｆ１以上ｆ２未満、通信ポリシーの達成度がｇ１以上ｇ２未満、緯度がｈ１以上ｈ２未満、経度がｉ１以上ｉ２未満、輻輳状況がｊ１以上ｊ２未満、通信リソースの使用状況がｋ１以上ｋ２未満の場合には、通信速度を２８．８ｋｂｐｓ以上６４ｋｂｐｓ未満の範囲内で決定するという規則である。
【０３１２】
又、通信ポリシー設定部１６，３６，４６，５６は、取得したネットワークのトラヒックが５０％以上６０％未満の場合には、適用条件３と合致するため、適用条件３を選択する。そして、通信ポリシー設定部１６，３６，４６，５６は、適用条件３を満たす場合に適用する通信ポリシー３として定められた通信速度１００ｋｂｐｓを通信ポリシーとして設定する。
【０３１３】
又、図１５に示す通信ポリシーの設定規則は、輻輳状況、通信リソース使用料、要求されるリアルタイム性、通信ポリシーの達成度、端末装置３０ａ，３０ｂの存在する緯度、経度、端末装置３０ａ，３０ｂが進行する方位、端末装置３０ａ，３０ｂの移動速度をパラメータとする適用条件４〜６と、その適用条件を満たす場合に適用する通信ポリシー４〜６として、通信速度の決定規則と、通信速度を定めたものである。図１５では、輻輳状況を、最も輻輳度が高いときを１００として表す。又、要求されるリアルタイム性を、最も要求されるリアルタイム性が高い場合を１００として表す。又、通信ポリシーの達成度を、完全に達成できた場合を１００として表す。
【０３１４】
通信ポリシー設定部１６，３６，４６，５６は、通信ポリシーの設定に用いる情報として、輻輳状況、通信リソース使用料、要求されるリアルタイム性、通信ポリシーの達成度、端末装置３０ａ，３０ｂの存在する緯度、経度、端末装置３０ａ，３０ｂが進行する方位、端末装置３０ａ，３０ｂの移動速度を取得する。通信ポリシー設定部１６，３６，４６，５６は、取得した輻輳状況、通信リソース使用料金、要求されるリアルタイム性、通信ポリシーの達成度、緯度、経度、方位、移動速度に基づいて、合致する通信ポリシーの適用条件を選択する。尚、通信リソース使用料金とは、通信リソースの使用にかかる料金である。
【０３１５】
通信ポリシー設定部１６，３６，４６，５６は、取得した輻輳状況が５０未満、通信リソース使用料金が２円／バイト以上４円／バイト未満で、要求されるリアルタイム性が１０以上４０未満、通信ポリシーの達成度が５０以上、緯度が１０２度以上１１０度未満、経度が２１０度以上２１４度未満、方位が北緯１０度以上１５度未満、移動速度が１０ｍ／秒以下の場合には、適用条件４と合致するため、適用条件４を選択する。そして、通信ポリシー設定部１６，２６，３６，４６，５６は、適用条件４を満たす場合に適用する通信ポリシー４として定められた通信速度２００ｋｂｐｓ以上３８４ｋｂｐｓ未満を通信ポリシーとして設定する。
【０３１６】
又、通信ポリシー設定部１６，３６，４６，５６は、取得した輻輳状況が５０以上７０未満、通信リソース使用料金が２円／バイト未満で、要求されるリアルタイム性が１０以上４０未満、通信ポリシーの達成度が５０以上、緯度が１０２度以上１１０度未満、経度が２１０度以上２１４度未満、方位が北緯１０度以上１５度未満、移動速度が１０ｍ／秒以下の場合には、適用条件５と合致するため、適用条件５を選択する。そして、通信ポリシー設定部１６，３６，４６，５６は、適用条件５を満たす場合に適用する通信ポリシー５として定められた通信速度１００ｋｂｐｓ以上２００ｋｂｐｓ未満を通信ポリシーとして設定する。
【０３１７】
又、通信ポリシー設定部１６，３６，４６，５６は、取得した輻輳状況、通信リソース使用量、要求されるリアルタイム性、通信ポリシーの達成度、緯度、経度、方位、移動速度が、適用条件４、５のいずれとも合致しない場合には、適用条件６を選択する。そして、通信ポリシー設定部１６，３６，４６，５６は、適用条件６を満たす場合に適用する通信ポリシー６として定められた通信速度６４ｋｂｐｓ以下を通信ポリシーとして設定する。尚、初回は通信ポリシーの達成度はないため、通信ポリシーの達成度は考慮せずに適用条件を選択する。
【０３１８】
このように、通信ポリシーの適用条件を定めて通信ポリシーを設定することにより、通信ポリシー設定部１６，３６，４６，５６は、適用条件を満たせない場合には、その通信ポリシーを設定することはできない。よって、通信ポリシー設定部１６，３６，４６，５６は、通信ポリシーの適用を制限することができる。
【０３１９】
又、通信ポリシーの設定規則には、設定する通信ポリシーを求める通信ポリシー算出規則により求められる通信ポリシーを設定するという規則がある。通信ポリシー算出規則は、通信ポリシーの設定に用いる情報をパラメータとして定める。又、通信ポリシー算出規則は、オブジェクト単位毎に定めてもよい。例えば、通信ポリシー算出規則には、無線情報や特定した提供情報が特定の領域内でのみ送信する情報である場合に、無線情報や提供情報のデータ容量やデータ品質などの無線情報や提供情報に関する情報、端末装置３０ａ，３０ｂの現在位置、移動速度、ネットワークのトラヒック、通信リソースの状況に基づいて、端末装置３０ａ、３０ｂが特定の領域内に存在する間に、無線情報や提供情報の送信を開始し、完了する通信スケジュールを求める規則がある。
【０３２０】
同様に、通信ポリシー算出規則には、無線通信装置１０ｃが提供情報を端末装置３０ｂに送信する場合に、提供情報のデータ容量やデータ品質などの提供情報に関する情報、端末装置３０ｂと無線通信装置１０ｃとの相対速度、ネットワークのトラヒック、通信リソースの状況に基づいて、端末装置３０ｂが無線通信装置１０ｃと通信可能な間に、提供情報の送信を開始し、完了する通信スケジュールを求める規則がある。
【０３２１】
又、通信ポリシー算出規則には、例えば、設定する通信ポリシーを求める関数（以下「通信ポリシー設定関数」という）がある。例えば、通信ポリシーの設定項目が要求されるリアルタイム性の場合の通信ポリシー設定関数には、以下に示す（１）式がある。
【０３２２】
要求されるリアルタイム性＝｛Ｘ（１）×Ｐ１×未送信データ量／（送信開始予定時刻―現在時刻）｝＋｛Ｘ（２）×Ｐ２×未送信データ量／現在の送信完了予定時刻｝＋｛Ｘ（３）×Ｐ３×未送信データ量／送信完了までの所要予定時間｝＋｛Ｘ（４）×Ｐ４×未送信データ量／通信速度｝＋｛Ｘ（５）×Ｐ５×未送信データ量／許容遅延時間｝＋｛Ｘ（６）×Ｐ６×未送信データ量／許容ジッター｝＋｛Ｘ（７）×Ｐ７×未送信データ量／課金単価｝・・・（１）式
尚、（１）式において、｛Ｘ（１）×Ｐ１×未送信データ量／（送信開始予定時刻―現在時刻）｝の分母は、（送信完了予定時刻の初期値―現在時刻）であってもよい。又、係数Ｐ１〜Ｐ７は、各項目に与える未送信データ量の影響度である。Ｘ（１）〜Ｘ（７）は、要求されるリアルタイム性を評価する際の各項目に対する重み付けであり、各項目の係数である。Ｘ（１）〜Ｘ（７）は、（２）式に示す関数ｇ｛ａ，ｂ，ｃ，ｄ，ｅ，ｆ｝により求められる。
【０３２３】
Ｘ（ｍ）＝ｇ｛ａｍ（通信ポリシーの達成度）、ｂｍ（端末装置の移動速度）、ｃｍ（端末装置の位置情報）、ｄｍ（通信リソースの状況）、ｅｍ（ネットワークのトラヒックの状況）、ｆｍ（課金総額）｝・・・（２）式
尚（２）式において、ｍ＝１〜７である。ａｍ，ｂｍ，ｃｍ，ｄｍ，ｅｍ，ｆｍは、各項目の影響度である。又、（２）式は、通信ポリシーの設定項目が通信速度の場合の通信ポリシー設定関数としても用いることができる。
【０３２４】
（１）式に示す要求されるリアルタイム性の中の、Ｘ（１）×Ｐ１×未送信データ量／（送信完了予定時刻―現在時刻）の示す意味について説明する。分母にくる項目は、その項目が大きくなるにしたがって、要求されるリアルタイム性が小さくなるような項目とし、分子に記載している項目は、その項目値が大きくなるにしたがって、要求されるリアルタイム性が大きくなる項目とする。したがって、未送信データ量が多いほど、要求されるリアルタイム性は大きくなる。
【０３２５】
例えば、要求されるリアルタイム性を提供すべき通信帯域で判定する場合について説明する。オブジェクト単位に送信完了時刻を設定した場合、送信完了予定時刻が現在時刻との差分が大きいほど、要求されるリアルタイム性（データの着信を求める緊急度）は小さいと考える。差分が大きいということは、それだけ送信に費やすことのできる時間が多いため、データの送信のために必要とする通信帯域はそれだけ小さくて済む。また、オブジェクトのデータサイズが大きいほど、決められた時間までに送信しなければならないデータ量が多いことになるため、それだけ要求される通信帯域が大きくなる。したがって、オブジェクトのデータサイズが大きいほど要求されるリアルタイム性は大きくなる。この場合、要求されるリアルタイム性は、オブジェクトデータの送信時に要求される通信帯域によってあらわすことができ、しかも要求される通信帯域は、オブジェクトの未送信データ量／（送信完了予定時刻―現在時刻）により算出される。
【０３２６】
したがって、送信処理がネットワークの輻輳や通信リソースの使用状況、負荷状況が悪化して、オブジェクトの送信処理が予定通り（配信スケジュール通り）に進まなくなった場合、未送信データが予定以上に多く残り、送信処理を完了させなければならない送信完了予定時刻と現在時刻の差分がさらに小さくなってくることになるため、オブジェクトの未送信データの送信処理に対して要求されるリアルタイム性はなおいっそう高くなる。
【０３２７】
このような場合、要求されるリアルタイム性が次第に高くなってくるため、送信完了予定時刻を優先して守るという通信ポリシーを採用している場合、要求される通信帯域を割り当ててもらえる通信サービスでそのサービスの利用にあたっての通信リソースに空きがあれば、同送信サービスに段階的に切り替えて、通信料金が高くなるけれど要求されるリアルタイム性に応じた通信帯域を割り当てることにより、送信完了予定時刻を死守するような制御を行う。同送信サービスに通信リソースの空きがない場合は、さらに高額でサービス利用にあたっての通信リソースに空きがある送信処理サービスを策定することになる。
【０３２８】
通信ポリシーに通信料金に関する制約ルールとして、１パケットあたりの送信単価の上限を設けている場合、上限の送信単価にて利用できる通信帯域が、要求されるリアルタイム性を満足することのできる通信帯域を割り当てることができないため、このような場合、送信完了予定時刻を変更するか、送信オブジェクトのデータのデータ品質を制御して未送信データ量を低減して当初の送信完了予定時刻にオブジェクトの送信処理が完了するような配信（送信）制御を行う。このような対処法も通信ポリシーとして設定しておくことになるが、動的に対処法を通信ポリシーに加えてもよい。
【０３２９】
また、送信単価等の通信費を考慮しない場合は、通信費の上限という制約はなくなるが、要求されるリアルタイム性に相応の通信帯域を割り当てることのできる送信システムの空き状況を判定して、割り当てる通信帯域を制御する。
【０３３０】
ユーザの指示する配信期限、配信期間、配信開始等の要求に応じて通信ポリシーを設定し、同通信ポリシーに応じて、上記観測情報（ユーザ端末の位置情報、タグ（無線通信装置）の位置情報、通信ポリシー達成度、ネットワークの輻輳（トラヒック）状況、通信リソースの使用状況、送信データの要求されるリアルタイム性、時刻、ユーザ状態）を考慮して、配信（送信）制御を行う。
【０３３１】
ネットワーク監視者の判断に基づいて、ネットワークトラヒック、通信リソースの使用状況、ネットワーク／通信設備の負荷を負荷分散するような配信（送信）制御を通信ポリシーにしたがって、送信データの要求されるリアルタイム性を考慮の上実施する。
【０３３２】
また、ユーザの位置、通話中、会議中、移動中、あるエリア内にいる、あるタグの交信エリア内、移動機の交信エリア圏内、等のユーザの状態に応じた通信ポリシーを設定しておき、ユーザ状態に応じて、適宜適用する通信ポリシーを選択し、アクセス／提供するサービス内容、サービス品質、コンテンツを決定し、選択した通信ポリシーにしたがって配信（送信）制御する。ユーザの状態に応じて、例えば配信を停止し、ユーザの状態が変化したら送信を開始するといった通信ポリシーを設定し、データの要求されるリアルタイム性を考慮して、通信ポリシーを適用して送信制御を行う。
【０３３３】
配信予約に対して、ネットワークから取得可能なコンテンツを、ユーザ状態（通話中、待ち受け中、位置、同時アクセスしているコンテンツの数、移動機の通信リソースの使用状況、パケット通信により送受信している単位時間あたりのデータ量等）に応じて、サービス内容、サービス品質を決定して、通信ポリシーにしたがって送信制御する。
【０３３４】
通話中である場合は、通話が終了した後にデータを配信するもの、通話中に同時的に配信するコンテンツ等を予め通信ポリシーに登録して送信制御を行う。ユーザ端末の位置に応じて、配信するコンテンツ、適用する通信ポリシー、通信ポリシーの適用制限、サービス品質制限、送信するデータの要求されるリアルタイム性等を考慮して制御する。
【０３３５】
また、通信ポリシーとして、ネットワーク（通信路）設備、通信リソース、の閑散な使用状況を狙い撃ちした利用を指定した通信ポリシーを予約設定することにより、ネットワークリソース、通信リソースの有効利用を実現することができる。
【０３３６】
ユーザからの非リアルタイムコンテンツの配信要求に対しても、通信ポリシーを設定することにより、効果的な配信を実現することができる。特に、ユーザが配信要求する非リアルタイムコンテンツの要求されるリアルタイム性を考慮した配信制御を行うことにより、ユーザにストレスを感じさせることなく、ネットワークリソース、設備を効率的に使用したコンテンツの配信制御ができる。
【０３３７】
通信ポリシーのポリシー設定項目として、いつでもよいとか（送信完了期限を指定しない）、送信完了期限、配信期間等を、ネットワークの閑散時間帯を優先するように（ネットワークトラヒック量がある値以下のとき）、統計的トラヒックデータと指定された配信時期（配信開始完了、配送期間の要求／要望）にしたがって、ネットワークのトラヒック状況と通信リソースの使用状況、と配信データの要求されるリアルタイム性（配信完了期限を設定時に考慮する必要が発生する）を考慮して配信（送信）制御を行う。
【０３３８】
リアルタイム性を要求する度合いに応じて、通信リソースを割り当て、ＱｏＳを保証することでサービスを展開することになるが、まったくリアルタイム性が要求されない非リアルタイム性コンテンツについては、他のユーザが使用時に提供される通信品質、コンテンツ品質に制限を加えないように、遊休の通信リソースを優先して割り当てを行う。他のユーザからのリソースの予約要求が発生して、通信リソースが枯渇してくると、非リアルタイム性コンテンツは、通信リソースを一時解放して、リアルタイム性コンテンツ（データ）に、同コンテンツ（データ）の要求されるリアルタイム性に応じて通信リソースを提供する。通信リソースに空きができたときにのみ、通信リソースを割り当てて、コンテンツの送信を行うといった通信ポリシーが有効である。
【０３３９】
また、通信ポリシー設定部１６，３６，４６，５６は、端末装置３０ａ，３０ｂの位置、情報ほしさの緊急度、要求するサービス品質、通話中、会議中、休憩中、食事中、デスクワーク中、移動中、移動速度、あるエリア（建物、店舗、会場、スタジアム、ある特別に定めた領域等）内にいる、あるタグの交信エリア内、移動機の交信エリア圏内、端末装置の処理負荷状況／リソースの空き状況の等のユーザの状態に応じて、また、無線通信装置の  位置、情報ほしさの緊急度、要求するサービス品質、交信可能エリア内のユーザの数、情報提供ユーザ数、発生している送信トラヒック状況、処理負荷状況等の状態に応じて、コンテンツのコンテンツ内容（サービス内容）、データ品質（サービス品質）、コンテンツの送信時に適用する通信品質を、ネットワークのトラヒック状況（輻輳状況）、通信リソースの使用状況、配信データの要求されるリアルタイム性、通信ポリシー達成状況、等を考慮して決定する。
【０３４０】
又、通信ポリシーの設定規則には、オブジェクトの階級を決定し、その階級に応じた通信ポリシーを設定するという規則がある。階級は、通信ポリシーの設定に用いる情報に基づいて定めることができる。階級毎に設定可能な通信ポリシー設定項目とその設定内容を、階級別通信ポリシーとして予め定めておく。そして、通信ポリシー設定部１６，３６，４６，５６は、通信ポリシーの設定に用いる情報に基づいて、階級を決定する。通信ポリシー設定部１６，２６，３６，４６，５６は、決定した階級以下の階級別通信ポリシーを、通信ポリシーとして設定する。
【０３４１】
更に、通信ポリシーの設定規則には、適用可能な通信ポリシーを制限する制限条件に従って、通信ポリシーを設定するという規則がある。制限条件は、通信ポリシーの設定に用いる情報をパラメータとして定めることができる。例えば、制限条件は、端末装置３０ａ，３０ｂや無線通信装置１０ａ〜１０ｅの位置や存在する領域などの位置情報、時間情報、監視情報、タググループＩＤや端末グループＩＤなどの無線通信装置情報や端末情報などをパラメータとして定める。例えば、端末装置３０ａ，３０ｂの存在する領域に応じて、適用可能な通信ポリシーを制限する制限条件を定める。又、制限条件は、オブジェクト単位毎に定めることができる。更に、制限条件は、適用可能な通信ポリシーを直接制限する条件だけでなく、通信ポリシーの設定に用いる適用条件や通信ポリシー算出規則の使用を制限する条件を定めてもよい。又、制限条件は、その制限する程度についても定めてもよい。
【０３４２】
通信ポリシー設定部１６，３６，４６，５６は、通信ポリシーの設定に用いる情報や決定したオブジェクト単位に基づいて、該当する制限条件の有無を判断する。そして、通信ポリシー設定部１６，２６，３６，４６，５６は、該当する制限条件がある場合には、その制限条件を満たすように通信ポリシーを設定する。このように、通信ポリシーの制限条件を定めて通信ポリシーを設定することにより、通信ポリシー設定部１６，３６，４６，５６は、通信ポリシーの適用を制限することができる。
【０３４３】
又、通信ポリシー設定部１６，３６，４６，５６は、これらの通信ポリシーの設定規則を複数組み合わせて、通信ポリシーを設定することが好ましい。例えば、推奨通信ポリシー、過去に設定した通信ポリシー、通信ポリシーの適用条件、通信ポリシー算出規則、階級別通信ポリシーと、通信ポリシー制限条件とを組み合わせることができる。具体的には、通信ポリシー算出規則と通信ポリシー制限条件とを組み合わせた場合、通信ポリシー設定部１６，３６，４６，５６は、通信ポリシー算出規則に、通信ポリシー制限条件と、端末装置３０ａ，３０ｂが希望するデータ品質や変換方法、通信料金と、無線通信装置情報と、測定情報と、監視情報と、時間情報とを代入して、設定する通信ポリシーを求める。
【０３４４】
この場合、例えば、通信ポリシー設定部１６，３６，４６，５６は、希望するデータ品質として、複数のオブジェクトから構成される提供情報を再生する際の提供情報の表示サイズ、表示開始時刻、表示時間やその許容遅延時間、フレームレート、解像度、複数の提供情報を連続して表示する場合の表示順序、複数の提供情報を同時に表示する場合の配列、同期のタイミングやそのずれの許容値などを代入する。
【０３４５】
通信ポリシー設定部１６，３６，４６，５６は、希望する変換方法として、データの圧縮方法、データ品質の変換方法を代入する。通信ポリシー設定部１６，３６，４６，５６は、希望する通信料金として、支払ってもよいと考える料金の上限値、料金算出規則を代入する。通信ポリシー設定部１６，３６，４６，５６は、無線通信装置情報として、無線通信装置１０ａ〜１０ｅの位置情報、測定情報としてある領域に存在する無線通信装置１０ａ〜１０ｅや端末装置３０ａ，３０ｂの数、無線通信装置１０ａ〜１０ｅや端末装置３０ａ，３０ｂの移動速度、監視情報として、ある領域における現在のトラヒック量や使用通信リソース量、現在又は過去のネットワーク全体のトラヒック量や使用通信リソース量、通信ポリシー達成度、誤り率、再送率、パケット破棄率、時間情報として処理の利用時間を代入する。
【０３４６】
尚、通信ポリシーの設定規則は、予め定めておき、通信ポリシーデータベース１６ａ，３６ａ，４６ａ，５６ａが記憶する。又、設定条件制御部４６ｂ，５６ｂが、通信ポリシーの設定規則を制御してもよい。設定条件制御部４６ｂ，５６ｂは、監視情報に基づいて通信ポリシーの設定規則を制御する。
【０３４７】
次に、通信ポリシー設定部１６，３６，４６，５６は、設定した通信ポリシーを実行できるか否かを判断する。通信ポリシー設定部１６，３６，４６，５６は、通信ポリシーの設定に用いる情報に基づいて判断する。例えば、通信ポリシー設定部１６，３６，４６，５６は、現在の通信リソースの状況に基づいて、設定した通信ポリシーを実行するために必要な通信リソースを確保できるか否かを判断する。そして、通信ポリシー設定部１６，３６，４６，５６は、必要な通信リソースを確保できない場合には、設定した通信ポリシーを実行できないと判断し、必要な通信リソースを確保できる場合には、設定した通信ポリシーを実行できると判断する。
【０３４８】
通信ポリシー設定部１６，３６，４６，５６は、設定した通信ポリシーを実行できないと判断した場合には、異なる通信ポリシーを更に設定する。このとき、最初に設定した通信ポリシーを第１通信ポリシーといい、更に設定した通信ポリシーを第２通信ポリシーという。通信ポリシー設定部１６，３６，４６，５６は、通信ポリシーの設定規則を用いて、第１通信ポリシーに基づいて第２通信ポリシーを設定する。
【０３４９】
具体的には、通信ポリシー設定部１６，３６，４６，５６は、第１通信ポリシーが実行できない原因を解消した第２通信ポリシーを設定する。そして、通信ポリシー設定部１６，３６，４６，５６は、実行可能な第２通信ポリシーを設定する。例えば、通信リソースが不足しているために第１通信ポリシーが実行できなかった場合には、通信ポリシー設定部１６，３６，４６，５６は、第１通信ポリシーよりも少ない通信リソースで足りるような通信ポリシーを設定する。又、通信ポリシー設定部１６，３６，４６，５６は、第１通信ポリシーの設定の際に要求されていた条件を可能な限り満たす第２通信ポリシーを設定する。例えば、通信ポリシー設定部１６，３６，４６，５６は、通信料金の希望上限額、提供してもよい通信リソース、要求する品質、要求されるリアルタイム性などを満たす第２通信ポリシーを設定する。
【０３５０】
例えば、図１５に示した通信ポリシー４を実行するためには、通信リソース量が全通信リソース量の１０％必要であり、通信ポリシー５を実行するためには５％必要であり、通信ポリシー６を実行するためには２％必要であるとする。又、設定した通信ポリシーが通信ポリシー４であり、現在の使用通信リソース量が９３％であるとする。通信ポリシー設定部１６，２６，３６，４６，５６は、現在の空き通信リソース量７％と、通信ポリシー４の実行に必要な通信リソース量１０％を比較して、設定した通信ポリシーを実行できるか否かを判断する。
【０３５１】
通信ポリシー設定部１６，３６，４６，５６は、通信ポリシー４を実行するために必要な通信リソース量を確保できず、通信ポリシー４を実行できないと判断する。そして、通信ポリシー設定部１６，３６，４６，５６は、通信ポリシー４を第１通信ポリシーとする。更に、通信ポリシー設定部１６，３６，４６，５６は、必要な通信リソース量が５％であり、現在の空き通信リソース量７％で実行できる通信ポリシー５を、第２通信ポリシーとして設定する。
【０３５２】
一方、通信ポリシー設定部１６，３６，４６，５６が、設定した通信ポリシーを実行できると判断した場合には、通信ポリシーは最初に設定した１つだけとなる。尚、通信ポリシー設定部１６，３６，４６，５６は、最初に設定した通信ポリシーを実行できると判断した場合であっても、最初に設定した通信ポリシーを第１通信ポリシーとし、更に、第２通信ポリシーを設定してもよい。この場合、第２通信ポリシーとして、第１通信ポリシーよりも、例えば、通信品質や要求されるリアルタイム性が低い通信ポリシーを設定してもよく、高い通信ポリシーを設定してもよい。又、通信ポリシー設定部１６，３６，４６，５６は、設定した通信ポリシーを実行できないと判断した場合に、最初に設定した通信ポリシーの設定を解除し、新たに異なる通信ポリシーを１つ設定してもよい。即ち、通信ポリシー設定部１６，３６，４６，５６は、通信ポリシーを設定しなおしてもよい。
【０３５３】
３．達成目標値の設定
次に、通信ポリシー設定部１６，２６，３６，４６，５６は、オブジェクト単位毎に、設定した通信ポリシーを達成する目標値（以下「達成目標値」という）を設定する。通信ポリシー設定部１６，３６，４６，５６は、通信ポリシーの設定に用いる情報に基づいて達成目標値を設定する。例えば、通信ポリシー設定部１６，３６，４６，５６は、通信リソースの状況、ネットワークの状況、配信サーバ４０ａ〜４０ｃ、中継装置５０ａ、無線通信装置１０ｃ，１０ｄ、端末装置３０ａ，３０ｂの負荷状況、処理状況に基づいて、達成目標値を設定する。
【０３５４】
通信ポリシー設定部１６，３６，４６，５６は、達成目標値を、具体的な数値で設定してもよく、割合で設定してもよい。例えば、通信ポリシー設定項目が通信速度であり、設定した通信ポリシーが２８．８ｋｂｐｓ以上６４ｋｂｐｓ未満の場合に、通信ポリシー設定部１６，３６，４６，５６は、達成目標値を平均通信速度３０ｋｂｐｓ以上と設定できる。又、同様の場合に、通信ポリシー設定部１６，３６，４６，５６は、達成目標値を、オブジェクト送信中に通信速度が設定した通信ポリシーを満たしている割合８０％以上と設定できる。
【０３５５】
又、通信ポリシー設定部１６，３６，４６，５６は、選択した通信ポリシー設定条件に基づいて、達成目標値を設定する。具体的には、通信ポリシー設定部１６，３６，４６，５６は、設定条件で優先すると定められた通信ポリシー設定項目の達成目標値を、優先度の低い通信ポリシー設定項目の達成目標値よりも高く設定する。又、通信ポリシー設定部１６，３６，４６，５６は、設定条件で優先すると定められた通信ポリシー設定項目についてだけ達成目標値を設定してもよい。
【０３５６】
通信ポリシー設定部１６，３６，４６，５６は、達成目標値の算出規則に基づいて、達成目標値を算出する。達成目標値の算出規則は、通信ポリシーの設定に用いる情報をパラメータとして定める。又、達成目標値の算出規則には、設定する達成目標値を求める関数（以下「目標値関数」という）がある。目標値関数は、通信ポリシーの設定に用いる情報がパラメータである関数である。例えば、目標値関数には、そのパラメータが輻輳の程度を表す輻輳度、要求されるリアルタイム性、通信ポリシー達成度、端末装置３０ａ，３０ｂの位置情報や移動速度である関数がある。通信ポリシー設定部１６，３６，４６，５６は、算出した達成目標値を設定する。
【０３５７】
又、達成目標値の算出規則は予め定めておき、通信ポリシーデータベース１６ａ，３６ａ，４６ａ，５６ａが記憶する。又、設定条件制御部４６ｂ，５６ｂが、達成目標値の算出規則を制御してもよい。設定条件制御部４６ｂ，５６ｂは、監視情報に基づいて達成目標値の算出規則を制御する。尚、達成目標値は設定しなくてもよい。
【０３５８】
通信ポリシー設定情報には、このような通信ポリシーの設定や達成目標値の設定に用いる通信ポリシーの設定条件、通信ポリシーの設定規則、目標値関数がある。又、設定情報には、設定した通信ポリシー、具体的には、通信ポリシー設定項目とその設定内容、設定した達成目標値がある。
【０３５９】
通信ポリシー設定部１６，３６，４６，５６は、このようにして通信ポリシー、達成目標値を設定した後、通信制御部１７，３７ａ，３７ｂ，４７ａ，４７ｂ，５７ｂ、通信部１４ｃ，３４ａ，４４ａ、５４ｂ、無線通信部１１ｃ，３１ａに設定情報を入力する。又、通信ポリシー設定部１６，３６，４６，５６は、設定した通信ポリシー、達成目標値、決定したオブジェクト単位を、通信ポリシーデータベース１６ａ，３６ａ，４６ａ，５６ａに格納する。
【０３６０】
通信ポリシー設定部１６，３６，４６，５６が、入力する設定情報には、少なくとも、ユーザＩＤと、コンテンツＩＤ、無線情報ＩＤと、決定したオブジェクト単位と、通信ポリシー設定項目と、その設定内容と、設定した達成目標値とが含まれる。又、通信ポリシー設定部１６，２６，４６は、ユーザＩＤ、コンテンツＩＤ又は無線情報ＩＤに対応付けて、設定した通信ポリシー、設定した達成目標値、決定したオブジェクト単位を格納する。
【０３６１】
４．通信ポリシーの変更
通信システム１は、このようにして通信ポリシーを設定すると、提供情報や無線情報の送信を行う。例えば、図１６に示すように、通信システム１は、通信ポリシーを設定すると（１０１）、送信制御情報を決定し（１０２）、提供情報や無線情報を送信する（１０４）。あるいは、通信システム１は、決定した送信制御情報に基づいて、提供情報や無線情報の送信に通信リソースを予め割り当てて、通信リソースを予約確保してから（１０３）、提供情報や無線情報を送信する（１０４）。
【０３６２】
通信ポリシー設定部１６，３６，４６，５６は、一度設定した通信ポリシーを、設定後の状況、例えば、提供情報や無線情報の送信の開始後の状況に応じて、再度設定し直して、変更することができる（１０１）。そして、通信システム１は、変更した通信ポリシーに基づいて、再度、送信制御情報を決定し（１０２）、通信リソースを予約確保し（１０３）、提供情報や無線情報を送信する（１０４）。尚、一度設定した通信ポリシーを変更せずに、提供情報や無線情報の送信を続けてもよい。
【０３６３】
通信ポリシー設定部１６，３６，４６，５６は、通信ポリシーの設定に用いる情報に基づいて、通信ポリシーを変更する。例えば、図１６に示すように、通信ポリシー設定部１６，３６，４６，５６は、ネットワークの状況、通信リソースの状況、通信ポリシーの達成度、位置情報、時間情報、要求されるリアルタイム性に基づいて、通信ポリシーを変更する。通信ポリシー設定部１６，３６，４６，５６は、最初に通信ポリシーを設定したときと同様にして、通信ポリシーの設定条件に従って、通信ポリシーの設定規則を用いて、新たな通信ポリシーを設定できる。
【０３６４】
具体的には、通信ポリシー設定項目がデータ品質や通信品質の場合に、一定の領域内の同時利用数が増加すると、通信ポリシー設定部１６，３６，４６，５６は、データ品質や通信品質を低下させることができる。このとき、通信ポリシー設定部１６，３６，４６，５６は、他の通信ポリシーの設定に用いる情報に基づいて、データ品質や通信品質を低下させることができる。例えば、通信ポリシー設定部１６，３６，４６，５６は、通信料金、端末装置３０ａ，３０ｂの要求に応じて、データ品質や通信品質を低下させる程度を変えることができる。又、通信ポリシー設定部１６，３６，４６，５６は、領域内の全ての端末装置３０ａ，３０ｂのデータ品質や通信品質を等しく低下させてもよい。
【０３６５】
又、通信ポリシー設定項目が通信スケジュールであり、無線情報や特定した提供情報が特定の領域内でのみ送信する情報である場合に、通信ポリシー設定部１６，３６，４６，５６は、無線情報や提供情報のデータ品質、端末装置３０ａ，３０ｂの現在位置、移動速度、ネットワークのトラヒック、通信リソースの状況、通信ポリシーの達成度に基づいて、端末装置３０ａ、３０ｂが特定の領域内に存在する間に、無線情報や提供情報の送信が完了するように、通信スケジュールを変更する。
【０３６６】
又、通信ポリシー設定項目が通信スケジュールであり、無線通信装置１０ｃが提供情報を端末装置３０ｂに送信する場合に、通信ポリシー設定部１６，３６，４６，５６は、提供情報のデータ品質、端末装置３０ｂと無線通信装置１０ｃとの相対速度、ネットワークのトラヒック、通信リソースの状況、通信ポリシーの達成度に基づいて、端末装置３０ｂが無線通信装置１０ｃと通信可能な間に、提供情報の送信を完了するように、通信スケジュールを変更する。尚、配信サーバ４０ａ〜４０ｃの監視部４９ａ，４９ｄは、通信ポリシーを変更しても特定の領域内に存在する間や、通信可能な間に送信が完了できない場合には、端末装置３０ｂが領域外に移動したり、通信できなくなったりする前に、提供情報の送信を停止又は中断することを、端末装置３０ｂに対してアラーム等によって通知する。そして、通信部４４ａ，４４ｂが、その通知を端末装置３０ｂに送信する。
【０３６７】
又、通信ポリシー設定部１６，３６，４６，５６は、通信品質や通信スケジュールの実際の状況に基づいて、通信ポリシーを変更できる。例えば、通信ポリシー設定部１６，３６，４６，５６は、誤り率、再送率、到達度、欠損率、パケット破棄率、遅延時間に応じて、通信ポリシーを変更できる。又、通信品質の低下量や低下の割合（以下「低下度」という）の閾値を設定しておいてもよい。例えば、送信開始時の通信品質を基準値とし、その基準値からの低下量や、基準値に対する低下量の割合を低下度として設定できる。そして、通信ポリシー設定部１６，３６，４６，５６は、実際の通信品質の低下量や低下度が閾値以下となるように、通信ポリシーを変更する。
【０３６８】
又、通信ポリシー設定項目の変化量や変化の割合（以下「変化度」という）の閾値を設定しておいてもよい。例えば、送信開始時の通信ポリシー設定項目の値を基準値とし、その基準値からの変化量や、基準値に対する変化量の割合を変化度として設定できる。そして、通信ポリシー設定部１６，３６，４６，５６は、実際の通信ポリシー設定項目の変化量や変化度が閾値以下となるように、通信ポリシーを変更してもよい。
【０３６９】
又、通信ポリシー設定部１６，３６，４６，５６は、提供情報や無線情報の送信の開始後の状況に応じて、発生している通信料金を推定する。例えば、通信ポリシーデータベース１６ａ，３６ａ，４６ａ，５６ａが、料金算出規則を記憶しておく。そして、通信ポリシー設定部１６，３６，４６，５６は、取得した監視情報と料金算出規則に基づいて、発生している通信料金を推定する。通信ポリシー設定部１６，３６，４６，５６は、推定した通信料金に基づいて、通信ポリシーを変更できる。例えば、通信ポリシー設定項目が通信料金と通信リソースの場合、通信ポリシー設定部１６，３６，４６，５６は、通信料金の上限額と推定した通信料金を比較する。通信ポリシー設定部１６，２６，３６，４６，５６は、その比較結果に応じて、割り当てる通信リソース量を変化させることができる。
【０３７０】
又、空き通信リソース量が低下すると、通信リソースを確保するために高額な通信料金が必要になる場合がある。通信ポリシー設定項目が通信品質であり、通信ポリシーの設定条件が、通信料金が希望する上限額以下になることを優先して通信ポリシーを決定し、設定するという条件であるとする。この場合に、空き通信リソース量が低下すると、通信ポリシー設定部１６，３６，４６，５６は、確保する通信リソース量を減らして通信料金が希望する上限額以下になるようにするために、通信品質を低下させる。
【０３７１】
一方、通信ポリシー設定項目が通信リソースであり、通信ポリシーの設定条件が、通信品質を優先して通信ポリシーを決定し、設定するという条件の場合に、空き通信リソース量が低下すると、通信ポリシー設定部１６，３６，４６，５６は、通信品質を高く維持するために、たとえ通信料金が高くなったとしても、確保する通信リソース量を増加させる。
【０３７２】
又、最初に設定したが、実行できないと判断した第１通信ポリシーと、実行可能な通信ポリシーとして更に設定した第２通信ポリシーがある場合には、通信システム１は、まず、第２通信ポリシーに基づいて、提供情報や処理情報の送信を開始する。通信ポリシー設定部１６，３６，４６，５６は、通信ポリシーの設定に用いる情報に基づいて、第２通信ポリシーから第１通信ポリシーに近づくように、通信ポリシーを変更する。通信ポリシー設定部１６，３６，４６，５６は、可能な場合には、第１通信ポリシーに変更する。
【０３７３】
例えば、図１５に示した通信ポリシー４を実行するためには、通信リソース量が全通信リソース量の１０％必要であるとする。現在、使用通信リソース量が９３％であり、第１通信ポリシーとして通信ポリシー４が設定され、第２通信ポリシーとして通信ポリシー２が設定されているとする。通信ポリシー設定部１６，３６，４６，５６は、空き通信リソース量が１０％以上発生した場合には、通信ポリシー４に変更する。
【０３７４】
又、通信ポリシー設定部１６，３６，４６，５６は、通信ポリシーの達成目標値を変更してもよい。通信ポリシー設定部１６，３６，４６，５６は、通信ポリシーの設定に用いる情報に基づいて、達成目標値を変更する。例えば、通信ポリシー設定部１６，３６，４６，５６は、ネットワークの状況、通信リソースの状況、通信ポリシーの達成度に基づいて、達成目標値を再設定して変更する。通信ポリシー設定情報には、このような通信ポリシーの変更や達成目標値の変更に用いる通信ポリシーの設定条件、通信ポリシーの設定規則、目標値関数がある。
【０３７５】
通信ポリシー設定情報には、このような通信ポリシーの変更や達成目標値の変更に用いる通信ポリシーの設定条件、通信ポリシーの設定規則、目標値関数がある。又、設定情報には、設定し直して変更した通信ポリシー、具体的には、変更した通信ポリシー設定項目とその設定内容、設定し直して変更した達成目標値がある。
【０３７６】
通信ポリシー設定部１６，３６，４６，５６は、このようにして通信ポリシー、達成目標値を変更した後、最初に通信ポリシーを設定した場合と同様にして、通信制御部１７，３７ａ，３７ｂ，４７ａ，４７ｂ，５７ｂ、通信部１４ｃ，３４ａ，４４ａ、５４ｂ、無線通信部１１ｃ，３１ａに設定情報を入力する。又、通信ポリシー設定部１６，３６，４６，５６は、変更した通信ポリシー、達成目標値を、通信ポリシーデータベース１６ａ，３６ａ，４６ａ，５６ａに格納する。
【０３７７】
通信ポリシー設定部１６，３６，４６，５６は、以上説明したようにして通信ポリシーを決定し、設定する。通信ポリシー設定部１６，３６，４６，５６は、このような通信ポリシーの設定、即ち、オブジェクト単位の決定や通信ポリシーの設定、達成目標値の設定や通信ポリシーの変更を、単独で行ってもよく、相互に調整して行ってもよい。
【０３７８】
例えば、まず、通信ポリシーを決定し、設定する主体の通信ポリシー設定部が、通信ポリシーを設定する場合と同様に、通信ポリシーの設定条件に従って、通信ポリシーの設定規則を用いて、設定しようとする希望の通信ポリシーを決定する。そして、主体の通信ポリシー設定部が、他の通信ポリシー設定部に、希望の通信ポリシーを通知して、検討するように指示する。他の通信ポリシー設定部は、その通知内容を検討し、検討結果を主体の通信ポリシー設定部に通知する。例えば、他の通信ポリシー設定部は、通知された通信ポリシーを了承する回答、通知された通信ポリシーの希望修正内容などを検討結果として通知する。主体の通信ポリシー設定部は、取得した検討結果に基づいて、通信ポリシーを設定する。例えば、検討結果が了承する回答の場合には、希望の通信ポリシーをそのまま設定する。検討結果に希望修正内容が含まれていた場合には、その希望修正内容に基づいて修正を加えた通信ポリシーを設定する。
【０３７９】
又、通信ポリシーを決定し、設定する主体の通信ポリシー設定部が、他の第１の通信ポリシー設定部から、設定しようとする希望の通信ポリシーの通知を受ける。尚、第１の通信ポリシー設定部は、通信ポリシーを設定する場合と同様に、通信ポリシーの設定条件に従って、通信ポリシーの設定規則を用いて、希望の通信ポリシーを決定する。主体の通信ポリシー設定部は、希望の通信ポリシーの通知を、第１の通信ポリシー設定部以外の第２の通信ポリシー設定部に通知し、検討するように指示する。第２の通信ポリシー設定部は、その通知内容を検討し、検討結果を主体の通信ポリシー設定部に通知する。
【０３８０】
主体の通信ポリシー設定部は、取得した検討結果を、第１の通信ポリシー設定部に通知して、検討するように指示をする。第１の通信ポリシー設定部は、第２の通信ポリシー設定部の検討結果に基づいて、再度、通信ポリシーを検討する。第１の通信ポリシー設定部は、再検討した希望の通信ポリシーを、主体の通信ポリシー設定部に通知する。主体の通信ポリシー設定部は、第１の通信ポリシー設定部により再検討された通信ポリシーと、第２の通信ポリシー設定部からの検討結果に基づいて、通信ポリシーを設定する。
【０３８１】
そのため、通信ポリシー設定情報には、このような通知のように通信ポリシーの調整に用いる情報もある。尚、通信ポリシー設定部１６，３６，４６，５６は、このようなやりとりを複数回繰り返してもよい。このように、複数の通信ポリシー設定部１６，３６，４６，５６が、相互に通信ポリシーの調整を行うことにより、情報の送信側となる配信サーバ４０ａ〜４０ｂ、中継装置５０ａ、無線通信装置１０ｃ，１０ｄの通信部４４ａ，４４ｂ，５４ａ，１４ｃ、無線通信部１１ｃと、情報の受信側になる端末装置３０ａ，３０ｂ、中継装置５０ａ、無線通信装置１０ｃの通信部４４ａ，４４ｂ，５４ａ，１４ｃ、無線通信部３１ａ，３１ｂは、より適切な通信ポリシーに従って、提供情報や無線情報を送受信できる。
【０３８２】
（通信情報の送信方法）
１．送信制御情報の決定、変更
通信ポリシーが設定されると、通信制御部１７，３７ａ，３７ｂ，４７ａ，４７ｂ，５７ｂは、設定された通信ポリシーに基づいて、オブジェクト単位毎に、トンネルを介した通信情報の送受信を行う際の送信制御情報を決定する。又、通信ポリシーが変更されると、通信制御部１７，３７ａ，３７ｂ，４７ａ，４７ｂ，５７ｂは、変更された通信ポリシーに基づいて、送信制御情報を再度決定し直して、変更する。
【０３８３】
送信制御情報には、提供情報や無線情報を送信する際の具体的な事項や数値が含まれる。例えば、送信制御情報には、送受信のタイミング、送信開始予定時刻や送信完了予定時刻、通信速度の変更のタイミング、送信順序などの通信スケジュール、送信順序の変更方法、送信の優先度、通信速度、使用する通信プロトコルや帯域、使用するセッションやコネクション、トンネル、予約確保する通信リソース量や予約確保するスケジュール、実際に使用する通信リソースやその量、再送方法、データの変換方法、同期のタイミングなどの同期制御方法、データの多重方法などが含まれる。尚、送信の優先度は、送信を完了させる優先度である。そのため、送信の優先度が高いほど、通信リソースが優先して割り当てられ、送信順序が早くなり、再送も優先して行われる。
【０３８４】
通信制御部１７，３７ａ，３７ｂ，４７ａ，４７ｂ，５７ｂは、設定された通信ポリシー、達成目標値、通信ポリシーの設定に用いる情報に基づいて、送信制御情報を決定する。通信制御部１７，３７ａ，３７ｂ，４７ａ，４７ｂ，５７ｂは、設定情報から、設定された通信ポリシー、達成目標値を取得する。例えば、通信制御部１７，３７ａ，３７ｂ，４７ａ，４７ｂ，５７ｂは、設定された通信ポリシーと、要求されるリアルタイム性、ネットワークの状況、通信リソースの状況、位置情報、通信ポリシーの達成度、通信料金、負荷状況、処理状況に基づいて、送信制御情報を決定する。又、例えば、通信制御部１７，３７ａ，３７ｂ，４７ａ，４７ｂ，５７ｂは、設定された通信ポリシーと、端末装置３０ａ，３０ｂと無線通信装置１０ａ〜１０ｅの距離や相対速度、特定の領域に存在する無線通信装置１０ａ〜１０ｅの数、端末装置３０ａ，３０ｂと通信中の無線通信装置１０ａ〜１０ｅの数、同時利用数に基づいて、送信制御情報を決定する。
【０３８５】
通信制御部１７，３７ａ，３７ｂ，４７ａ，４７ｂ，５７ｂは、設定された通信ポリシーを実行できるように送信制御情報を決定する。更に、通信制御部１７，３７ａ，３７ｂ，４７ａ，４７ｂ，５７ｂは、設定された達成目標値を達成できるように送信制御情報を決定することが好ましい。
【０３８６】
例えば、通信制御部１７，３７ａ，３７ｂ，４７ａ，４７ｂ，５７ｂは、設定された通信ポリシーを実行するために必要な通信リソース量を算出する。そして、通信制御部１７，３７ａ，３７ｂ，４７ａ，４７ｂ，５７ｂは、送信制御情報として、算出した通信リソース量を予約確保する通信リソース量に決定する。又、通信制御部１７，３７ａ，３７ｂ，４７ａ，４７ｂ，５７ｂは、通信ポリシーとして通信スケジュールが設定されている場合に、送信制御情報として、その通信スケジュールで提供情報の送信が実行できるように、送信に必要な通信リソースを予約確保するスケジュールを決定する。このとき、通信制御部１７，３７ａ，３７ｂ，４７ａ，４７ｂ，５７ｂは、ネットワークの状況、通信リソースの状況、通信ポリシーの達成度、位置情報、時刻情報にも基づいて、予約確保するスケジュールを決定することが好ましい。
【０３８７】
又、通信制御部１７，３７ａ，３７ｂ，４７ａ，４７ｂ，５７ｂは、まず、設定された通信ポリシーに基づいて、送信制御情報として、オブジェクトの送信の優先度を決定する。例えば、通信制御部１７，３７ａ，３７ｂ，４７ａ，４７ｂ，５７ｂは、通信ポリシーとして要求されるリアルタイム性が設定されている場合、その要求されるリアルタイム性が高いほど、高い送信の優先度を決定する。尚、通信制御部１７，３７ａ，３７ｂ，４７ａ，４７ｂ，５７ｂは、送信の優先度によって通信料金が変動する場合には、通信料金も考慮して送信の優先度を決定する。次に、通信制御部１７，３７ａ，３７ｂ，４７ａ，４７ｂ，５７ｂは、決定した送信の優先度が高いオブジェクトほど、通信リソースを優先して割り当て、送信順序を早くし、再送を優先するような送信制御情報を決定する。よって、例えば、通信ポリシーとして要求されるリアルタイム性が設定されている場合には、通信制御部１７，３７ａ，３７ｂ，４７ａ，４７ｂ，５７ｂは、送信の優先度を高くし、通信リソースを優先して割り当て、送信順序を早くするような送信制御情報を決定する。
【０３８８】
又、通信制御部１７，３７ａ，３７ｂ，４７ａ，４７ｂ，５７ｂは、通信ポリシーとして設定されたセッションやトンネル、通信スケジュールに関する情報に基づいて、送信制御情報として、使用するセッションやトンネルを通信スケジュールとあわせて決定する。例えば、オブジェクトＡは、時刻Ｔ１から送信を開始し、時刻Ｔ２までは、第１セッション、第１トンネルを使用して送信し、時刻Ｔ２以降は、第２セッション、第２トンネルを使用して送信すると決定する。オブジェクトＢは、時刻Ｔ３から送信を開始し、第３セッション及び第３トンネルと、第４セッション及び第３トンネルを同時並行して送信すると決定する。
【０３８９】
又、例えば、通信ポリシーの設定内容が、「通信速度を１００ｋｂｐｓとする」というように具体的な数値の場合には、通信制御部１７，３７ａ，３７ｂ，４７ａ，４７ｂ，５７ｂは、通信ポリシーの設定内容をそのまま送信制御情報として決定する。一方、通信ポリシーの設定内容が、「通信速度を２８．８ｋｂｐｓ以上６４ｋｂｐｓ未満とする」というような範囲で示されている場合には、通信制御部１７，３７ａ，３７ｂ，４７ａ，４７ｂ，５７ｂは、設定された範囲の通信速度の値を、送信制御情報として決定する。このとき、通信制御部１７，３７ａ，３７ｂ，４７ａ，４７ｂ，５７ｂは、設定された達成目標値を達成できるように、通信速度の値を決定する。例えば、達成目標値が「平均通信速度３０ｋｂｐｓ以上」の場合に、通信制御部１７，３７ａ，３７ｂ，４７ａ，４７ｂ，５７ｂは、通信速度の値を達成目標値を上回る４５ｋｂｐｓに決定できる。又、通信ポリシーの設定内容が、図１４に示した通信ポリシー２のように、通信速度の決定規則の場合には、通信制御部１７，３７ａ，３７ｂ，４７ａ，４７ｂ，５７ｂは、設定された通信速度の決定規則に従って求めた通信速度の値を、送信制御情報として決定する。
【０３９０】
又、通信ポリシーとして、通信料金ができるだけ低額になるようにという制約条件と、送信完了時刻が設定されている場合に、通信制御部１７，３７ａ，３７ｂ，４７ａ，４７ｂ，５７ｂは、まず、使用通信リソース量、輻輳状況に基づいて、送信完了時刻に送信が完了するように、通信スケジュール、予約確保する通信リソース量、予約確保する通信リソースを、送信制御情報として決定する。そして、通信システム１は、決定した送信制御情報に従って、提供情報や処理情報の送信を開始する。
【０３９１】
その後、通信制御部１７，３７ａ，３７ｂ，４７ａ，４７ｂ，５７ｂは、通信リソースの状況に基づいて、低料金の通信リソースが空くと、低料金の通信リソースに予約確保する通信リソースを切り替えるように、送信制御情報を変更する。又、通信スケジュールに余裕が生じた場合には、通信速度を小さくできる。そのため、この場合には、通信制御部１７，３７ａ，３７ｂ，４７ａ，４７ｂ，５７ｂは、処理状況に基づいて、予約確保する通信リソース量を減らし、通信料金を抑えるように送信制御情報を変更する。又、通信制御部１７，３７ａ，３７ｂ，４７ａ，４７ｂ，５７ｂは、予約確保している通信リソースの中で、低料金の通信リソースを実際に使用する通信リソースに決定するようにしてもよい。
【０３９２】
又、通信制御部１７，３７ａ，３７ｂ，４７ａ，４７ｂ，５７ｂは、通信ポリシーの達成度が低い場合に、通信ポリシーの達成度が向上するように、送信制御情報を変更する。このとき、通信制御部１７，３７ａ，３７ｂ，４７ａ，４７ｂ，５７ｂは、通信ポリシーの設定条件に基づいて、送信制御情報を変更してもよい。例えば、通信制御部１７，３７ａ，３７ｂ，４７ａ，４７ｂ，５７ｂは、優先度の高い通信ポリシー設定項目の達成度を優先して向上できるように、送信制御情報を変更する。
【０３９３】
通信制御部１７，３７ａ，３７ｂ，４７ａ，４７ｂ，５７ｂは、決定したオブジェクト単位毎の送信制御情報と、設定情報に含まれているユーザＩＤと、コンテンツＩＤ又は無線情報ＩＤとを対応付ける。
【０３９４】
２．通信リソースの確保
次に、通信制御部１７，３７ａ，３７ｂ，４７ａ，４７ｂ，５７ｂが決定した送信制御情報に基づいて、リソース割当部２８ｂ，４８ｂ，４８ｃ，５８ｂが、提供情報、処理情報の送信に通信リソースを予め割り当てて、通信リソースを予約確保する。通信制御部４７ａ，４７ｂ，５７ｂは、送信制御情報として決定した予約確保する通信リソースを、予約確保する通信リソース量だけ、予約確保するスケジュールに従って、予約確保するように、リソース割当部４８ｂ，４８ｃ，５８ｂに指示する。リソース割当部４８ｂ，４８ｃ，５８ｂは、通信制御部４７ａ，４７ｂ，５７ｂの指示に従って、予約確保する通信リソースを、予約確保する通信リソース量だけ、予約確保するスケジュールに従って予約確保する。
【０３９５】
このとき、リソース割当部４８ｂ，４８ｃ，５８ｂは、指示された通信リソース量を確保できない場合には、待機する。そして、リソース割当部４８ｂ，４８ｃ，５８ｂは、通信リソースに空きが発生し、指示された通信リソース量を確保できるようになったら、通信リソースを予約確保する。あるいは、リソース割当部４８ｂ，４８ｃ，５８ｂは、現在確保できる通信リソース量だけ、予約確保する。そして、リソース割当部４８ｂ，４８ｃ，５８ｂは、通信リソースに空きが発生した際に、順次、残りの通信リソースを予約確保するようにしてもよい。
【０３９６】
次に、通信制御部４７ａ，４７ｂ，５７ｂは、送信制御情報として決定した実際に使用する通信リソースを、使用する通信リソース量だけ、提供情報、無線情報の送信に割り当てるように、リソース割当部４８ｂ，４８ｃ，５８ｂに指示する。リソース割当部４８ｂ，４８ｃ，５８ｂは、通信制御部４７ａ，４７ｂ，５７ｂの指示に従って、予約確保した通信リソースの中から、実際に使用する通信リソースを、使用する通信リソース量だけ、提供情報、無線情報の送信に割り当てる。
【０３９７】
又、通信制御部４７ａ，４７ｂ，５７ｂは、予約確保する通信リソースを切り替えるように、送信制御情報を変更した場合には、その切り替えをリソース割当部４８ｂ，４８ｃ，５８ｂに指示する。リソース割当部４８ｂ，４８ｃ，５８ｂは、通信制御部４７ａ，４７ｂ，５７ｂの指示に従って、予約確保していた通信リソースを解放し、新たに通信リソースを予約確保して、切り替えを行う。
【０３９８】
３．送信
通信システム１は、このように、送信制御情報を決定し、必要な通信リソースを予約確保し、使用する通信リソースの割り当てを行うと、提供情報、無線情報を送信する。
【０３９９】
配信サーバ４０ａ〜４０ｃの通信制御部４７ａ，４７ｂは、送信制御情報に含まれる通信スケジュールと時間情報に基づいて、送信を開始しなければならない提供情報があるか否かを判断する。通信制御部４７ａ，４７ｂは、送信を開始しなければならない提供情報がある場合には、その送信制御情報と対応づけられているコンテンツＩＤを指定して、その提供情報を、通信部４４ａ，４４ｂ又は変換部４８ａに入力するように、提供情報提供部４１ａ，４１ｂに指示する。提供情報提供部４１ａ，４１ｂは、通信制御部４７ａ，４７ｂの指示に従って、指定されたコンテンツＩＤの提供情報を、提供情報データベース４２から取得して、通信部４４ａ，４４ｂ又は変換部４８ａに入力する。
【０４００】
通信制御部４７ａ，４７ｂは、コンテンツＩＤと対応付けられている送信制御情報に基づいて、そのコンテンツＩＤの提供情報の送信について、通信部４４ａ，４４ｂ又は変換部４８ａを制御する。更に、提供情報を受信する端末装置３０ａ，３０ｂ、提供情報を中継する無線通信装置１０ｃ、中継装置５０ａ、中継制御装置５０ｂの通信制御部１７，３７ａ，３７ｂ，５７ａ，５７ｂは、コンテンツＩＤと対応付けられている送信制御情報に基づいて、そのコンテンツＩＤの提供情報の送受信について、通信部１４ｃ，３４ａ，５４ａ、無線通信部１１ｃ，３１ｂ、変換部１８，５８ｂを制御する。
【０４０１】
まず、通信部１４ｃ，３４ａ，４４ａ，４４ｂ，５４ａ、無線通信部１１ｃ，３１ｂは、通信制御部１７，３７ａ，３７ｂ，４７ａ，４７ｂ，５７ａの制御に従って、通信路を確立する。具体的には、通信部１４ｃ，３４ａ，４４ａ，４４ｂ，５４ａ、無線通信部１１ｃ，３１ｂは、図１に示したようなトンネル（Ａ）１ａ、トンネル（Ｃ）１ｃ〜トンネル（Ｇ）１ｇを確立し、更に、セッション（Ａ）２ａ、セッション（Ｃ）２ｃ、セッション（Ｄ）２ｄを確立する。
【０４０２】
変換部１８，４８ａ，５８ｂは、通信制御部１７，４７ａ，４７ｂ，５７ｂの制御に従って、提供情報をオブジェクト単位毎に変換し、通信部１４ｃ，４４ａ，４４ｂ，５４ａ、無線通信部１１ｃに入力する。そして、通信部１４ｃ，３４ａ，３４ｂ，４４ａ，４４ｂ，５４ａ、無線通信部１１ｃ，３１ｂが、通信制御部１７，３７ａ，３７ｂ，４７ａ，４７ｂ，５７ａの制御に従って、オブジェクト単位毎に提供情報を送受信する。
【０４０３】
又、無線通信装置１０ｄの通信制御部は、無線情報ＩＤと対応付けられている送信制御情報に基づいて、その無線情報ＩＤの無線情報の送信について、通信部又は変換部を制御する。更に、無線情報を受信する端末装置３０ａ、無線情報を中継する中継装置５０ａ、中継制御装置５０ｂの通信制御部３７ａ，５７ａ，５７ｂは、無線情報ＩＤと対応付けられている送信制御情報に基づいて、その無線情報ＩＤの無線情報の送受信について、通信部３４ａ，５４ａ、変換部５８ｂを制御する。
【０４０４】
まず、無線通信装置１０ｄの通信部、通信部３４ａ，５４ａは、無線通信装置１０ｄの通信制御部、通信制御部３７ａ，５７ａの制御に従って、通信路を確立する。具体的には、図１に示したようなトンネル（Ｂ）１ｂを確立し、更に、セッション（Ｂ）２ｂを確立する。無線通信装置１０ｄの変換部、変換部５８ｂは、無線通信装置１０ｄの通信制御部、通信制御部５７ｂの制御に従って、無線情報をオブジェクト単位毎に変換し、無線通信装置１０ｄの通信部、通信部５４ｂに入力する。そして、無線通信装置１０ｄの通信部、通信部３４ａ，５４ａが、無線通信装置１０ｄの通信制御部、通信制御部３７ａ，５７ａの制御に従って、オブジェクト単位毎に、無線情報を送受信する。
【０４０５】
尚、端末装置３０ａ，３０ｂが、無線情報として、提供情報の受信の準備の指示などを含む予告通知を受信していた場合には、端末装置３０ａ，３０ｂは、受信の準備が完了した際に、準備が完了したことを通知する準備完了通知を配信サーバ４０ａ〜４０ｃに送信する。配信サーバ４０ａ〜４０ｂｃは、準備完了通知を受信してから、提供情報の送信を開始する。
【０４０６】
通信路の確立は、例えば、以下のようにして行うことができる。通信ポリシーが設定されると、無線通信装置１０ｃ，１０ｄ、端末装置３０ａ，３０ｂ、中継装置５０ａ、配信サーバ４０ａ〜４０ｃなどの各装置は、各層（レイヤ）において、ＰＰＰ（Ｐｏｉｎｔ  ｔｏ  Ｐｏｉｎｔ  Ｐｒｏｔｏｃｏｌ）コネクションや、ＴＣＰコネクションなどのコネクション、セッション、トンネルを確立する。例えば、ＴＣＰを用いるトンネルを確立する場合には、ＴＣＰコネクション、セッションを確立する。通信プロトコルとしてＵＤＰを用いる場合には、セッションのみを確立する。尚、１つのコネクションに複数の通信ポリシーを設定することが可能である。
【０４０７】
又、端末装置３０ｂが、配信サーバ４０ａに対する提供情報の送信の要求を無線通信装置１０ｃに送信すると、無線通信装置１０ｄは、要求を中継装置５０ａに送信する。中継装置５０ａは、要求を受信すると、端末装置３０ｂと通信可能な無線通信装置１０ｃのタグＩＤを含むアドレスの問い合わせを、ポータルサーバ６０に送信する。ポータルサーバ６０は、問い合わせに含まれる無線通信装置１０ｃのタグＩＤに基づいて、そのアドレスを取得する。ポータルサーバ６０は、無線通信装置１０ｃのアドレスを中継装置５０ａに送信する。中継装置５０ａは、無線通信装置１０ｃとコネクションを確立し、トンネル（Ｄ）１ｄを確立する。その際、中継装置５０ａは、ポータルサーバ６０からの応答に含まれる無線通信装置１０ｃのアドレスを用いる。
【０４０８】
次に、中継装置５０ａは、配信サーバ４０ａとアクセス中継装置２０ａを介して接続する。中継装置５０ａは、アクセス中継装置２０ａとトンネル（Ｇ）１ｇを確立する。そして、端末装置３０ｂ、無線通信装置１０ｃ、中継装置５０ａ、アクセス中継装置２０ａ、配信サーバ４０ａは、トンネル（Ｄ）１ｄ及びトンネル（Ｇ）１ｇ内にセッション（Ｄ）２ｄを確立する。このとき、無線通信装置１０ｃ、中継装置５０ａ、配信サーバ４０ａは、トンネル（Ｄ）１ｄ、トンネル（Ｇ）１ｇ、セッション（Ｄ）２ｄ毎に異なる通信ポリシーを設定できる。又、ＩＰトンネル５ｂにも異なる通信ポリシーを設定できる。トンネル（Ｄ）１ｄ、トンネル（Ｇ）１ｇ、セッション（Ｄ）２ｄ、ＩＰトンネル５ｂに設定された各通信ポリシーを満足するように、送信制御情報が決定される。そして、配信サーバ４０ａが、セッション（Ｄ）２ｄを介して端末装置３０ｂに提供情報を送信し、端末装置３０ｂは提供情報を受信できる。
【０４０９】
又、端末装置３０ａが、中継装置５０ａに無線通信装置１０ｅに対する無線情報の要求を送信する。中継装置５０ａは、要求を受信すると、無線通信装置１０ｅと通信可能な無線通信装置の問い合わせを、ポータルサーバ６０に送信する。ポータルサーバ６０は、問い合わせに含まれる無線通信装置１０ｅのタグＩＤに基づいて、無線通信装置１０ｅと通信可能な無線通信装置１０ｄのタグＩＤとアドレスを取得する。ポータルサーバ６０は、無線通信装置１０ｄのタグＩＤとアドレスを中継装置５０ａに送信する。中継装置５０ａは、ポータルサーバ６０からの応答に含まれる無線通信装置１０ｄのアドレスを用いて、無線通信装置１０ｄと接続する。例えば、中継装置５０ａは、ダイヤルアップやパケットリンクにより接続する。中継装置５０ａは、端末装置３０ａからの無線通信装置１０ｅの無線情報の要求を、無線通信装置１０ｄに送信する。
【０４１０】
そして、端末装置３０ａ、中継装置５０ａ、無線通信装置１０ｄは、通信ポリシーに従って、コネクションを確立する。端末装置３０ａ、中継装置５０ａ、無線通信装置１０ｄは、トンネル（Ｂ）１ｂを確立し、トンネル（Ｂ）１ｂ内にセッション（Ｂ）２ｂを確立する。このとき、無線通信装置１０ｄ、中継装置５０ａ、端末装置３０ａは、トンネル（Ｂ）１ｂ、セッション（Ｂ）２ｂ毎に異なる通信ポリシーを設定できる。トンネル（Ｂ）１ｂ、セッション（Ｂ）２ｂに設定された各通信ポリシーを満足するように、送信制御情報が決定される。
【０４１１】
そして、無線通信装置１０ｄは、中継装置５０ａから受信した無線通信装置１０ｅの無線情報の要求を無線通信装置１０ｅに送信する。無線通信装置１０ｅは、要求に従い無線情報を無線通信装置１０ｄに送信する。無線通信装置１０ｄは、無線通信装置１０ｅから無線情報を受信する。無線通信装置１０ｄは、受信した無線通信装置１０ｅの無線情報を、セッション（Ｂ）２ｂを介して端末装置３０に送信する。
【０４１２】
尚、端末装置３０ａ，３０ｂが、無線情報として、提供情報の受信の準備の指示などを含む予告通知を受信していた場合には、端末装置３０ａ，３０ｂは、通信ポリシーの設定、通信リソースの予約確保などを行って、受信の準備をする。端末装置３０ａ，３０ｂは、受信の準備が完了した際に、準備が完了したことを通知する準備完了通知を配信サーバ４０ａ〜４０ｃに送信する。配信サーバ４０ａ〜４０ｃは、準備完了通知を送信してきた端末装置３０ａ，３０ｂに対して、オブジェクト単位毎に設定した通信ポリシーに基づいて、提供情報をオブジェクト単位毎に送信する。
【０４１３】
以上説明したようにして、トンネルを介して通信情報を送受信する際の通信ポリシーをオブジェクト単位毎に設定し、設定した通信ポリシーに基づいて、トンネルを介した通信情報の送受信をオブジェクト単位毎に制御して、通信情報を送受信する様子を、図１７に示す。図１７は、配信サーバ４０ａが中継装置５０ａ、無線通信装置１０ｃを介して、端末装置３０ｂに提供情報を送信する場合を示している。提供情報は、３つのオブジェクトＡ〜Ｃから構成される。オブジェクトＡ〜Ｃは、図１に示したトンネル（Ｇ）１ｇ、トンネル（Ｄ）１ｄを介して送受信される。
【０４１４】
通信ポリシーは、送信側の配信サーバ４０ａと受信側の中継装置５０ａとの間のトンネル（Ｇ）１ｇと、送信側の中継装置５０ａと受信側の無線通信装置１０ｃとの間のトンネル（Ｄ）１ｄと、送信側の無線通信装置１０ｃと受信側の端末装置３０ｂとの区間それぞれについて、オブジェクトＡ〜Ｃ毎に設定される。尚、トンネル（Ｇ）１ｇは、実際には、配信サーバ４０ａが接続しているアクセス中継装置２０ａとの間に確立されている。配信サーバ４０ａ、中継制御装置５０ｂ、無線通信装置１０ｃは、３者の間で通信ポリシーを調整して、設定する。
【０４１５】
オブジェクトＡは、配信サーバ４０ａと中継装置５０ａとの間のトンネル（Ｇ）１ｇにおけるオブジェクトＡについての通信ポリシー２０１ａに基づいて、配信サーバ４０ａにおいて、データ（Ａ１）から（Ａ２）の状態に変換される。そして、オブジェクトＡは、通信ポリシー２０１ａに基づいて、配信サーバ４０ａから中継装置５０ａに送信される。このとき、アクセス中継装置２０ａは、オブジェクトＡに、トンネル（Ｇ）１ｇにおけるヘッダを付加してカプセル化して送信する。
【０４１６】
次に、オブジェクトＡは、中継装置５０ａと無線通信装置１０ｃとの間のトンネル（Ｄ）１ｄにおけるオブジェクトＡについての通信ポリシー２０２ａに基づいて、中継装置５０ａにおいて（Ａ２）から（Ａ３）の状態に変換される。そして、オブジェクトＡは、通信ポリシー２０２ａに基づいて、中継装置５０ａから無線通信装置１０ｃに送信される。このとき、中継装置５０ａは、オブジェクトＡから、トンネル（Ｇ）１ｇにおけるヘッダを削除してディカプセル化し、トンネル（Ｄ）１ｄにおけるヘッダを付加してカプセル化して送信する。
【０４１７】
最後に、オブジェクトＡは、無線通信装置１０ｃと端末装置３０ｂとの間におけるオブジェクトＡについての通信ポリシー２０３ａに基づいて、無線通信装置１０ｃにおいて（Ａ３）から（Ａ４）の状態に変換される。そして、オブジェクトＡは、通信ポリシー２０３ａに基づいて、無線通信装置１０ｃから端末装置３０ｂに送信される。このとき、無線通信装置１０ｃは、オブジェクトＡから、トンネル（Ｄ）１ｄにおけるヘッダを削除してディカプセル化して送信する。
【０４１８】
オブジェクトＢは、配信サーバ４０ａと中継装置５０ａとの間のトンネル（Ｇ）１ｇにおけるオブジェクトＢについての通信ポリシー２０１ｂに基づいて、配信サーバ４０ａにおいて、データ（Ｂ１）から（Ｂ２）の状態に変換される。そして、オブジェクトＢは、通信ポリシー２０１ｂに基づいて、配信サーバ４０ａから中継装置５０ａに送信される。このとき、アクセス中継装置２０ａは、オブジェクトＢに、トンネル（Ｇ）１ｇにおけるヘッダを付加してカプセル化して送信する。
【０４１９】
次に、オブジェクトＢは、中継装置５０ａと無線通信装置１０ｃとの間のトンネル（Ｄ）１ｄにおけるオブジェクトＢについての通信ポリシー２０２ｂに基づいて、中継装置５０ａにおいて（Ｂ２）から（Ｂ３）の状態に変換される。そして、オブジェクトＢは、通信ポリシー２０２ｂに基づいて、中継装置５０ａから無線通信装置１０ｃに送信される。このとき、中継装置５０ａは、オブジェクトＢから、トンネル（Ｇ）１ｇにおけるヘッダを削除してディカプセル化し、トンネル（Ｄ）１ｄにおけるヘッダを付加してカプセル化して送信する。
【０４２０】
最後に、オブジェクトＢは、無線通信装置１０ｃと端末装置３０ｂとの間におけるオブジェクトＢについての通信ポリシー２０３ｂに基づいて、無線通信装置１０ｃにおいて（Ｂ３）から（Ｂ４）の状態に変換される。そして、オブジェクトＢは、通信ポリシー２０３ｂに基づいて、無線通信装置１０ｃから端末装置３０ｂに送信される。このとき、無線通信装置１０ｃは、オブジェクトＢから、トンネル（Ｄ）１ｄにおけるヘッダを削除してディカプセル化して送信する。
【０４２１】
オブジェクトＣは、配信サーバ４０ａと中継装置５０ａとの間のトンネル（Ｇ）１ｇにおけるオブジェクトＣについての通信ポリシー２０１ｃに基づいて、配信サーバ４０ａにおいて、データ（Ｃ１）から（Ｃ２）の状態に変換される。そして、オブジェクトＣは、通信ポリシー２０１ｃに基づいて、配信サーバ４０ａから中継装置５０ａに送信される。このとき、アクセス中継装置２０ａは、オブジェクトＣに、トンネル（Ｇ）１ｇにおけるヘッダを付加してカプセル化して送信する。
【０４２２】
次に、オブジェクトＣは、中継装置５０ａと無線通信装置１０ｃとの間のトンネル（Ｄ）１ｄにおけるオブジェクトＣについての通信ポリシー２０２ａに基づいて、中継装置５０ａにおいて（Ｃ２）から（Ｃ３）の状態に変換される。そして、オブジェクトＣは、通信ポリシー２０２ｃに基づいて、中継装置５０ａから無線通信装置１０ｃに送信される。このとき、中継装置５０ａは、オブジェクトＣから、トンネル（Ｇ）１ｇにおけるヘッダを削除してディカプセル化し、トンネル（Ｄ）１ｄにおけるヘッダを付加してカプセル化して送信する。
【０４２３】
最後に、オブジェクトＣは、無線通信装置１０ｃと端末装置３０ｂとの間におけるオブジェクトＣについての通信ポリシー２０３ｃに基づいて、無線通信装置１０ｃにおいて（Ｃ３）から（Ｃ４）の状態に変換される。そして、オブジェクトＣは、通信ポリシー２０３ｃに基づいて、無線通信装置１０ｃから端末装置３０ｂに送信される。このとき、無線通信装置１０ｃは、オブジェクトＣから、トンネル（Ｄ）１ｄにおけるヘッダを削除してディカプセル化して送信する。
【０４２４】
その結果、配信サーバ４０ａから端末装置３０ｂに、複数のオブジェクトＡ〜Ｃをトンネルを介して同時に並行して送信する場合であっても、オブジェクトＡ〜Ｃそれぞれに適した通信ポリシーで、かつ、トンネル（Ｄ）１ｄ、トンネル（Ｇ）１ｇそれぞれに適した通信ポリシーで送信することができる。そして、端末装置３０ｂでは、複数のオブジェクトＡ〜Ｃを、それぞれに適した状態（Ａ４）、（Ｂ４）、（Ｃ４）で、出力部３８ｂに同時に出力することができる。
【０４２５】
〔通信料金の算出〕
通信情報の送受信に関する通信料金には、提供情報の使用にかかる提供情報使用料金、無線情報の使用にかかる無線情報使用料金、通信ポリシーの設定にかかる通信ポリシー設定料金、通信リソース使用料金、変換にかかる変換料金、情報の送信にかかる送信料金がある。そのため、通信料金は、提供情報使用料金、無線情報使用料金、通信ポリシー設定料金、通信リソース使用料金、変換料金、送信料金を合計して算出する。
【０４２６】
無線通信装置１０ａ〜１０ｅ、端末装置３０ａ，３０ｂ、配信サーバ４０ａ，４０ｂ、中継装置５０ａ、中継制御装置５０ｂ、ポータルサーバ６０の間で発生する料金について、図１８を用いて、無線通信装置１０ｃ、端末装置３０ｂ、配信サーバ４０ａ、中継装置５０ａ、中継制御装置５０ｂ、ポータルサーバ６０を例にとって説明する。
【０４２７】
配信サーバ４０ａと、端末装置３０ｂとの間では、提供情報使用料金（３０１ａ）、通信ポリシー設定料金（３０１ｂ）、通信リソース使用料金（３０１ｃ）、変換料金や送信料金（３０１ｄ）が発生する。配信サーバ４０ａと、中継装置５０ａや中継制御装置５０ｂとの間では、通信ポリシー設定料金（３０２ｂ）、通信リソース使用料金（３０２ｃ）、変換料金や送信料金（３０２ｄ）が発生する。又、配信サーバ４０ａと、無線通信装置１０ｃとの間では、仲介料金（３０５ａ）、通信ポリシー設定料金（３０５ｂ）、通信リソース使用料金（３０５ｃ）、変換料金や送信料金（３０５ｄ）が発生する。無線通信装置１０ｃが、無線情報を送信することにより、提供情報が端末装置３０ｂに利用される。よって、無線通信装置１０ｃが、配信サーバ４０ｂによる提供情報の提供と、端末装置３０ａによる提供情報の利用を仲介している。この仲介にかかる料金が仲介料金である。
【０４２８】
中継装置５０ａや中継制御装置５０ｂと、端末装置３０ｂとの間では、通信ポリシー設定料金（３０３ｂ）、通信リソース使用料金（３０３ｃ）、変換料金や送信料金（３０３ｄ）が発生する。中継装置５０ａや中継制御装置５０ｂと、無線通信装置１０ｃとの間では、通信ポリシー設定料金（３０４ｂ）、通信リソース使用料金（３０４ｃ）、変換料金や送信料金（３０４ｄ）が発生する。無線通信装置１０ｃと端末装置３０ｂとの間では、無線情報使用料金（３０６ａ）、通信ポリシー設定料金（３０６ｂ）、通信リソース使用料金（３０６ｃ）、変換料金や送信料金（３０６ｄ）が発生する。
【０４２９】
ポータルサーバ６０と、無線通信装置１０ｃとの間では、アドレス提供料金やタグＩＤ提供料金（３０７）が発生する。ポータルサーバ６０は、無線通信装置１０ｃに代わり、問い合わせに応じて無線通信装置１０ｃのアドレスや、タグＩＤを提供する。このアドレスの提供にかかる料金がアドレス提供料金である。又、タグＩＤの提供にかかる料金がタグＩＤ提供料金である。又、ポータルサーバ６０が、提供情報に関する情報を提供することにより、提供情報が端末装置３０ｂに利用される。よって、ポータルサーバ６０は、配信サーバ４０ａによる提供情報の提供と、端末装置３０ｂによる提供情報の利用を仲介している。そのため、ポータルサーバ６０と配信サーバ４０ａとの間では、仲介料金（３０８）が発生する。
【０４３０】
よって、例えば、配信サーバ４０ａが、中継装置５０ａ、無線通信装置１０ｃを介して端末装置３０ｂに提供情報を送信する場合には、提供情報使用料金（３０１ａ）と、通信ポリシー設定料金（３０２ｂ，３０４ｂ，３０６ｂ）と、通信リソース使用料金（３０２ｃ，３０４ｃ，３０６ｃ）と、変換料金や送信料金（３０２ｄ，３０４ｄ，３０６ｄ）の合計が通信料金となる。
【０４３１】
これらの料金は、料金算出規則と算出情報に基づいて算出する。図１９に、通信品質とその保証方法を通信ポリシーとして設定する場合における通信ポリシー設定料金の料金算出規則の表を示す。設定した通信品質の項目と、その保証方法が交差するフィールドに記載された料金が、その通信品質をその保証方法で保証する場合の通信ポリシー設定料金となる。例えば、通信品質として通信速度を設定した場合に、保証方法としてギャランティモードを設定した場合には、通信ポリシー設定料金は「Ｔ」となり、ベストエフォートモードの上限値を規定するモードを設定した場合には、通信ポリシー設定料金は「Ｕ」となり、ベストエフォートモードの下限値を規定するモードを設定した場合には、通信ポリシー設定料金は「Ｖ」となり、ベストエフォートモードの上限値と下限値を規定するモードを設定した場合には、通信ポリシー設定料金は「Ｗ」となる。尚、複数の通信品質の項目を設定する場合には、各項目について求めた料金の合計が、通信ポリシー設定料金となる。このように、通信ポリシーの設定内容に応じて、通信ポリシー設定料金は変動する。他にも、通信ポリシー設定項目が要求されるリアルタイム性の場合には、要求されるリアルタイム性が高いほど通信ポリシー設定料金が高くなる料金算出規則を定めることができる。
【０４３２】
又、通信ポリシー設定料金は、通信ポリシーの達成度に応じて算出できる。例えば、通信ポリシーを完全に達成できた場合の通信ポリシー設定料金を、基本通信ポリシー設定料金として算出する。そして、通信ポリシー達成度を、通信ポリシーを達成できた割合で示している場合には、基本通信ポリシー設定料金に通信ポリシー達成度を乗算して、通信ポリシー設定料金を算出する。又、通信ポリシー達成度を、通信ポリシーを達成できなかった乖離割合で示している場合には、基本通信ポリシー設定料金に通信ポリシー達成度を乗算した金額を、基本通信ポリシー設定料金から減算して、通信ポリシー設定料金を算出する。料金算出規則として、このような通信ポリシーの達成度に応じて通信ポリシー設定料金を算出する規則を定めることができる。
【０４３３】
通信リソース使用料金には、通信リソースの予約確保により発生する予約料金と、通信リソースを実際に使用することにより発生する使用料金がある。予約料金は、予約料金の単価に、予約確保した通信リソース量を乗算して算出する。使用料金は、使用料金の単価に、実際に使用した通信リソース量を乗算して算出する。そして、通信リソース使用料金は、算出した予約料金と使用料金を合計することにより算出する。尚、予約料金の単価は、使用料金の単価よりも低額に設定できる。更に、通信リソースの使用料金の単価は、ネットワークのトラヒックの状況に応じて変動させることができる。例えば、輻輳状況のときには、トラヒック量が少ないときよりも、通信リソースの使用料金の単価を高く設定する。料金算出規則として、このような予約確保した通信リソース量や、実際に使用した通信リソース量に応じて通信リソース使用料金を算出する規則を定めることができる。
【０４３４】
料金算出規則には、各提供情報、無線情報について、１回情報を受信した場合の料金を定めた提供情報使用料金や無線情報使用料金を算出する規則がある。又、料金算出規則には、提供情報や無線情報を構成するデータの種類やデータ量、送信する時間帯に応じて送信料金を算出する規則がある。又、料金算出規則には、変換方法や変換するデータ量に応じて変換料金を算出する規則がある。
【０４３５】
更に、料金算出規則には、定額制、従量制、定額制と従量制の混合などについての規則も含まれる。定額制についての規則には、通信料金と、その料金で設定可能な通信ポリシーの設定項目や設定内容、利用可能な提供情報や無線情報などが規定されている。従量制についての規則には、算出に用いる通信ポリシー設定料金や通信リソース使用料金の料金算出規則などが規定されている。両者の混合についての規則には、定額で利用できる内容と、従量制で算出される内容などが規定されている。
【０４３６】
算出情報には、特定結果、設定情報、監視情報、送信制御情報、端末情報などがある。例えば、特定結果は、提供情報使用料金、無線情報使用料金の算出に用いられる。設定情報、通信ポリシーの達成度は、通信ポリシー設定料金の算出に用いられる。使用通信リソース量やネットワークの状況などの監視情報は、通信リソース使用料金の算出に用いられる。送信制御情報は、変換料金や送信料金の算出に用いられる。契約内容などの端末情報は、定額制、従量制、両者の混合のいずれかであるかの判断や、用いる料金算出規則の判断に用いられる。
【０４３７】
［通信方法］
次に、図１に示した通信システム１を用いた通信方法について説明する。図２０に、無線通信装置１０ｃと、端末装置３０ｂと、中継装置５０ａと、中継制御装置５０ｂと、配信サーバ４０ａと、ポータルサーバ６０の間で行われる通信方法の手順を示す。尚、図２０では、中継装置５０ａと中継制御装置５０ｂが行う処理は、まとめて示している。
【０４３８】
まず、無線通信装置１０ｃが、無線情報を端末装置３０ｂに送信する（Ｓ１０１）。端末装置３０ｂは、無線情報を受信すると、特定情報を無線通信装置１０ｃに通知する。特定情報には、受信した無線情報に関する情報と、ユーザＩＤ、パスワードが含まれる。無線通信装置１０ｃは、特定情報を、中継装置５０ａを介してポータルサーバ６０に送信する。特定情報には、提供情報に関する情報の要求と、端末装置３０ｂのユーザＩＤ、パスワードが含まれる（Ｓ１０２）。
【０４３９】
ポータルサーバ６０では、特定情報に含まれるユーザＩＤとパスワードと、ユーザ情報データベース６３に記憶された提供情報ユーザのユーザＩＤとパスワードと一致するかを判断して、認証を行う（Ｓ１０３）。ポータルサーバ６０は、ユーザＩＤとパスワードが一致する場合には、提供情報ユーザであると判断する。そして、ポータルサーバ６０は、特定情報を、中継装置５０ａを介して無線通信装置１０ｃに送信する。特定情報には、提供情報に関する情報が含まれる。このようにして、ポータルサーバ６０は、提供情報に関する情報を無線通信装置１０ｃに提供する（Ｓ１０４）
無線通信装置１０ｃは、ポータルサーバ６０から提供された提供情報に関する情報と、その他の提供情報の特定に用いる情報に基づいて、提供情報を特定する（Ｓ１０５）。次に、無線通信装置１０ｃは、ステップ（Ｓ１０５）において特定した提供情報の端末装置３０ｂへの送信の指示と、特定結果を、中継装置５０ａを介して配信サーバ４０ａに送信する（Ｓ１０６）。
【０４４０】
配信サーバ４０ａは、受信した特定結果と、その他の通信ポリシーの設定に用いる情報に基づいて、オブジェクト単位毎に希望する通信ポリシーを決定する。配信サーバ４０ａは、通信ポリシーを設定する場合と同様に、通信ポリシーの設定条件に従って、通信ポリシーの設定規則を用いて、希望の通信ポリシーを決定する（Ｓ１０７）。
【０４４１】
配信サーバ４０ａは、通信ポリシー設定情報を中継装置５０ａに送信する。中継装置５０ａは、受信した通信ポリシー設定情報を中継制御装置５０ｂに送信する。通信ポリシー設定情報には、決定した希望の通信ポリシーが含まれる。これにより、中継制御装置５０ｂに、配信サーバ４０ａが希望する通信ポリシーが通知される（Ｓ１０８）。
【０４４２】
中継装置５０ａは、中継制御装置５０ｂから通信ポリシー設定情報を受信する。中継装置５０ａは、通信ポリシー設定情報を無線通信装置１０ｃに送信する。通信ポリシー設定情報には、配信サーバ４０ａが希望する通信ポリシーと、その検討の指示が含まれる。これにより、無線通信装置１０ｃに、配信サーバ４０が希望する通信ポリシーが通知される（Ｓ１０９）。
【０４４３】
無線通信装置１０ｃは、通知された配信サーバ４０ａが希望する通信ポリシーを検討する（Ｓ１１０）。無線通信装置１０ｃは、検討結果を含む通信ポリシー設定情報を中継装置５０ａに送信する。中継装置５０ａは、その通信ポリシー設定情報を中継制御装置５０ｂに送信する。これにより、中継制御装置５０ｂに無線通信装置１０ｃによる検討結果が通知される（Ｓ１１１）。
【０４４４】
中継制御装置５０ｂが、最終的に、無線通信装置１０ｃによる検討結果と、配信サーバ４０ａの希望通信ポリシーに基づいて、中継装置５０ａと無線通信装置１０ｃとの間のトンネル（Ｄ）１ｄにおける通信ポリシーと、中継装置５０ａと配信サーバ４０ａとの間のトンネル（Ｇ）１ｇにおける通信ポリシーを、オブジェクト単位毎に設定する（Ｓ１１２）。尚、実際には、トンネル（Ｇ）１ｇは、中継装置５０ａとアクセス中継装置２０ａとの間に確立されている。中継制御装置５０ｂは、設定した通信ポリシーを含む設定情報を、中継装置５０ａを介して、無線通信装置１０ｃ及び配信サーバ４０ａに送信する（Ｓ１１３，Ｓ１１４）。
【０４４５】
無線通信装置１０ｃは、設定した通信ポリシーに基づいて、無線通信装置１０ｃから端末装置３０ｂに提供情報を送信するための送信制御情報を、オブジェクト単位毎に決定する（Ｓ１１５）。中継制御装置５０ｂは、設定した通信ポリシーに基づいて、中継装置５０ａから無線通信装置１０ｃに、トンネル（Ｄ）１ｄを介して提供情報を送信するための送信制御情報を、オブジェクト単位毎に決定する（Ｓ１１６）。配信サーバ４０ａは、設定した通信ポリシーに基づいて、配信サーバ４０ａから中継装置５０ａに、トンネル（Ｇ）１ｇを介して提供情報を送信するための送信制御情報を、オブジェクト単位毎に決定する（Ｓ１１７）。中継制御装置５０ｂは、決定した送信制御情報に基づいて、中継装置５０ａと無線通信装置１０ｃとの間の通信リソースを予約確保する（Ｓ１１８）。配信サーバ４０ａは、決定した送信制御情報に基づいて、配信サーバ４０ａと中継装置５０ａとの間の通信リソースを予約確保する（Ｓ１１９）。
【０４４６】
そして、配信サーバ４０ａが、送信制御情報に基づいて、提供情報をオブジェクト単位毎に変換する（Ｓ１２０）。配信サーバ４０ａは、送信制御情報に基づいて、変換した提供情報を、トンネル（Ｇ）１ｇを介してオブジェクト単位毎に中継装置５０ａに送信する（Ｓ１２１）。中継装置５０ａは、配信サーバ４０ａから受信した提供情報を、送信制御情報に基づいてオブジェクト単位毎に変換する（Ｓ１２２）。中継装置５０ａは、送信制御情報に基づいて、変換した提供情報を、トンネル（Ｄ）１ｄを介して、オブジェクト単位毎に無線通信装置１０ｃに送信する（Ｓ１２３）。最後に、無線通信装置１０ｃは、中継装置５０ａから受信した提供情報を、送信制御情報に基づいてオブジェクト単位毎に変換する（Ｓ１２４）。無線通信装置１０ｃは、送信制御情報に基づいて、変換した提供情報を、近距離無線により、オブジェクト単位毎に端末装置３０ｂ送信する（Ｓ１２５）。
【０４４７】
端末装置３０ｂは、提供情報をオブジェクト単位毎に受信する。そして、端末装置３０ｂは、提供情報を正常に受信できたことを確認し、無線通信装置１０ｃに受信確認応答を送信する（Ｓ１２６）。無線通信装置１０ｃは、端末装置３０ｂからの受信確認応答を中継装置５０ａに転送する（Ｓ１２７）。中継装置５０ａは、端末装置３０ｂからの受信確認応答を配信サーバ４０ａに転送する（Ｓ１２８）。無線通信装置１０ｃ、中継装置５０ａ、配信サーバ４０ａは、端末装置３０ｂからの受信確認応答を受信することにより、送信の完了を確認できる。
【０４４８】
［効果］
このような通信システム１、無線通信装置１０ｃ，１０ｄ、アクセス中継装置２０ａ，２０ｂ、端末装置３０ａ，３０ｂ、配信サーバ４０ａ〜４０ｃ、中継装置５０ａ、中継制御装置５０ｂによれば、無線通信装置１０ｃ，１０ｄの通信部１４ｃが、無線通信部１１ｃが近距離無線により送受信する通信情報を、トンネル（Ｂ）１ｂ、トンネル（Ｄ）１ｄを介して送受信する。更に、通信ポリシー設定部１６，３６，４６，５６が、通信部１４ｃがトンネル（Ｂ）１ｂ、トンネル（Ｄ）１ｄを介して通信情報を送受信する際の通信ポリシーを、オブジェクト単位毎に制御する。そして、通信制御部１７，３７ａ，３７ｂ，４７ａ，４７ｂ，５７ａが、設定された通信ポリシーに基づいて、トンネル（Ｂ）１ｂ、トンネル（Ｄ）１ｄを介した通信情報の送受信をオブジェクト単位毎に制御する。そのため、通信システム１、無線通信装置１０ｃ，１０ｄ、アクセス中継装置２０ａ，２０ｂ、端末装置３０ａ，３０ｂ、配信サーバ４０ａ〜４０ｃ、中継装置５０ａは、近距離無線により送受信される通信情報を、近距離無線による送受信の前後において、トンネル（Ｂ）１ｂ、トンネル（Ｄ）１ｄを介し、送信側や受信側が望む情報の単位毎に適した取り決めに従って、適切で簡単に送受信できる。即ち、無線通信装置１０ｃ，１０ｄ、アクセス中継装置２０ａ，２０ｂ、端末装置３０ａ，３０ｂ、配信サーバ４０ａ〜４０ｃ、中継装置５０ａは、トンネルを介して、そのトンネルにおける通信ポリシーに従った通信情報の送受信を行うことにより、適切で、かつ、プライベートアドレスを用いた簡単な情報の送受信ができる。
【０４４９】
又、通信ポリシー設定部１６，３６，４６，４６，５６は、様々な情報に基づいて、通信ポリシーを決定し、設定することができる。そのため、通信システム１、無線通信装置１０ｃ，１０ｄ、アクセス中継装置２０ａ，２０ｂ、端末装置３０ａ，３０ｂ、配信サーバ４０ａ〜４０ｃ、中継装置５０ａは、より適切な通信ポリシーに従って、トンネル（Ａ）１ａ〜（Ｇ）１ｇを介した情報の送受信を行うことができる。
【０４５０】
更に、通信システム１、配信サーバ４０ａ〜４０ｃ、中継制御装置５０ｂは、リソース割当部４８ｂ，４８ｃ，５８ｂを備える。そのため、通信システム１、無線通信装置１０ｃ，１０ｄ、アクセス中継装置２０ａ，２０ｂ、端末装置３０ａ，３０ｂ、配信サーバ４０ａ〜４０ｃ、中継装置５０ａは、通信ポリシーを実現するために必要な通信リソースを予め確保してから、通信情報を送受信することができる。
【０４５１】
又、通信システム１、無線通信装置１０ｃ、配信サーバ４０ａ〜４０ｃ、中継制御装置５０ｂは、変換部１８，４８ａ，５８ａを備える。そのため、通信システム１、無線通信装置１０ｃ，１０ｄ、配信サーバ４０ａ〜４０ｃ、中継装置５０ａは、通信ポリシーを実現するために必要な通信情報の変換を行うことができる。
【０４５２】
又、通信システム１、無線通信装置１０ｃ，１０ｃ、端末装置３０ａ，配信サーバ４０ａ〜４０ｃ、中継制御装置５０ｂは、監視部１９ａ，３９ａ，４９ａ，４９ｄ，５９ａを備える。そのため、通信システム１、無線通信装置１０ｃ、端末装置３０ａ，配信サーバ４０ａ〜４０ｃ、中継制御装置５０ｂは、ネットワークの状況や通信リソースの状況、配信サーバ４０ａ〜４０ｃ、中継装置５０ａ、中継制御装置５０ｂ、無線通信装置１０ｃ，１０ｄ、端末装置３０ａの処理状況や負荷状況、通信ポリシーの達成度、通信品質やデータ品質、通信スケジュールの実際の状況などを把握できる。そして、通信システム１、無線通信装置１０ｃ，１０ｄ、端末装置３０ａ，配信サーバ４０ａ、中継制御装置５０ｂは、取得したこれらの情報に基づいて、提供情報の特定や通信ポリシーの設定、提供情報や無線情報の送信の制限などを行うことができる。
【０４５３】
又、通信システム１では、無線通信装置１０ａ〜１０ｅの無線通信部１１ａ〜１１ｃが、近距離無線により無線情報を送信する。端末装置３０ａ，３０ｂの無線通信部３１ａ，３１ｂが、その無線情報を受信する。提供情報特定部１５，３５，４５ａは、端末装置３０ａ，３０ｂの無線通信部３１ａ，３１ｂが受信した無線情報に基づいて、提供情報を特定する。そのため、提供情報を利用する端末装置３０ａ，３０ｂのユーザは、ユーザに適した提供情報を容易に取得できる。又、通信システム１、課金サーバ７０は、課金部７２を備えることにより、提供情報や無線情報の送受信に関する通信料金を課金できる。
【０４５４】
［変更例］
本発明は、上記実施の形態に限定されるものではなく、種々の変更が可能である。例えば、図２１に示すように、通信システム２０１は、無線通信装置２１０ａ，２１０ｂ，２１０ｃと、端末装置２３０ａ，２３０ｂ，２３０ｃと、ＣＰ（Ｃｏｎｔｅｎｔｓ  Ｐｒｏｖｉｄｅｒ）サーバ２４０と、中継ゲートウェイ２５０と、ユビキタススポットポータルサーバ２６０とを備えるようにしてもよい。尚、ＣＰサーバ２４０は、図１に示した配信サーバ４０ａ〜４０ｃと、ユビキタススポットポータルサーバ２６０は、ポータルサーバ６０と実質的に同様である。又、中継ゲートウェイ２５０は、図１に示した中継装置５０ａ及び中継制御装置５０ｂの機能を備えている。
【０４５５】
端末装置２３０ａと無線通信装置２１０ａは、トンネル（Ｊ）１ｊを確立する。無線通信装置２１０ａと無線通信装置２１０ｂは、トンネル（Ｋ）１ｋを確立する。無線通信装置２１０ｂと無線通信装置２１０ｃは、トンネル（Ｌ）１ｌを確立する。そして、端末装置２３０ａは、無線通信装置２１０ａ〜２１０ｃを介して、端末装置２３０ｂ，２３０ｃと情報を送受信する。即ち、端末装置２３０ａは、トンネル（Ｊ）１ｊ〜トンネル（Ｌ）１ｌを介して、無線通信装置２１０ｃと情報を送受信する。そして、無線通信装置２１０ｃが、端末装置２３０ｂ，２３０ｃと近距離無線により情報を送受信する。
【０４５６】
又、端末装置２３０ａは、中継ゲートウェイ２５０を中継して、無線通信装置２１０ｃとコネクションを確立する。そして、端末装置２３０ａは、移動体通信網２２０上に、中継ゲートウェイ２５０とトンネル（Ｈ）１ｈを確立する。中継ゲートウェイ２５０は、無線通信装置２１０ｃとトンネル（Ｉ）１ｉを確立する。無線通信装置２１０ｃは、ＣＰサーバ２４０と近距離無線により情報を送受信する。そして、端末装置２３０ａは、トンネル（Ｈ）１ｈ及びトンネル（Ｉ）１ｉを介して、無線通信装置２１０ｃと情報を送受信し、無線通信装置２１０ｃを介してＣＰサーバ２４０と情報を送受信する。これにより、端末装置２３０ａは、ＣＰサーバ２４０とプライベートアドレスを用いた情報の送受信ができる。各トンネル（Ｈ）１ｈ〜トンネル（Ｌ）１ｌでは、それぞれに適した通信ポリシーを設定し、情報の送受信をする。
【０４５７】
又、図２２に示すように、通信システム３０１は、端末装置３３０ａ〜３３０ｄ、無線通信装置３１０ａ，３１０ｂ、中継装置３５０、配信サーバ３４０を備えるようにしてもよい。端末装置３３０ａは、無線通信装置３１０ａとの間にＰＰＰコネクションを確立する。端末装置３３０ａは、ＰＰＰコネクションを介して無線通信装置３１０ａと情報を送受信する。
【０４５８】
端末装置３３０ａは、中継装置３５０との間の情報の送受信における通信ポリシーを設定する。端末装置３３０ａは、近距離通信網３２０ａ上に、中継装置３５０と、設定した通信ポリシーに従ったコネクションを確立する。中継装置３５０は、無線通信装置３１０ａとの間の情報の送受信における通信ポリシーを設定する。中継装置３５０は、無線通信装置３１０ａと、設定した通信ポリシーに従ったＩＰトンネル３４０ａを確立する。端末装置３３０ａと中継装置３５０は、通信プロトコルとして近距離通信ＩＰを用い、ＰＰＰフレームを送受信する。中継装置３５０と無線通信装置３１０ａは、通信プロトコルとしてトンネル向きＩＰを用い、ＰＰＰフレームを送受信する。
【０４５９】
そして、端末装置３３０ａと無線通信装置３１０ａは、近距離通信網３２０ａ及びＩＰトンネル３４０ａ内に、トンネル３６０ａを確立する。端末装置３３０ｃと無線通信装置３１０ａは、近距離無線により情報を送受信する。端末装置３３０ａと端末装置３３０ｃは、トンネル３６０ａ内に、セッション３７０ａを確立する。端末装置３３０ａは、パケット９ａを中継装置３５０に送信する。パケット９ａは、オブジェクトＡに、近距離通信網３２０ａで用いられるアドレス「ＩＰ−Ｍ１」が付加されたものである。中継装置３５０は、パケット９ｂを無線通信装置３１０ａに送信する。パケット９ｂは、ヘッダ「ＩＰ―Ｍ１」が付加されたオブジェクトＡに、ＩＰトンネル３４０ａで用いられるアドレスのヘッダ「ＩＰ―ＧＷ１」が付加されたものである。中継装置３５０は、パケット９ａにヘッダ「ＩＰ―ＧＷ１」を付加し、カプセル化してパケット９ｂとして送信する。
【０４６０】
又、端末装置３３０ａと中継装置３５０は、通信プロトコルとして移動体通信ＩＰを用いる。中継装置３５０と無線通信装置３１０ｂは、通信プロトコルとしてトンネル向きＩＰを用いる。そして、端末装置３３０ａと無線通信装置３１０ｂは、移動体通信網３２０ｂ及びＩＰトンネル３４０ｂ内に、トンネル３６０ｂを確立する。配信サーバ３４０と無線通信装置３１０ｂは、近距離無線により情報を送受信する。端末装置３３０ａと配信サーバ３４０は、トンネル３６０ｂ内に、セッション３７０ｂを確立し、情報を送受信する。
【０４６１】
又、端末装置３３０ｂと中継装置３５０は、通信プロトコルとして移動体通信ＩＰを用いる。そして、端末装置３３０ｂと無線通信装置３１０ｂは、移動体通信網３２０ｃ及びＩＰトンネル３４０ｂ内に、トンネル３６０ｃを確立する。端末装置３３０ｄと無線通信装置３１０ｂは、近距離無線により情報を送受信する。端末装置３３０ｂと端末装置３３０ｄは、トンネル３６０ｃ内に、セッション３７０ｃを確立し、情報を送受信する。
【０４６２】
各トンネル３６０ａ〜３６０ｃ、各セッション３７０ａ〜３７０ｃは、それぞれ通信ポリシーを設定する。情報は、各トンネル３６０ａ〜３６０ｃ及び各セッション３７０ａ〜３７０ｃの通信ポリシーに基づいて、送受信される。各トンネル３６０ａ〜３６０ｃでは、プライベートアドレスを用いて情報を送受信する。
【０４６３】
又、図２３に示すように、通信システム４０１は、端末装置４３０ａ〜４３０ｆ、無線通信装置４１０ａ〜４１０ｅ、中継装置４５０を備えるようにしてもよい。端末装置４３０ａは、無線通信装置４１０ｃとの間にＰＰＰコネクションを確立する。端末装置４３０ａは、ＰＰＰコネクションを介して無線通信装置４１０ｃと情報を送受信する。
【０４６４】
端末装置４３０ａと中継装置４５０は、近距離通信網４２０ａを介し、通信プロトコルとして近距離通信ＩＰを用い、ＰＰＰフレームを送受信する。中継装置４５０と無線通信装置４１０ａは、通信プロトコルとしてトンネル向きＩＰを用い、ＰＰＰフレームを送受信する。無線通信装置４１０ａと無線通信装置４１０ｃは、通信プロトコルとして近距離通信ＩＰを用い、ＰＰＰフレームを送受信する。そして、端末装置４３０ａと無線通信装置４１０ｃは、近距離通信網４２０ａ、ＩＰトンネル４４０ａ及び近距離通信網４２０ｄ内に、トンネル４６０ａを確立する。端末装置４３０ｃと無線通信装置４１０ｃは、近距離無線により情報を送受信する。端末装置４３０ａと端末装置４３０ｃは、トンネル４６０ａ内に、セッション４７０ａを確立する。
【０４６５】
端末装置４３０ａは、パケット９ａを中継装置４５０に送信する。パケット９ａは、オブジェクトＡに、近距離通信網４２０ａで用いられるアドレス「ＩＰ−Ｍ１」が付加されたものである。中継装置４５０は、パケット９ｂを無線通信装置４１０ａに送信する。パケット９ｂは、ヘッダ「ＩＰ―Ｍ１」が付加されたオブジェクトＡに、ＩＰトンネル４４０ａで用いられるアドレスのヘッダ「ＩＰ―ＧＷ１」が付加されたものである。中継装置３５０は、パケット９ａにヘッダ「ＩＰ―ＧＷ１」を付加し、カプセル化してパケット９ｂとして送信する。無線通信装置４１０ａは、パケット９ｃを無線通信装置４１０ｃに送信する。パケット９ｃは、ヘッダ「ＩＰ―Ｍ１」が付加されたオブジェクトＡに、近距離通信網４２０ｄで用いられるアドレスのヘッダ「ＩＰ―ＲＦＩＤ１」が付加されたものである。無線通信装置４１０ａは、パケット９ｂのヘッダ「ＩＰ―ＧＷ１」を削除してディカプセル化し、ヘッダ「ＩＰ−ＲＦＩＤ１」を付加してカプセル化し、パケット９ｃとして送信する。
【０４６６】
端末装置４３０ａと中継装置４５０は、移動体通信網４２０ｂを介し、通信プロトコルとして移動体通信ＩＰを用いて情報を送受信する。中継装置４５０と無線通信装置４１０ｂは、ＩＰトンネル４４０ｂを介し、通信プロトコルとしてトンネル向きＩＰを用い、情報を送受信する。無線通信装置４１０ｂと無線通信装置４１０ｄは、近距離通信網４２０ｅを介し、通信プロトコルとして近距離通信ＩＰを用い、情報を送受信する。そして、端末装置４３０ｄと無線通信装置４１０ｄは、移動体通信網４２０ｂ、ＩＰトンネル４４０ｂ及び近距離通信網４２０ｅ内に、トンネル４６０ｂを確立する。端末装置４３０ｄと無線通信装置４１０ｄは、近距離無線により情報を送受信する。端末装置４３０ａと端末装置４３０ｄは、トンネル４６０ｂ内に、セッション４７０ｂを確立し、情報を送受信する。
【０４６７】
端末装置４３０ｂと中継装置４５０は、移動体通信網４２０ｃを介し、通信プロトコルとして移動体通信ＩＰを用いて情報を送受信する。端末装置４３０ｅと無線通信装置４１０ｄは、移動体通信網４２０ｃ、ＩＰトンネル４４０ｂ及び近距離通信網４２０ｅ内に、トンネル４６０ｃを確立する。端末装置４３０ｅと無線通信装置４１０ｄは、近距離無線により情報を送受信する。端末装置４３０ｂと端末装置４３０ｅは、トンネル４６０ｃ内に、セッション４７０ｃを確立し、情報を送受信する。
【０４６８】
中継装置４５０と無線通信装置４１０ｂは、ＩＰトンネル４４０ｃを介し、通信プロトコルとしてトンネル向きＩＰを用い、情報を送受信する。無線通信装置４１０ｂと無線通信装置４１０ｅは、近距離通信網４２０ｆを介し、通信プロトコルとして近距離通信ＩＰを用い、情報を送受信する。そして、端末装置４３０ｆと無線通信装置４１０ｅは、移動体通信網４２０ｂ、ＩＰトンネル４４０ｃ及び近距離通信網４２０ｆ内に、トンネル４６０ｄを確立する。端末装置４３０ｆと無線通信装置４１０ｅは、近距離無線により情報を送受信する。端末装置４３０ｂと端末装置４３０ｆは、トンネル４６０ｂｄ内に、セッション４７０ｄを確立し、情報を送受信する。
【０４６９】
各トンネル４６０ａ〜４６０ｄ、各セッション４７０ａ〜４７０ｄは、それぞれ通信ポリシーを設定する。情報は、各トンネル４６０ａ〜４６０ｄ及び各セッション４７０ａ〜４７０ｄの通信ポリシーに基づいて、送受信される。各トンネル４６０ａ〜４６０ｄでは、プライベートアドレスを用いて情報を送受信する。
【０４７０】
又、通信制御部として、ＨＴＴＰ通信制御部、ストリーミングコンテンツ映像通信制御部、ＶｏＩＰ（Ｖｏｉｃｅ  Ｏｖｅｒ  Ｉｎｔｅｒｎｅｔ  Ｐｒｏｔｏｃｏｌ）通信制御部の１つ以上を用いるようにしてもよい。ＨＴＴＰ通信制御部は、ＨＴＴＰを用いて送信される情報の送受信を制御する。ストリーミング映像通信制御部は、ストリーミング送信される情報の送受信を制御する。ＶｏＩＰ通信制御部は、ＶｏＩＰを用いて送信される情報の送受信を制御する。このように、情報の送信に用いる通信プロトコルや情報の送信方法毎に、情報の送受信を制御する通信制御部を分けて設けるようにしてもよい。
【０４７１】
又、通信システムでは、セッションを、全て通信情報の送受信に用いる必要はなく、セッションの一部を特定情報や通信ポリシー設定情報の送受信、ネットワークの状況の監視などに用いてもよい。又、無線通信装置は、自身や他の無線通信装置が行った無線情報の送信に関する送信情報に基づいて、無線情報を送信してもよい。これによれば、無線通信装置は、自身や他の無線通信装置が送信した無線情報を考慮して、より適切な無線情報を端末装置に送信できる。又、無線通信装置は、他の無線通信装置が設定した通信ポリシーに基づいて、通信ポリシーを設定してもよい。これによれば、無線通信装置は、ある端末装置への情報の送信を、他の無線通信装置から容易に引き継ぐことができる。又、無線通信装置は、ある環境に適するように設定された通信ポリシーを、その環境においてそのまま利用でき、新たな通信ポリシーの設定を省略することができる。
【０４７２】
又、図１に示した無線通信装置１０ｅは、ネットワークに接続する無線通信装置１０ｄを把握していない場合に、ネットワークへの接続の要求をブロードキャスト送信することができる。そして、無線通信装置１０ｅは、このブロードキャスト送信に対して、応答してきた無線通信装置１０ｄに、ネットワークとの中継を依頼できる。尚、無線通信装置１０ｅは、ネットワークに接続する無線通信装置１０ｄを把握している場合には、接続の要求をブロードキャスト送信することなく、無線通信装置１０ｄに、近距離無線により中継を依頼する。又、無線通信装置１０ｅは、中継を依頼する無線通信装置の探索を、他の無線通信装置に依頼することもできる。この場合、無線通信装置１０ｅは、タグＩＤを含む探索結果を受信する。そして、無線通信装置１０ｅは、探索結果に含まれるタグＩＤの無線通信装置１０ｄに中継を依頼する。
【０４７３】
そして、無線通信装置１０ｄが、中継装置５０ａに接続の要求を送信する。中継装置５０ａは、ポータルサーバ６０に問い合わせて無線通信装置１０ｄのアドレスを取得して、無線通信装置１０ｄと接続する。これにより、無線通信装置１０ｅは、無線通信装置１０ｄを介してネットワークと接続できる。
【０４７４】
又、ポータルサーバ６０のタグＩＤ提供部６７は、無線通信装置のアドレスがタグＩＤ管理データベース６８に格納されていない場合に、無線通信装置に一時的なアドレスを付与することもできる。
【０４７５】
【発明の効果】
以上説明したように、本発明によれば、近距離無線により送受信される情報を、無線による送受信の前後において、送信側や受信側が望む情報の単位毎に適した取り決めに従い、適切で簡単に送受信できる通信システム、無線通信装置、通信装置及び通信方法を提供することができる。
【図面の簡単な説明】
【図１】本発明の実施の形態に係る通信システムの構成を示す図である。
【図２】本発明の実施の形態に係る無線通信装置の構成を示すブロック図である。
【図３】本発明の実施の形態に係る他の無線通信装置の構成を示すブロック図である、
【図４】本発明の実施の形態に係る端末装置の構成を示すブロック図である。
【図５】本発明の実施の形態に係る他の端末装置の構成を示すブロック図である。
【図６】本発明の実施の形態に係る配信サーバの構成を示すブロック図である。
【図７】本発明の実施の形態に係る他の配信サーバの構成を示すブロック図である。
【図８】本発明の実施の形態に係る中継装置及び中継制御装置の構成を示すブロック図である、
【図９】本発明の実施の形態に係るポータルサーバの構成を示すブロック図である。
【図１０】本発明の実施の形態に係る課金サーバの構成を示すブロック図である。
【図１１】本発明の実施の形態に係る提供情報の送信を示す図である。
【図１２】本発明の実施の形態に係る提供情報の構成を示す図である。
【図１３】本発明の実施の形態に係る通信ポリシーの設定規則を示す図である。
【図１４】本発明の実施の形態に係る他の通信ポリシーの設定規則を示す図である。
【図１５】本発明の実施の形態に係る更に他の通信ポリシーの設定規則を示す図である。
【図１６】本発明の実施の形態に係る通信ポリシーの設定から通信情報の送信までを示す図である。
【図１７】本発明の実施の形態に係る通信ポリシーに基づいた通信情報の送信を示すブロック図である。
【図１８】本発明の実施の形態に係る料金を示す図である。
【図１９】本発明の実施の形態に係る料金算出規則を示す図である。
【図２０】本発明の実施の形態に係る通信方法の手順を示すフロー図である。
【図２１】本発明の変更例に係る通信システムを示す図である。
【図２２】本発明の変更例に係る他の通信システムを示す図である。
【図２３】本発明の変更例に係る更に他の通信システムを示す図である。
【符号の説明】
１  通信システム
１０ａ〜１０ｅ，２１０ａ〜２１０ｃ，３１０ａ，３１０ｂ，４１０ａ〜４１０ｅ  無線通信装置
２０ａ，２０ｂ  アクセス中継装置
３０ａ，３０ｂ，２３０ａ〜２３０ｃ，３３０ａ〜３３０ｄ，４３０ａ〜４３０ｆ  端末装置
４０ａ〜４０ｃ，３４０  配信サーバ
５０ａ，３５０，４５０  中継装置
５０ｂ  中継制御装置
６０  ポータルサーバ
７０  課金サーバ
１１ａ〜１１ｃ，３１ａ，３１ｂ  無線通信部
１２  無線情報記憶部
１２ｂ，１２ｃ  無線情報提供部
１３，４３，５３，６３  ユーザ情報データベース
１４ｃ，３４ａ，３４ｂ，４４ａ，４４ｂ，５４ａ，５４ｂ，６４，７１  通信部
１５，３５，４５ａ  提供情報特定部
１６，３６，４６，５６  通信ポリシー設定部
１６ａ，３６ａ，４６ａ，５６ａ  通信ポリシーデータベース
１７，３７ａ，３７ｂ，４７ａ，４７ｂ，５７ａ，５７ｂ  通信制御部
１８，４８ａ，５８ａ  変換部
１９ａ，３９ａ，４９ａ，４９ｄ，５９ａ  監視部
１９ｂ，３９ｂ，４９ｂ，５９ｂ  時計部
１９ｃ  無線装置情報記憶部
１９ｄ，３２  測定部
４８ｂ，４８ｃ，５８ｂ  リソース割当部
３３  ユーザ情報記憶部
３８，４５ｃ，５５  通知部
３８ａ  入力部
３８ｂ  出力部
４１ａ，４１ｂ  提供情報提供部
４２  提供情報データベース
４５ｂ，６５  提供情報提示部
４６ｂ，５６ｂ  設定条件制御部
４９ｃ，４９ｅ  配信サーバ情報記憶部
５９ｃ  中継装置情報記憶部
６１  認証部
６２  サービスリソースデータベース
６６  登録部
６７  タグＩＤ提供部
６８  タグＩＤ管理データベース
７２  課金部
７３  課金データベース
２４０  ＣＰサーバ
２５０  中継ゲートウェイ
２６０  ユビキタススポットポータルサーバ
【図１】
2004274184.tif 000003
【図２】
2004274184.tif 000004
【図３】
2004274184.tif 000005
【図４】
2004274184.tif 000006
【図５】
2004274184.tif 000007
【図６】
2004274184.tif 000008
【図７】
2004274184.tif 000009
【図８】
2004274184.tif 000010
【図９】
2004274184.tif 000011
【図１０】
2004274184.tif 000012
【図１１】
2004274184.tif 000013
【図１２】
2004274184.tif 000014
【図１３】
2004274184.tif 000015
【図１４】
2004274184.tif 000016
【図１５】
2004274184.tif 000017
【図１６】
2004274184.tif 000018
【図１７】
2004274184.tif 000019
【図１８】
2004274184.tif 000020
【図１９】
2004274184.tif 000021
【図２０】
2004274184.tif 000022
【図２１】
2004274184.tif 000023
【図２２】
2004274184.tif 000024
【図２３】
2004274184.tif 000025